(57)【要約】共反応性成分を使用する付加製造の方法が開示される。付加製造のための熱硬化性組成物もまた開示される。反応性付加製造の方法は、第１の化合物を含む第１の成分を第１のポンプへ提供するステップと；第２の化合物を含む第２の成分を第２のポンプへ提供するステップであって、第１の化合物が第２の化合物と反応性である、ステップと；共反応性組成物を提供するために、ミキサーを通して第１のポンプから第１の成分を送り出し、そして第２のポンプから第２の成分を送り出すステップと；共反応性組成物を堆積させるステップとを含む。
2020531626.tif 000002
【特許請求の範囲】
【請求項１】
反応性付加製造の方法であって、
第１の化合物を含む第１の成分を第１のポンプへ提供するステップと、
第２の化合物を含む第２の成分を第２のポンプへ提供するステップであって、前記第１の化合物が前記第２の化合物と反応性であるステップと、
共反応性組成物を提供するために、ミキサーを通して前記第１のポンプから前記第１の成分を送り出し、そして前記第２のポンプから前記第２の成分を送り出すステップと、
前記共反応性組成物を堆積させるステップと
を含む、方法。
【請求項２】
前記第１のポンプおよび前記第２のポンプのそれぞれが、プログレッシブキャビティポンプを含む、請求項１に記載の方法。
【請求項３】
前記第１の成分が、２種またはそれより多い第１の化合物を含み、
前記第２の成分が、２種またはそれより多い第２の化合物を含む、
請求項１に記載の方法。
【請求項４】
前記２種またはそれより多い第１の化合物が、２〜６の第１の官能基の平均官能価を含み、
前記２種またはそれより多い第２の化合物が、２〜６の第２の官能基の平均官能価を含み、
前記第１の官能基が前記第２の官能基と反応性である、
請求項３に記載の方法。
【請求項５】
前記第１の成分、前記第２の成分、または前記第１および第２の成分の両方が独立して、１ｍｍからの隙間を有するＡｎｔｏｎ  Ｐａａｒ  ＭＣＲ  ３０２レオメーターを使用して、２５℃および１００秒−１の剪断速度で測定される、２００センチポアズ〜２０，０００，０００センチポアズの粘度を含む、請求項１に記載の方法。
【請求項６】
前記第１の成分が第１の粘度を含み、
前記第２の成分が第２の粘度を含み、
前記第１の粘度が前記第２の粘度の±５０％以内であり、
粘度は、隙間を１ｍｍとしたＡｎｔｏｎ  Ｐａａｒ  ＭＣＲ  ３０２レオメーターを使用して、２５℃のプレート温度および１００秒−１の剪断速度で測定される、
請求項１に記載の方法。
【請求項７】
前記第１の化合物が、第１のモノマー、第１のプレポリマー、またはこれらの組合せを含み、
前記第２の化合物が、第２のモノマー、第２のプレポリマー、またはこれらの組合せを含み、
前記第１のモノマーおよび前記第１のプレポリマーが、前記第２のモノマーおよび前記第２のプレポリマーと反応性である、
請求項１に記載の方法。
【請求項８】
前記第１の化合物が少なくとも１種の第１のプレポリマーを含み、
前記第２の化合物が少なくとも１種の第２のプレポリマーを含み、
前記少なくとも１種の第１のプレポリマーが前記少なくとも１種の第２のプレポリマーと反応性である、
請求項１に記載の方法。
【請求項９】
前記第１の化合物がポリアミンを含み、前記第２の化合物がポリイソシアネートを含む、請求項１に記載の方法。
【請求項１０】
前記第１の化合物がポリアルケニル化合物を含み、前記第２の化合物がポリチオールを含む、請求項１に記載の方法。
【請求項１１】
前記第１の化合物がマイケル受容体を含み、前記第２の化合物がマイケル供与体を含む、請求項１に記載の方法。
【請求項１２】
前記第１の化合物がポリエポキシドを含み、前記第２の化合物がポリチオールを含む、請求項１に記載の方法。
【請求項１３】
前記第１の化合物がポリエポキシドを含み、前記第２の化合物がポリアミンを含む、請求項１に記載の方法。
【請求項１４】
前記共反応性組成物が２００センチポアズ〜２０，０００，０００センチポアズの動粘度を含み、前記動粘度が、２５ｍｍ直径の平行プレートスピンドルを有するＡｎｔｏｎ  Ｐａａｒ  ＭＣＲ  ３０２レオメーターを使用して、１Ｈｚの振動数および０．３％の振幅、および２５℃のレオメータープレート温度で測定される、請求項１に記載の方法。
【請求項１５】
前記共反応性組成物が、２５℃で５分未満のゲル化時間によって特徴付けられる、請求項１に記載の方法。
【請求項１６】
前記第１の成分、前記第２の成分、または前記第１の成分および第２の成分の両方が独立してフィラーを含み；前記共反応性組成物がフィラーを含む、請求項１に記載の方法。
【請求項１７】
前記第１の成分、前記第２の成分、または前記第１および第２の成分の両方が独立して、０．１ｗｔ％〜９５ｗｔ％のフィラーを含み、ｗｔ％は前記第１の成分または前記第２の成分の全重量に基づく、請求項１に記載の方法。
【請求項１８】
前記第１の成分、前記第２の成分、または前記第１および第２の成分の両方が独立して、０．１ｖｏｌ％〜９５ｖｏｌ％のフィラーを含み、ｖｏｌ％は前記第１の成分または前記第２の成分の全重量に基づく、請求項１に記載の方法。
【請求項１９】
前記共反応性組成物が０．１ｗｔ％〜９５ｗｔ％のフィラーを含み、ｗｔ％は前記共反応性組成物の全重量に基づく、請求項１に記載の方法。
【請求項２０】
前記共反応性組成物が０．１ｖｏｌ％〜９５ｖｏｌ％のフィラーを含み、ｖｏｌ％は前記共反応性組成物の全重量に基づく、請求項１に記載の方法。
【請求項２１】
堆積させるステップが押し出しを含む、請求項１に記載の方法。
【請求項２２】
請求項１に記載の方法を使用して形成される、物体。
【請求項２３】
１ＭＨｚ〜１８ＧＨｚの間の周波数範囲内で少なくとも１０ｄＢの減衰をもたらす、請求項２２に記載の物体。
【請求項２４】
０．９未満の比重によって特徴付けられる、請求項２２に記載の物体。
【発明の詳細な説明】
【技術分野】
【０００１】
本出願は、２０１７年８月１８日に出願された米国出願第１５／６８０，８４６号の利益を主張し、これは参照によりその全体が組み込まれる。
【０００２】
政府ライセンスの権利
本発明は、米国エネルギー省によって与えられた契約番号ＤＥ−ＡＣ０５−００ＯＲ２２７２５、および共同研究開発協定ＮＦＥ−１４−０５２４２の下で、政府支援によってなされた。政府は本発明に、ある特定の権利を有する。
【０００３】
分野
本発明は、ポリ尿素を含む共反応性材料の付加製造のための、組成物および方法に関する。
【背景技術】
【０００４】
背景
付加製造は著しく興味のある分野である。多種多様な材料を使用する多くの付加製造方法が開発されており、それぞれが独自の利点および欠点を有している。
ＰＣＴ国際公開第ＷＯ２０１６／０８５９１４号では、共反応性成分を使用する付加製造が開示されている。共反応性組成物のレオロジーパラメーターが決定され、製造可能性と関連付けられた。
【先行技術文献】
【特許文献】
【０００５】
【特許文献１】国際公開第２０１６／０８５９１４号
【発明の概要】
【課題を解決するための手段】
【０００６】
要旨
本発明によれば、反応性付加製造の方法は、第１の化合物を含む第１の成分を第１のポンプへ提供するステップと；第２の化合物を含む第２の成分を第２のポンプへ提供するステップであって、第１の化合物が第２の化合物と反応性である、ステップと；共反応性組成物を提供するために、ミキサーを通して第１のポンプから第１の成分を送り出し、そして第２のポンプから第２の成分を送り出すステップと；共反応性組成物を堆積させるステップとを含む。
【０００７】
本発明によれば、押出物は本発明による方法によって形成される。
【０００８】
本発明によれば、物体は本発明による方法を使用して形成される。
【０００９】
ある特定の化合物および方法がここでは言及される。開示される実施形態は、特許請求の範囲を限定することを意図していない。それと反対に、特許請求の範囲は、すべての代替形態、修正形態、および均等物を網羅することを意図している。
【００１０】
本明細書に記載の図面は、例示のみを目的とする。図面は、本開示の範囲を限定することを意図しない。
【図面の簡単な説明】
【００１１】
【図１】図１は、２種のポリ尿素組成物の硬化の間の複素粘度を示すグラフである。
【００１２】
【図２】図２は、２種のポリ尿素組成物の硬化の間の粘度の位相角を示すグラフである。
【００１３】
【図３】図３は、２種のポリ尿素組成物の硬化の間の剪断貯蔵弾性率Ｇ’および剪断損失弾性率Ｇ”を示す図である。
【００１４】
【図４】図４は、４種のポリ尿素組成物の硬化の間の複素粘度を示すグラフである。
【００１５】
【図５】図５は、４種のポリ尿素組成物の硬化の間の複素粘度を示すグラフである。
【００１６】
【図６】図６は、３種のプレポリマーの剪断速度γ（秒−１）に対する粘度η（ｃＰ）の依存性を示すグラフである。
【発明を実施するための形態】
【００１７】
詳細な説明
以下の詳細な記述の目的に関して、反対と明確に規定された場合を除いて、本発明は様々な代替の変形形態および工程順序を想定してもよいことを理解すべきである。そのうえ、任意の操作例または他に示された場合以外は、表現しているすべての数値、例えば、本明細書および特許請求の範囲で使用される成分の量は、すべての事例で「約」という用語によって修正されると理解すべきである。その結果、反対と示されない限り、以下の明細書および添付の特許請求の範囲で説明する数値パラメーターは、本発明によって得られる所望の特性に応じて変動し得る近似値である。少なくとも、および特許請求の範囲への均等論の適用を限定する試みとしてではなく、各数値パラメーターは少なくとも、報告された有効数字の数を考慮して、通常の丸め技法を適用することによって解釈されるべきである。本発明の広い範囲を説明する数値範囲およびパラメーターは、近似であるにもかかわらず、具体例で説明される数値は、できるだけ正確に報告されている。しかしながら、いかなる数値も、それぞれの試験測定で見出される標準偏差に必然的に起因する、ある特定の誤差を本来的に含有している。
【００１８】
また、本明細書で列挙される任意の数値範囲は、その中に包含されるすべてのサブ範囲を含むことを意図していると理解すべきである。例えば、「１〜１０」の範囲は、列挙された最小値である１と列挙された最大値である１０の間の（ならびにそれらを含む）すべてのサブ範囲を含む、すなわち、１に等しいまたはそれより大きい最小値、および１０に等しいまたはそれ未満の最大値を有することを意図している。
【００１９】
特に明記しない限り、単数の使用は複数を含み、複数は単数を包含する。さらに、「または」の使用は、「および／または」がある特定の事例で明示的に使用されたとしても、特に明記しない限り、「および／または」を意味する。
【００２０】
「押出し」は、物体を作り出すために使用される、金型（ダイス）を通して材料が押されるプロセスを指す。押出し金型は、物体を作るのに好適な形状および寸法を有する。押出し金型は、固定された形状または押出しの間に変更することができる形状を有してもよい。共押出しは、押出物で１つまたは複数の組成物を組み合わせるために使用することができる。共押出しは、部品のプロファイルにわたって、異なる組成物を有する領域を提供するために使用することができる。例えば、押出物の中心は１つの組成物を有することができ、押出物の１つの側面は第２の組成物を有することができ、押出物の１つの側面は第３の組成物を有することができる。例えば、美的な外表面および電気伝導性内表面を有する部品を作製することができる。
【００２１】
「から形成された」または「から調製された」は、例えば、含む（comprising）のような、オープンなクレーム言語を意味する。そのため、列挙された成分のリスト「から形成された」または「から調製された」組成物は、少なくとも列挙された成分または少なくとも列挙された成分の反応生成物を含む組成物であり、組成物を形成または調製するために使用された、他の列挙されていない成分をさらに含むことができることを意図している。
【００２２】
「の反応生成物」は、列挙された反応物の化学反応生成物を意味し、部分的な反応生成物、および完全に反応した生成物、ならびにより少量で存在する他の反応生成物を含むことができる。
【００２３】
「モノマー」は、例えば、１，０００ダルトン未満、８００ダルトン未満、６００ダルトン未満、５００ダルトン未満、または４００ダルトン未満の分子量によって特徴付けられる化合物を指す。モノマーは繰り返し単位を有しても、有さなくてもよい。モノマーは、２つまたはそれより多い、例えば、２〜６つの反応性官能基を含むことができる。モノマーは、ある特定の多官能化剤を包含する。
【００２４】
「多官能化剤」は、３またはそれより多い、例えば３〜６の反応性官能価を有する化合物を指す。多官能化剤は３つの反応性官能基を有することができ、３官能化剤と呼ぶことができる。多官能化剤は、例えば、反応性末端チオール基、反応性末端アルケニル基、反応性イソシアネート基、反応性エポキシ基、反応性マイケル供与体基、反応性マイケル受容体基、または反応性アミンを有することができる。多官能化剤は、例えば、２，０００ダルトン未満、１，８００ダルトン未満、１，４００ダルトン未満、１，２００ダルトン未満、１，０００ダルトン未満、８００ダルトン未満、７００ダルトン未満、６００ダルトン未満、５００ダルトン未満、４００ダルトン未満、３００ダルトン未満、または２００ダルトン未満の計算分子量を有することができる。例えば、多官能化剤は、１００ダルトン〜２，０００ダルトン、２００ダルトン〜２，０００ダルトン、２００ダルトン〜１，８００ダルトン、３００ダルトン〜１，５００ダルトン、または３００ダルトン〜１，０００ダルトンの計算分子量を有することができる。
【００２５】
多官能化剤は式（１）の構造を有することができる
【化１】
2020531626.tif 000003
［式中、Ｂは多官能化剤のコアであり、各Ｖは有機部分であり、各Ｒは反応性官能基、例えば、チオール基、アルケニル基、エポキシ基、イソシアネート基、アミン基、マイケル受容体基、または本明細書で開示される他の官能基で末端化された部分であり、ｚは３〜６の整数、例えば、３、４、５、または６である］。式（１）の多官能化剤では、各Ｖは独立して、例えば、Ｃ２〜１０アルカンジイル、Ｃ２〜１０ヘテロアルカンジイル、置換Ｃ２〜１０アルカンジイル、または、置換Ｃ２〜１０ヘテロアルカンジイルであってもよく、各Ｒは反応性官能基であってもよい。
【００２６】
好適なアルケニル末端化多官能化剤の例としては、シアヌル酸トリアリル（ＴＡＣ）、トリアリルイソシアヌレート（ＴＡＩＣ）、１，３，５−トリアリル−１，３，５−トリアジナン−２，４，６−トリオン、１，３−ビス（２−メチルアリル）−６−メチレン−５−（２−オキソプロピル）−１，３，５−トリアジノン−２，４−ジオン、トリス（アリルオキシ）メタン、ペンタエリスリトールトリアリルエーテル、１−（アリルオキシ）−２，２−ビス（（アリルオキシ）メチル）ブタン、２−プロパ−２−エトキシ−１，３，５−トリス（プロパ−２−エニル）ベンゼン、１，３，５−トリス（プロパ−２−エニル）−１，３，５−トリアジナン−２，４−ジオン、および１，３，５−トリス（２−メチルアリル）−１，３，５−トリアジナン−２，４，６−トリオン、１，２，４−トリビニルシクロヘキサン、ならびに前述のいずれかの組合せが挙げられる。
【００２７】
好適な３官能価チオール末端化多官能化剤の例としては、例えば、米国特許出願公開第２０１０／００１０１３３号に開示されている、１，２，３−プロパントリチオール、１，２，３−ベンゼントリチオール、１，１，１−ブタントリチオール、ヘプタン−１，３−７−トリチオール、１，３，５−トリアジン−２，４−６−トリチオール、イソシアヌレート含有トリチオール、およびこれらの組合せ、ならびに米国特許第４，３６６，３０７号、第４，６０９，７６２号、および第５，２２５，４７２号に記述されているポリチオールが挙げられる。多官能化剤の組合せも、使用され得る。
【００２８】
好適なポリチオール多官能化剤の例としては、ペンタエリスリトールテトラ（３−メルカプト−プロピオネート）（ＰＥＴＭＰ）、トリメチロールプロパントリ（３−メルカプトプロピオネート）（ＴＭＰＭＰ）、グリコールジ（３−メルカプトプロピオネート）（ＧＤＭＰ）、トリス［２−（３−メルカプト−プロピオニルオキシ）エチル］イソシアヌレート（ＴＥＭＰＩＣ）、ジペンタエリスリトールヘキサ（３−メルカプトプロピオネート）（ｄｉ−ＰＥＴＭＰ）、トリ（３−メルカプトプロピオネート）ペンタエリスリトール、トリエチロールエタントリ−（３−メルカプトプロピオネート）、および前述のいずれかの組合せが挙げられる。
【００２９】
好適なポリチオール多官能化剤は、例えば、Ｂｒｕｎｏ  Ｂｏｃｋ  ＴｈｉｏｃｈｅｍｉｃａｌｓからＴｈｉｏｃｕｒｅ（登録商標）という商品名で市販されている。
【００３０】
好適なポリアミン多官能化剤の例としては、トリアミノノナンが挙げられる。
【００３１】
好適なポリイソシアネート多官能化剤の例としては、ポリイソシアネート（polysiocyanate）３量体、例えば、ヘキサメチレンジイソシアネートイソシアヌレートもしくはイソホロンジイソシアネートイソシアヌレートの３量体、または対応するアロフォネートもしくはビウレットが挙げられる。
【００３２】
「プレポリマー」は、主鎖に繰り返し単位を有する化合物を指し、例えば、１，０００ダルトン〜２０，０００ダルトン、１，０００ダルトン〜１０，０００ダルトン、または２，０００ダルトン〜５，０００ダルトンの重量平均分子量によって特徴付けることができる。プレポリマーは、ホモポリマー、コポリマー、およびオリゴマーを含む。プレポリマーの重量平均分子量は、ゲル浸透クロマトグラフィー（ＧＰＣ）によって、適切な標準物質、多くの場合、ポリスチレンまたはスルホン化ポリスチレンを使用して決定することができる。「プレポリマー」は、オリゴマー、ホモポリマー、ならびにブロックコポリマーおよびグラフトコポリマーを含むコポリマーを指す。チオール末端化プレポリマーの場合、分子量は、ヨウ素滴定を使用する末端基分析によって決定される数平均分子量「Ｍｎ」である。チオール末端化でないプレポリマーの場合、数平均分子量は、ポリスチレン標準物質を使用するゲル浸透クロマトグラフィーによって決定される。プレポリマー、例えば、本開示によって提供されるチオール末端化硫黄含有プレポリマーは、硬化剤と組み合わせて硬化性組成物を提供することができ、これは硬化して、硬化された高分子網目をもたらすことができる。プレポリマーは、室温（２５℃）および室内圧力（７６０トル；１０１ｋＰａ）で液体である。
【００３３】
「反応性官能基」は、別の反応性官能基と化学的に反応して、共有結合を形成することができる化学基を指す。
【００３４】
「共反応性組成物」は、互いに化学的に反応して共有結合を形成することができる、少なくとも２種の化合物を含む組成物を指す。
【００３５】
「ゲル化時間」は、共反応性組成物が最初に混合されてから、組成物が固化してもはや手作業で撹拌できなくなるまでの期間を指す。
【００３６】
「タックフリータイム」は、反応性組成物が最初に混合されてから、反応性組成物の表面に適用された綿ボールが付着しなくなるまでの期間を指す。
【００３７】
「完全硬化時間」は、相互反応性成分が最初に組み合わせられ、混合されて反応性組成物を形成したときと、組成物の硬度がもはや増加しないときとの間の期間を指す。
【００３８】
「イソシアネート」は−Ｎ＝Ｃ＝Ｏ基を指す。
【００３９】
「アルケニル」は−ＣＨ＝ＣＨ２基を指す。
【００４０】
「ポリアルケニル」は、少なくとも２つのアルケニル基を有する化合物を指す。少なくとも２つのアルケニル基は、末端のアルケニル基であってもよく、こうしたポリアルケニルは、アルケニル末端化化合物と呼ぶことができる。アルケニル基は、ペンダントアルケニル基でもあり得る。ポリアルケニルは、２つのアルケニル基を有するジアルケニルであり得る。ポリアルケニルは、２つを超えるアルケニル基、例えば、３〜６つのアルケニル基を有することができる。ポリアルケニルは、単一型のポリアルケニルを含むことができ、同じアルケニル官能価を有するポリアルケニルの組合せであり得、または異なるアルケニル官能価を有するポリアルケニルの組合せであり得る。
【００４１】
「チオール」は−ＳＨ基を指す。
【００４２】
「アミン」は−Ｎ（Ｒ）２基［式中、各Ｒは、水素および有機基から独立して選択される］を指す。アミンは、第１級アミン基（−ＮＨ２）、第２級アミン基（−ＮＨ−）、第３級アミン基（−ＮＨ３）、または前述のいずれかの組合せを含むことができる。
【００４３】
「マイケル供与体」は、活性化されたアルケニル基と、１，４−付加反応で反応することができる化合物を指す。マイケル供与体の例としては、活性化メチレン、例えば、マロネートおよびニトロアルカンが挙げられる。
【００４４】
「マイケル受容体」は、電子求引性基、例えば、ケトン、ニトロ、ハロ、ニトリル、カルボニル、またはニトロ基に近位の、アルケニル基などの活性化されたアルケンを指す。マイケル受容体は当該技術分野で周知である。「マイケル受容体基」は活性化されたアルケニル基および電子求引性基を指す。マイケル受容体基は、ビニルケトン、ビニルスルホン、キノン、エナミン、ケチミン、オキサゾリジン、およびアクリレートから選択することができる。マイケル受容体の他の例は、Mather et al., Prog. Polym. Sci. 2006, 31, 487-531に開示されており、アクリレートエステル、アクリロニトリル、アクリルアミド、マレイミド、アルキルメタクリレート、シアノアクリレートを含む。他のマイケル受容体としては、ビニルケトン、α，β−不飽和アルデヒド、ビニルホスホネート、アクリロニトリル、ビニルピリジン、ある特定のアゾ化合物、β−ケトアセチレンおよびアセチレンエステルが挙げられる。
【００４５】
「化学線」は、組成物に適用して、照射すると、光重合開始剤から反応開始化学種を発生することができるエネルギーを指し、例えば、α線、γ線、Ｘ線、紫外（ＵＶ）線、可視光線、赤外線、または電子線が挙げられる。
【００４６】
「滞留時間」は、２つの相互反応性成分が最初に混合されて共反応性組成物を形成した後、共反応性組成物が堆積装置から押し出されるとき、例えば、共反応性組成物がミキサーに接続されたノズルから押し出されるときまでの期間を指す。例えば、ノズルは、ノズルがミキサーに連結されるところと出口オリフィスとの間の長さを有することができ、共反応性組成物がノズルに存在する時間の長さが、滞留時間である。
【００４７】
比重は、ＡＳＴＭ  Ｄ１４７５に従って決定される。
【００４８】
ショアＡ硬度は、タイプＡデュロメーターを使用して、ＡＳＴＭ  Ｄ２２４０に従って測定される。
【００４９】
引張強度および伸びは、ＡＭＳ  ３２７９に従って測定される。
【００５０】
「粘度」は、隙間を１ｍｍとしたＡｎｔｏｎ  Ｐａａｒ  ＭＣＲ  ３０２レオメーターを使用して、２５℃および１００秒−１の剪断速度で測定される。「低剪断粘度」は、隙間を１ｍｍとしたＡｎｔｏｎ  Ｐａａｒ  ＭＣＲ  ３０２レオメーターを使用して、２５℃および１秒−１の剪断速度で測定される。「高剪断粘度」は、隙間を１ｍｍとしたＡｎｔｏｎ  Ｐａａｒ  ＭＣＲ  ３０２レオメーターを使用して、２５℃および１００秒−１の剪断速度で測定される。動粘度は、２５ｍｍ直径の平行プレートスピンドルを有するＡｎｔｏｎ  Ｐａａｒ  ＭＣＲ  ３０２レオメーターを使用して、１Ｈｚの振動数および０．３％の振幅、および２５℃のレオメータープレート温度で測定される。
【００５１】
ここで、本発明のある特定の化合物、組成物、および方法に言及する。開示される化合物、組成物、および方法は、特許請求の範囲を限定することを意図していない。それと反対に、特許請求の範囲は、すべての代替形態、修正形態、および均等物を網羅することを意図している。
【００５２】
共反応性成分を使用する付加製造は、代替の付加製造方法と比較していくつかの利点を有する。連続的な層を形成する材料は、共反応して層間の共有結合を形成することができるので、共反応性成分を使用する付加製造は、より強い部品を作り出すことができる。また、成分は低粘度を有するので、混合した場合、より高いフィラー含量を使用することができる。作られた物体の材料の機械的および／または電気的特性を修正するために、より高いフィラー含量を使用することができる。共反応性成分は、付加的に製造される部品で使用される化学を広げて、改善された特性、例えば、耐溶媒性、電気伝導性、熱伝導性、および軽量をもたらすことができる。最終的に、共反応性化合物の硬化速度が速くなり得るので、共反応性付加製造は高い堆積速度の使用を促進することができる。
【００５３】
共反応性成分の付加製造の場合、堆積中に組成物が比較的低い粘度を維持し、次に急速に増加して、その上に次の層を塗布する安定したベースを提供するように、反応性成分間の反応速度および／または堆積プロセスが制御されることが、一般に望ましい。堆積中の低い粘度は、より速い印刷速度を促進することができる。
【００５４】
共反応性成分の付加製造で用いることができる、いくつかの化学が存在する。共反応性系の例としては、ポリ尿素を形成するポリイソシアネートおよびポリアミンが挙げられる。ポリ尿素は、反応性付加製造での使用にとって魅力的である。ポリイソシアネートとポリアミンの反応は、室温で急速に進行することができ、その結果、堆積中の熱流を制御する必要性を回避することができる。ポリ尿素反応は、触媒の非存在下で急速に進行することもできる。
【００５５】
本開示は、三次元印刷を使用する構造物の製造を対象とする。少なくとも２つの共反応性成分を含む共反応性組成物を基材上に堆積させ、その後、下にある堆積した部分もしくは層の上に、および／または前に堆積した部分もしくは層に隣接して、共反応性組成物の追加の部分または層を堆積させることによって、物体の連続的部分または層を形成して三次元物体を製造することができる。前に堆積した層に隣接して層を連続的に堆積させ、印刷物体を作ることができる。共反応性組成物を混合して次に堆積させるか、または反応性成分を単独で堆積させることができる。単独で堆積させる場合、反応性成分を同時に、順次、または同時および順次の両方で堆積させることができる。
【００５６】
共反応性組成物は、少なくとも１種の第２の化合物と反応性である、少なくとも１種の第１の化合物を有する組成物を指す。第１の成分は少なくとも１種の第１の化合物を含むことができ、第２の成分は少なくとも１種の第２の化合物を含むことができる。第１の化合物および第２の化合物に加えて、それぞれの第１および第２の成分は他の反応性成分および添加物、例えば、フィラー、レオロジー改質剤、接着促進剤等を含むことができる。少なくとも１種の第１の化合物は第１の官能基を含むことができ、少なくとも１種の第２の化合物は第２の官能基を含むことができ、第１の官能基は第２の官能基と反応性である。第１の官能基は、触媒非存在下の２５℃で、第２の官能基と反応性であってもよい。第１の化合物および第２の化合物は単一の反応性官能基を有することができるが、一般に、２つまたはそれより多い反応性官能基、例えば、２〜２０の官能基、２〜１６、２〜１２、２〜８、２〜６、２〜４、または２〜３の反応性官能基を含む。反応性官能基は、末端の官能基、ペンダント官能基、または末端およびペンダント官能基の組合せであってもよい。
【００５７】
第１の成分および第２の成分を組み合わせ、混合して、共反応性組成物を提供することができる。
【００５８】
堆積および類似した用語は、熱硬化性もしくは共反応性組成物および／またはその反応性成分を含む印刷材料を、（物体の第１の部分の場合）基材上に、または物体の前に堆積した部分もしくは層の上に塗布することを指す。各共反応性成分は、モノマー、プレポリマー、アダクト、および／または架橋剤を独立して含んでもよく、これらは別の共反応性成分の構成要素と化学的に反応することができる。
【００５９】
「物体の部分」は、物体のサブユニット、例えば、物体の層を意味する。層は、連続的で水平な平行面上にあり得る。部分は、材料の離散小滴として、または材料の連続的なストリームとして生成した、堆積した材料の平行面または堆積した材料のビーズであり得る。少なくとも２つの反応性成分はそれぞれ希釈せず提供されてもよく、またはさらに溶媒（有機および／もしくは水）ならびに／または以下で記述する他の添加物を含んでもよい。本開示によって提供される反応性成分は、溶媒が実質的になくてもよい。実質的にないとは、反応性成分が、５ｗｔ％未満、４ｗｔ％未満、２ｗｔ％未満、または１ｗｔ％未満の溶媒を含むことを意味し、ｗｔ％は反応性成分の全重量に基づく。同様に、本開示によって提供される共反応性組成物は、溶媒が実質的になくてもよく、例えば、５ｗｔ％未満、４ｗｔ％未満、２ｗｔ％未満、または１ｗｔ％未満の溶媒を有し、ｗｔ％は共反応性組成物の全重量に基づく。
【００６０】
少なくとも２つの共反応性成分を一緒に混合し、その後、反応して物体の部分を形成する共反応性成分の混合物として堆積させてもよい。例えば、共反応性成分の少なくとも２つの別のストリームを、ミキサー、例えば、静的ミキサーおよび／または動的ミキサーへ送達して、次に堆積される単一のストリームを生成することによって、２つの共反応性成分を一緒に混合し、反応して熱硬化性樹脂を形成する共反応性成分の混合物として堆積させてもよい。反応混合物を含む共反応性組成物が堆積する時間までに、共反応性成分は少なくとも部分的に反応してもよい。堆積した反応混合物は、堆積の後に少なくとも部分的に反応してもよく、さらに、物体の前に堆積した部分および／または後から堆積した部分、例えば、物体の下にある層または上にある層と反応してもよい。
【００６１】
２つまたはそれより多い反応性成分は、任意の好適な装置を使用して堆積させることができる。好適な堆積装置の選択は、堆積体積、組成物の粘度および作製される部品の複雑性を含むいくつかの要因に左右される。２つまたはそれより多い反応性成分のそれぞれを、独立したポンプへ導入し、ミキサーに注入して、２つの反応性成分を組み合わせて混合することができる。ノズルをミキサーに連結することができ、混合された共反応性組成物を圧力下で押す、またはノズルを通して押し出すことができる。
【００６２】
ポンプは、例えば容積形ポンプ（positive displacement pump）、シリンジポンプ、ピストンポンプ、またはプログレッシブキャビティポンプであり得る。２つの反応性成分を送達する２つのポンプは、並列に配置しても、直列に配置してもよい。好適なポンプは、液体または粘性液体をノズルオリフィスを通して押すことができる。このプロセスは、押出しとも呼ぶことができる。２つのポンプを直列に使用して、反応性成分をミキサーへ導入することができる。
【００６３】
例えば、共反応性成分が直列で混合される、プログレッシブキャビティ２成分吐出装置、例えば、ＶｉｓｃｏＴｅｃ  ｅｃｏ−ＤＵＯ  ４５０高精度吐出装置に取り付けられた、使い捨てノズルを通して材料を分与することによって、２つまたはそれより多い共反応性成分を堆積させることができる。２成分吐出装置は、例えば、使い捨て静的ミキサー分与装置の中へ、または動的ミキサーの中へ反応物を別個に投与する、２つのプログレッシブキャビティポンプを含むことができる。他の好適なポンプとしては、容積形ポンプ、シリンジポンプ、ピストンポンプ、およびプログレッシブキャビティポンプが挙げられる。分与の際、共反応性材料は押出物を形成し、ベース上に共反応性材料の初期層および連続的な層を提供する。堆積装置はベースと直角に配置することができるが、押出物はベースと平行であって、押出物と堆積装置が鈍角を形成するように、押出物を形成するのに好適な任意の角度で設定してもよい。押出物は、組み合わされた共反応性成分、すなわち、例えば、静的ミキサーまたは動的ミキサーで混合された共反応性組成物を指す。
【００６４】
ベース、堆積装置、またはベースおよび堆積装置の両方を、三次元物体を作り上げるように移動してもよい。動作は所定の様式で行うことができ、これは、任意の好適なＣＡＤ／ＣＡＭ法ならびに装置、例えば、ロボット工学および／またはコンピュータ化工作機械インターフェースを使用して達成してもよい。
【００６５】
押出物を連続的または断続的に分与して、初期層および連続的な層を形成してもよい。断続的堆積の場合、吐出装置を中継スイッチと接続して、プログレッシブキャビティポンプなどのポンプを止め、共反応性材料の流れを停止させてもよい。任意の好適なスイッチ、例えば、任意の好適なＣＡＤ／ＣＡＭ手法によって都合よく制御することができる電気機械スイッチを使用することができる。
【００６６】
堆積装置は、直列の静的および／または動的ミキサーならびに別の加圧されたポンプ隔室を含み、少なくとも２つの共反応性成分を保持して、共反応性材料を静的および／または動的ミキサーへ提供することができる。ミキサー、例えば、アクティブミキサーは、円錐形ノズル内に高剪断刃を有する可変速中央インペラを含むことができる。例えば、０．２ｍｍ〜５０ｍｍ、０．５ｍｍ〜４０ｍｍ、１ｍｍ〜３０ｍｍ、または５ｍｍ〜２０ｍｍの出口オリフィス寸法を有する、一連の円錐形ノズルを使用してもよい。
【００６７】
例えば、０．６ｍｍ〜２．５ｍｍの出口オリフィス寸法、および３０ｍｍ〜１５０ｍｍの長さを有する、一連の静的および／または動的混合ノズルを使用してもよい。例えば、出口オリフィス直径は、０．２ｍｍ〜４．０ｍｍ、０．４ｍｍ〜３．０ｍｍ、０．６ｍｍ〜２．５ｍｍ、０．８ｍｍ〜２ｍｍ、または１．０ｍｍ〜１．６ｍｍであり得る。静的および／または動的ミキサーは、例えば、１０ｍｍ〜２００ｍｍ、２０ｍｍ〜１７５ｍｍ、３０ｍｍ〜１５０ｍｍ、または５０ｍｍ〜１００ｍｍの長さを有することができる。混合ノズルは、静的および／または動的混合セクション、ならびに静的および／または動的混合セクションに連結した分与セクションを含むことができる。静的および／または動的混合セクションは、共反応性材料を組み合わせて混合するように、配置することができる。分与セクションは、例えば、上記のオリフィス直径のいずれかを有する直管であり得る。分与セクションの長さは、共反応性成分が反応し始め、物体上に堆積する前に粘度を増加させることができる領域を提供するように配置することができる。分与セクションの長さは、例えば、堆積の速度、共反応物の反応速度、および所望の粘度に基づいて選択することができる。共反応物は、例えば、０．２５秒〜５秒、０．３秒〜４秒、０．５秒〜３秒、または１秒〜３秒の、静的および／または動的混合ノズルでの滞留時間を有することができる。他の滞留時間は、硬化の化学および硬化速度に基づいて適切に使用することができる。流速は、例えば、０．８ｍｍ〜１ｍｍの直径を有するノズルを通して、例えば、１ｍＬ／分〜２０ｍＬ／分、２ｍＬ／分〜１５ｍＬ／分、３ｍＬ／分〜１０ｍＬ／分、または４ｍＬ／分〜８ｍＬ／分であり得る。一般に、好適な滞留時間は、共反応性組成物のゲル化時間より短い。好適なゲル化時間は、１０分未満、８分未満、６分未満、５分未満、４分未満、３分未満、２分未満、または１分未満であり得る。共反応性組成物のゲル化時間は、例えば、０．５分〜１０分、１分〜７分、２分〜６分、または３分〜５分であり得る。
【００６８】
共反応性組成物は、例えば、５分未満、４分未満、３分未満、２分未満、１分未満、４５秒未満、３０秒未満、１５秒未満、または５秒未満のゲル化時間を有することができる。共反応性組成物は、例えば、０．１秒〜５分、０．２秒〜３分、０．５秒〜２分、１秒〜１分、または２秒〜４０秒のゲル化時間を有することができる。
【００６９】
静的および／または動的混合ノズルは、例えば、共反応性化合物間の反応速度および／または共反応性化合物の粘度を制御するために、加熱または冷却することができる。堆積ノズルのオリフィスは、任意の好適な形状および寸法を有することができる。装置は、複数の堆積ノズルを含むことができる。ノズルは固定されたオリフィスの寸法および形状を有することができるか、またはノズルオリフィスは制御可能に調整することができる。共反応性化合物の反応によって発生した発熱量を制御するために、ミキサーおよび／またはノズルを冷却してもよい。
【００７０】
付加製造に有用な共反応性組成物は、共反応性組成物を混合した後に、３分より長い、４分より長い、５分より長い、または６分より長い例で記述される、綿ボール試験を使用して測定されるタックフリータイムを示すことができる。３分未満のタックフリータイムを有する共反応性組成物は、実用的な塗布には硬化が速すぎる傾向がある。例えば、こうした共反応性組成物は、静的および／または動的混合ノズルであまりに粘性になるおそれがあり、ノズルを詰まらせるおそれがある。共反応性組成物は、例えば、３分〜２０分、４分〜１５分、または５分〜１０分のタックフリータイムを有することができる。
【００７１】
付加製造に有用な共反応性組成物は、例えば、２より大きい、３より大きい、または４より大きい、共反応性組成物を混合した後ｔ＝０で決定されるＧ”／Ｇ’比（剪断損失弾性率Ｇ”の剪断貯蔵弾性率Ｇ’に対する比）を有することができる。
【００７２】
好適な共反応性化学としては、ポリ尿素化学が挙げられる。ポリ尿素化学の例として、ポリイソシアネートはポリイソシアネートプレポリマーおよび／またはポリイソシアネートモノマーを含むことができ、ポリアミン成分はポリアミンプレポリマーおよび／またはポリアミンモノマーを含むことができる。
【００７３】
ポリイソシアネートおよび／またはポリアミンは、２官能性、３官能性、またはこれらの組合せであり得る。ポリイソシアネートおよび／またはポリアミンは、例えば、２〜６、例えば、４〜６の官能価を有するプレポリマーおよび／またはモノマーを含むことができる。
【００７４】
ポリイソシアネートプレポリマーおよび／またはポリアミンプレポリマーは、例えば、５００ダルトン〜２０，０００ダルトン、１，０００ダルトン〜１０，０００ダルトン、１，０００ダルトン〜８，０００ダルトン、１，０００ダルトン〜６，０００ダルトン、１，５００ダルトン〜５，５００ダルトン、または２，０００ダルトン〜６，０００ダルトンの数平均分子量を有することができる。
【００７５】
ポリイソシアネートは、ポリオールプレポリマーおよびポリイソシアネート、例えば、ジイソシアネートを含む反応物の反応生成物、ならびに／またはポリアミンプレポリマーおよびポリイソシアネート、例えば、ジイソシアネートを含む反応物の反応生成物を含むことができる。
【００７６】
ポリイソシアネートは、５００ダルトン〜２，５００ダルトンの範囲内の分子量を有するポリテトラメチレンエーテルグリコール、例えば、Ｐｏｌｙｍｅｇ（登録商標）（ＬｙｏｎｄｅｌｌＢａｓｅｌｌ）を、ジイソシアネート、例えば、イソホロンジイソシアネートと反応させることによって、調製することができる。
【００７７】
ポリイソシアネートは、ポリエーテルアミン、例えば、Ｊｅｆｆａｍｉｎｅ（登録商標）（Ｈｕｎｔｓｍａｎ）、例えば、５００ダルトン〜２，５００ダルトンの範囲内の分子量を有するポリオキシプロピレンジアミンを、ジイソシアネート、例えば、イソホロンジイソシアネートと反応させることによって、調製することができる。
【００７８】
本開示によって提供される反応性組成物は、フィラーを含むことができる。例えば、反応性組成物は、０．１ｗｔ％〜３０ｗｔ％、０．１ｗｔ％〜２０ｗｔ％、２ｗｔ％〜２０ｗｔ％、または５ｗｔ％〜１５ｗｔ％を含むことができ、ｗｔ％は共反応性組成物の全重量に基づく。ポリイソシアネート成分、ポリアミン成分、またはポリイソシアネートおよびポリアミン成分の両方は、フィラーを含むことができる。
【００７９】
静的および／または動的混合ノズルでの共反応物の完全な混合を促進するために、共反応性組成物の粘度が、例えば、互いの５％以内、１０％以内、２０％以内、３０％以内、４０％以内、または５０％以内で類似していることが有用であり得る。作られた物体にある特定の特性を付与するために、および／またはレオロジー改質剤として、フィラーを添加することができる。粘度は、添加物、例えば、レオロジー改質剤、反応性希釈剤、および／または溶媒によって修正することができる。異なる粘度を有する共反応性成分の場合、完全な混合を促進するために、より長い混合管を使用することができる。
【００８０】
一方の成分がより高い分子量のプレポリマーを含み、第２の成分がより低い分子量の硬化剤を含む、共反応性系を使用する場合、より低い分子量の硬化剤を含む第２の成分の粘度を増加させることが望ましくあり得る。反応性組成物中のフィラーの量（ｗｔ％）を増加させることによって、成分の初期粘度を増加させることができ、硬化組成物の粘度の増加を遅くすることができる。
【００８１】
ポリアミン硬化剤と混合した後の２つの組成物に対する複素粘度｜η＊｜および位相角δを、図１および２にそれぞれ示す。図で組成物Ａおよび組成物Ｂと呼ばれる組成物が、実施例１で評価した組成物に対応しないことに注意されたい。
【００８２】
組成物Ｂ（Ｊｅｆｆａｍｉｎｅ（登録商標）Ｄ−２０００／ＩＰＤＩ）は、組成物Ａ（Ｐｏｌｙｍｅｇ（登録商標）２０００／ＩＰＤＩ）より弾性である。約１０４Ｐａ×ｓ〜１０５Ｐａ×ｓの範囲内の複素粘度｜η＊｜は、付加製造にとって好適であり、好結果の構造を提供する。しかしながら、約４５°の低い初期位相角（図２）に反映されるように、組成物Ｂは急速に硬化して材料を付加製造に適さなくする。他方で組成物Ａは、約６５°の初期位相角δから始まり、ポリイソシアネートとポリアミン成分が最初に混合されてから約８分後まで４５°まで下がらない。これらの研究に基づき、位相角が４５°およびそれより小さい場合、組成物はもはや印刷不可能である。
【００８３】
図３は、２つの共反応性組成物に対して、剪断貯蔵弾性率Ｇ’および剪断損失弾性率Ｇ”を時間とともに示す。Ｐｏｌｙｍｅｇ（登録商標）２０００／ＩＰＤＩ、Ｊｅｆｆａｍｉｎｅ（登録商標）Ｔ−５０００、および５ｗｔ％のフィラーを含む組成物Ａは、約２の初期弾性率比Ｇ”／Ｇ’を示し、約７分後に約１の比に到達した。
【００８４】
これに対し、Ｊｅｆｆａｍｉｎｅ（登録商標）Ｄ−２０００／ＩＰＤＩ  Ｊｅｆｆａｍｉｎｅ（登録商標）Ｔ−５０００、および５ｗｔ％のフィラーを含む反応性組成物Ｂは、約１の初期弾性率比Ｇ”／Ｇ’を示し、１未満の比に経時的に増加した。
【００８５】
図２に描かれた位相角δは、図３に報告された値から、ｔａｎδ＝Ｇ”／Ｇ’という関係を用いて計算される。
【００８６】
図４および５は、異なる量のフィラーを有する様々な組成物に対する、複素粘度｜η＊｜および位相角δをそれぞれ示す。組成物Ａは、Ｊｅｆｆａｍｉｎｅ（登録商標）Ｔ５０００と組み合わせたＰｏｌｙｍｅｇ（登録商標）２０００／ＩＰＤＩ、Ｃｌｅａｒｌｉｎｋ（登録商標）１０００、Ｐｅｔｒｏｌｉｔｅ（登録商標）Ｔ５０００、およびフィラーを含んだ。組成物Ｂは、Ｊｅｆｆａｍｉｎｅ（登録商標）Ｔ５０００と組み合わせたＪｅｆｆａｍｉｎｅ（登録商標）Ｄ２０００／ＩＰＤＩ、Ｃｌｅａｒｌｉｎｋ（登録商標）１０００、Ｐｅｔｒｏｌｉｔｅ（登録商標）Ｔ５０００、およびフィラーを含んだ。Ｃａｂｏｓｉｌ（登録商標）ＴＳ−７２０ヒュームドシリカの量は、図に示されている。
【００８７】
また、初期貯蔵弾性率Ｇ’および剪断損失弾性率Ｇ”は、Ｐｏｌｙｍｅｇ（登録商標）２０００組成物では、Ｊｅｆｆａｍｉｎｅ（登録商標）Ｄ−２０００組成物と比較して約１桁小さかった。
【００８８】
以下の特性を有する組成物は、共反応性成分を混合した後、独立してまたは様々な組合せで、例えば、２成分プログレッシブキャビティポンプを使用して首尾よく印刷できることが、実験結果に基づいて決定された。初期のＧ”／Ｇ’比が１〜５の範囲内、例えば、２より大、３より大もしくは４より大、初期位相角δが４５°〜８９°の範囲内、７分でｔａｎδ＞４５、および／または単一の共反応性成分の初期粘度が互いと２０％以下だけ異なる。
【００８９】
図６は、６つのプレポリマーに対する、剪断依存性粘度を示す。Ｐｏｌｙｍｅｇ（登録商標）２０００、ＩＰＤＩ末端化Ｐｏｌｙｍｅｇ（登録商標）２０００、およびＪｅｆｆａｍｉｎｅ（登録商標）Ｔ−５０００は、０．１秒−１〜約２秒−１の剪断速度で類似した粘度を有している。
【００９０】
付加製造でのポリ尿素の硬化化学の場合、共反応性組成物は、例えば、０．７×１０４ｃＰ〜０．１．３×１０４ｃＰ、０．８×１０４ｃＰ〜１．２×１０４ｃＰ、または０．９×１０４ｃＰ〜１．１×１０４ｃＰの範囲内の粘度を有することが有用であり得、粘度は、隙間を１ｍｍにセットされ、２５ｍｍ直径の平行プレートスピンドルを有するＡｎｔｏｎ  Ｐａａｒ  ＭＣＲ  ３０１または３０２レオメーターを使用して、１Ｈｚの振動数および０．３％の振幅で測定される。
【００９１】
Ｊｅｆｆａｍｉｎｅ（登録商標）派生プレポリマーである、図６のＪｅｆｆａｍｉｎｅ（登録商標）Ｔ−５００の高粘度および短いゲル化時間も、プレポリマー間の水素結合を増加させるおそれのある、ペンダントヒドロキシル基の存在に起因する可能性がある。
【００９２】
物体の異なる部品が異なる材料特性によって特徴付けら得るように、付加的に印刷された物体の全体にわたって、２つの共反応性成分の異なる割合を使用して、物体の異なる部品を形成することができる。例えば、物体のいくつかの部品は剛性であってもよく、物体の他の部品は可撓性であってもよい。
【００９３】
堆積に伴って、堆積した部分および／または物体が所望の構造的完全性を達成および保持するように、共反応性成分の粘度、反応速度、および他の特性を調整して、共反応性成分および／または熱硬化性組成物の流れを制御できることが認識されるであろう。溶媒の包含によって、共反応性成分の粘度を調整してもよく、または共反応性成分には溶媒が実質的にない、もしくは溶媒が完全になくてもよい。フィラーの包含によって、共反応性成分の粘度を調整してもよく、または共反応性成分にはフィラーが実質的にない、もしくはフィラーが完全になくてもよい。より低いかまたはより高い分子量を有する成分を使用することによって、共反応性成分の粘度を調整してもよい。例えば、共反応性成分は、プレポリマー、モノマー、またはプレポリマーとモノマーの組合せを含んでもよい。堆積温度を変更することによって、共反応性成分の粘度を調整してもよい。共反応性成分は、使用する特定の堆積方法、例えば、堆積前の混合および／またはインク噴射に対して調整され得る、粘度および温度プロファイルを有してもよい。粘度は共反応性成分自体の組成によって影響を受ける可能性があり、かつ／または本明細書で記述するレオロジー改質剤の包含によって制御され得る。
【００９４】
粘度および／または反応速度は、共反応性成分の堆積に伴って、組成物が堆積に伴う意図した形状を保持するようであることが、望ましくあり得る。例えば、粘度が低すぎるかつ／または反応速度が遅すぎる場合、堆積した組成物は、完成した物体の所望の形状を損なうような方法で流れるおそれがある。同様に、粘度が高すぎるかつ／または反応速度が速すぎる場合、所望の形状が損なわれるおそれがある。
【００９５】
例えば、一緒に堆積する各共反応性成分は、２５℃および０．１秒−１〜１００秒−１の剪断速度で、２００ｃＰ〜２０，０００，０００ｃＰ、１，０００ｃＰ〜１８，０００，０００ｃＰ、５，０００ｃＰ〜１５，０００，０００ｃＰ、５，０００ｃＰ〜１０，０００，０００ｃＰ、５，０００ｃＰ〜５，０００，０００ｃＰ、５，０００ｃＰ〜１，０００，０００ｃＰ、５，０００ｃＰ〜１００，０００ｃＰ、５，０００ｃＰ〜５０，０００ｃＰ、５，０００センチポアズ（ｃＰ）〜２０，０００ｃＰ、６，０００ｃＰ〜１５，０００ｃＰ、７，０００ｃＰ〜１３，０００ｃＰ、または８，０００ｃＰ〜１２，０００ｃＰの粘度を、それぞれ独立して有することができる。粘度の値は、隙間を１ｍｍとしたＡｎｔｏｎ  Ｐａａｒ  ＭＣＲ  ３０２レオメーターを使用して、２５℃の温度および１００秒−１の剪断速度で測定される。好適な粘度は、印刷に使用する堆積装置、装置の寸法、堆積速度、および反応性成分の硬化速度を含む、いくつかの要因に依存し得る。
【００９６】
２つまたはそれより多い反応性成分の組合せから形成される共反応性組成物は、例えば、２００ｃＰ〜２０，０００，０００ｃＰ、１，０００ｃＰ〜１８，０００，０００ｃＰ、５，０００ｃＰ〜１５，０００，０００ｃＰ、５，０００ｃＰ〜１０，０００，０００ｃＰ、５，０００ｃＰ〜５，０００，０００ｃＰ、５，０００ｃＰ〜１，０００，０００ｃＰ、５，０００ｃＰ〜１００，０００ｃＰ、５，０００ｃＰ〜５０，０００ｃＰ、５，０００センチポアズ（ｃＰ）〜２０，０００ｃＰ、６，０００ｃＰ〜１５，０００ｃＰ、７，０００ｃＰ〜１３，０００ｃＰ、または８，０００ｃＰ〜１２，０００ｃＰの動粘度を有することができる。
【００９７】
堆積した物体の連続的および隣接する層の間の層間架橋の速度は、層間反応を促進して、それによって層間強度を改善するように制御することができる。例えば、隣接する層が互いに共有結合することが望ましくあり得る。これを達成するために、第１の層は第２の層の官能基と反応することができる未反応の官能基を有するように、第１の層が完全に硬化する前に第２の層は第１の層の上に堆積され得る。層間架橋の速度は、例えば、連続的な層の堆積の間の時間の調整、温度の調整、触媒の濃度の調整、ならびに／または組成物の成分、例えば、モノマーおよびプレポリマーの量の調整によって、制御することができる。堆積した層は均一であってもよいし、堆積した層は不均一であってもよい。不均一な層の場合は、層の断面は異なる化学組成を有する可能性がある。例えば、層間接着性を改善するために、層の一部は、上にある層の過剰の共反応性官能価と次に反応することができる、過剰の、ある特定の共反応性官能価を有してもよい。同様に、層間接着性を改善するために、層のより低い部分は、下にある層の過剰の共反応性官能価と次に反応することができる、過剰の、ある特定の共反応性官能価を有してもよい。層間結合および／または接着性を改善するために、上にある層の堆積前またはその途中で、堆積した層の上に結合被覆、結合薄膜または結合層を塗布または堆積してもよい。層間結合層は、例えば、近接する層と反応性の化合物、触媒、および／または接着促進剤を含むことができる。層間結合被覆は、共押出しによって押出物の表面に塗布することができる。
【００９８】
共反応性成分は、１分子当たり少なくとも２つの官能基（「Ａ」官能基と呼ぶ）を有する第１の化合物、および１分子当たり少なくとも２つの官能基（「Ｂ」官能基と呼ぶ）を有する第２の化合物を含むことができ、Ａ官能基およびＢ官能基は互いに共反応性であり、互いと異なり、２種の共反応性化合物の少なくとも１種は飽和官能基を含む。
【００９９】
「飽和官能基」は、化合物の他の（非反応性）部分では不飽和が存在してもよいが、不飽和反応性基を含まない共反応性化合物の官能基を指す。飽和基の一例としてはチオール基が挙げられ、不飽和基の一例としてはアルケニル基およびアクリレート基が挙げられる。飽和官能基の例としては、チオール、ヒドロキシル、第１級アミン、第２級アミン、およびエポキシ基が挙げられる。ある特定の組成物では、飽和官能基は、チオール、第１級アミン、第２級アミン、または前述のいずれかの組合せであり得る。ある特定の組成物では、飽和官能基は、チオール、第１級アミン、第２級アミン、エポキシ、または前述のいずれかの組合せであり得る。不飽和官能基の例としては、アルケニル基、活性不飽和基、例えば、アクリレート、マレイン酸またはフマル酸基、イソシアネート基、非環式カーボネート基、アセトアセテート基、カルボン酸基、マイケル受容体基、ビニルエーテル基、（メタ）アクリレート基、およびマロネート基が挙げられる。
【０１００】
ある特定の組成物では、飽和基はアミン基を含み、不飽和基はイソシアネート基を含む。
【０１０１】
本開示によって提供される組成物は、第１の官能基を含む第１の化合物、および第２の官能基を含む第２の化合物を含むことができ、第２の官能基は第１の官能基と反応性である。本開示によって提供される組成物は、第１の官能基を含む第１の化合物、および第２の官能基を含む第２の化合物を含むことができ、第２の官能基は第１の官能基と反応性であり、両方の官能基はエチレン性不飽和基を含まない。エチレン性不飽和基の例としては、（メタ）アクリレート基、マイケル受容体基、およびビニルエーテル基が挙げられる。
【０１０２】
本開示によって提供されるある特定の組成物では、第１の成分および第２の成分は、ポリイソシアネートおよびポリオールを含まない。
【０１０３】
Ｂ官能基は、中温、例えば、１４０℃未満、１００℃未満、６０℃未満、５０℃未満、４０℃未満、３０℃未満、または２５℃未満で、Ａ官能基と反応することができ得る。ＡおよびＢ官能基は、室温、例えば２５℃で一緒に反応してもよい。共反応性成分の１つまたは両方は、平均で１分子当たり２つを超える反応性基を有してもよく、その場合、共反応性成分の混合物は熱硬化性組成物を含む。好適な共反応性官能基は、例えば、Noomen, Proceedings of the XIIIth International Conference inOrganic Coatings Science and Technology, Athens, 1987, page 251、およびTillet etal., Progress in Polymer Science, 36 (2011), 191-217に記述されており、これらは参照によりそのすべてが組み込まれる。Ａ基とＢ基との間の反応は、副産物の除去を伴わなくてもよい。こうした反応は、しばしば付加反応と呼ばれる。好適な共反応性官能基ＡおよびＢの例を、表１に列挙する。
【表１】
2020531626.tif 000004
【０１０４】
付加製造材料が少なくとも２組の共反応性Ａ基およびＢ基を含むことができるように、第１の共反応性成分は、１を超える種類の官能基Ａを有する化合物を含んでもよく、第２の共反応性成分は、１を超える種類の官能基Ｂを有する化合物を含んでもよく、少なくとも１種の共反応性化合物は飽和官能基を有する。例えば、第１の共反応性成分は、ヒドロキシル基および第２級アミン基（すなわち、少なくとも２つの異なる官能基）を有する化合物を有してもよく、第２の共反応性成分は、イソシアネート基を有する化合物を有してもよい。１つまたは両方の共反応性成分は、Ａ基とＢ基との間の反応を触媒するための触媒を必要に応じて含んでもよい。
【０１０５】
Ａ基およびＢ基は、任意の好適な化合物、例えば、モノマーおよび／またはプレポリマーに結合してもよい。Ａ基およびＢ基はプレポリマー、例えば、ポリエステル、ポリウレタン、またはアクリルプレポリマーに結合してもよい。
【０１０６】
官能基ＡおよびＢは、末端基および／またはペンダント基であり得る。共反応性化合物は、２官能価または２より大きい官能価、例えば、２〜６の官能価を有することができる。共反応性化合物の各官能基は同じであってもよいし、共反応性化合物のある特定の官能基が異なっていてもよい。例えば、共反応性化合物は、イソシアネートと反応性である、１を超える異なる種類の官能基、例えば、第１級アミン基、第２級アミン基、またはヒドロキシル基を有することができる。
【０１０７】
少なくとも２種の共反応性化合物を含む組成物では、第１の化合物はポリアミンを含むことができ、第２の化合物はポリイソシアネートを含むことができる、第１の化合物はポリアルケニル化合物を含むことができ、第２の化合物はポリチオールを含むことができる、または第１の化合物はマイケル付加受容体を含むことができ、第２の化合物はマイケル付加供与体を含むことができる。少なくとも２種の共反応性化合物を含む組成物では、第１の化合物は、イソシアネート官能性プレポリマーを含むことができ、第２の化合物は、化合物、例えば、第１級アミン、第２級アミン、ヒドロキシル、もしくは前述のいずれかの組合せを含むモノマーおよび／またはプレポリマーを含むことができる。少なくとも２種の共反応性化合物を含む組成物では、第１の化合物はポリチオールを含むことができ、第２の化合物はポリエポキシドを含むことができる、または、第１の化合物はポリアミンを含むことができ、第２の化合物はポリエポキシドを含むことができる。
【０１０８】
付加製造のための共反応性組成物は、第１の官能基を含む第１の化合物、および第２の官能基を含む第２の化合物を含むことができ、第１および第２の官能基は互いに反応性であり、第１の官能基および第２の官能基の少なくとも１つは飽和官能基を含む。第１および第２の官能基の１つは不飽和官能基であってもよく、または第１および第２の官能基の両方が飽和官能基であってもよい。第１の官能基および第２の官能基の両方は不飽和官能基ではない。本開示によって提供される組成物は、飽和および／または不飽和官能基を含み得る追加の共反応性成分を含有してもよい。
【０１０９】
共反応性官能基は、反応して共有結合を形成することができる。共反応性官能基間の反応を、触媒によって触媒することができる。触媒は、共反応性化合物および共反応性官能基の間の反応を触媒するのに有効な触媒を含むことができる。ある特定の組成物では、共反応性官能基間の反応はフリーラジカル開始反応を伴わない。本開示によって提供される組成物は、熱硬化性組成物であり得る。
【０１１０】
本開示によって提供される組成物は、２つの共反応性成分または２つを超える共反応性成分を含んでもよい。反応性成分は、同じ官能基を有する反応性化合物の組合せ、例えば、同じ官能基を有するモノマーとプレポリマーの組合せを含むことができる。追加の共反応性成分、例えば第３の共反応性成分は、第１の官能基または第２の官能基と反応性である異なる官能基を有する化合物を含むことができる。追加の共反応性成分は、組成物に追加の特性を付与することができる。例えば、追加の共反応性成分の他の共反応性成分の１つとの反応速度は速い可能性があり、それによって、他の共反応性成分が完全に硬化する前に、堆積した層が所望の形状を維持する能力を促進することができる。例えば、それぞれ、より速い反応速度を有する組成物は、押出しのコアまたは押出しの表面を形成することができ、より遅い反応速度を有する組成物は、押出しの外表面または押出しのコアを形成することができる。
【０１１１】
第１の成分および第２の成分は好適な比で組み合わせて、硬化性共反応性組成物を形成することができる。例えば、硬化性組成物の、官能基Ａの官能基Ｂに対する当量比は、１：１〜１．５：１、１：１〜１．４５：１、１：１〜３：１、１．２：１〜１．５：１、または１．２：１〜１．４：１であり得る。硬化性組成物の、好適な官能基Ａの官能基Ｂに対する当量比は、例えば、２：１〜１：２、１．５：１〜１：１．５、または１．１：１〜１：１．１であり得る。
【０１１２】
本開示によって提供される組成物は、物体の１つの部分での共反応性成分の比が、物体の別の部品での共反応性成分の比と異なるように、共反応性成分の１つまたは両方を含むことができる。このように、物体の部分は異なる硬化組成物を有してもよい。異なる組成物は、共反応性化合物の重量パーセント、共反応性化合物内の反応性モノマーもしくは反応物の当量比、フィラーの種類および／もしくはレベル、架橋密度、ならびに／または特性、例えば、ガラス転移温度によって異なってもよい。その結果、三次元印刷で生成した物体の１つの部分は、三次元物体の別の部分とは異なる材料特性、例えば、異なる化学的、物理的、熱的、または材料特性を有してもよい。例えば、物体の外表面、物体の内部、および／または物体の内表面は、異なる特性を有することができる。異なる特性は、押出しの内であり得る。例えば、押出物の１つもしくは複数の表面もしくは表面の部分は、別の表面もしくは表面の部分と比較して異なる特性を有することができ、かつ／または表面もしくは表面の部分は、コアと異なる特性を有することができる。押出物の断面に関して、特性は断面の異なる部分で異なることができるように、押出物のコアも均一でなくてもよい。
【０１１３】
さらに、物体の１つの部分は、物体の隣接する部分の少なくともいくつかの他の共反応性成分と部分的に反応してもよい。こうした反応は、各隣接部分で堆積中にかつ／または共反応性成分が堆積した後に起こってもよく、それによって、共反応性成分は各隣接する部分内で部分的に反応し、隣接する部分間の共反応性成分が反応する。この方式で、共反応性組成物が物体の部分間で反応するにつれて、物体の堆積した部分が一緒に共有結合することができ、それによって三次元物体の物理的および構造的な完全性を増加させることができる。例えば、下にある堆積した層の表面に存在する未反応のイソシアネートおよび／またはアミン基は、その後堆積した層の未反応基と反応することができる。これは、同じ層内の反応に加えて、堆積した材料の層間の反応をもたらすことによって、物体の強度／完全性を増加させる。
【０１１４】
付加製造物体は、少なくとも２つの堆積した共反応性成分から生成し、架橋され得る、熱硬化性または共反応性組成物、例えば、ポリ尿素組成物から形成された層を含むことができる。ポリ尿素の場合、共反応性成分の１つは、イソシアネート官能性プレポリマーまたはオリゴマーを含んでもよく、別の共反応性成分は、アミン、例えば第１級または第２級アミンを含んでもよい。イソシアネート官能性共反応性成分は、イソシアネート官能性モノマーをさらに含んでもよい。アミン含有共反応性成分は、イソシアネート官能性プレポリマー、オリゴマー、および／またはモノマーと反応性である官能基、例えば、ヒドロキシル基を有する別の反応物をさらに含んでもよい。印刷された三次元物体の隣接する部分は、１つまたは複数の隣接する部分で共反応性組成物のいくつかと反応してもよい。
【０１１５】
ポリ尿素組成物の場合、共反応性成分は、ポリイソシアネートモノマーおよび／もしくはプレポリマー、またはポリイソシアネートのブレンドを含み得る、イソシアネート官能性成分を含んでもよい。ポリイソシアネートプレポリマーは、十分な量のポリアミンまたは他のイソシアネート反応性成分、例えば、１つもしくは複数のポリオールと予備反応し、その結果イソシアネート官能性プレポリマーでは、ポリイソシアネート上の反応性イソシアネート部位が残存する、ポリイソシアネートであり得る。
【０１１６】
反応性成分は反応性化合物を含むことができ、反応性化合物は、プレポリマーもしくはプレポリマーの組合せ、モノマーもしくはモノマーの組合せ、または前述のいずれかの組合せを含むことができる。反応性成分中のプレポリマーおよびモノマーは、同じ反応性官能基または異なる官能基を有することができる。例えば、反応性成分はポリアミンおよびポリオールを含むことができ、ポリイソシアネートを含む反応性成分と組み合わせることができる。
【０１１７】
ポリイソシアネートは、ポリイソシアネートプレポリマー、ポリイソシアネートモノマー、またはこれらの組合せを含むことができる。
【０１１８】
ポリイソシアネートは、イソシアネート基と反応性である末端基を有するプレポリマーを、ポリイソシアネート、例えば、ジイソシアネートと反応させることによって調製された、ポリイソシアネートプレポリマーを含むことができる。例えば、ポリイソシアネートプレポリマーは、ポリオールプレポリマーおよび／またはポリアミンプレポリマーを、ポリイソシアネート、例えば、ジイソシアネートと反応させることによって、調製することができる。好適なポリイソシアネートプレポリマーは、市販されている。
【０１１９】
好適なモノマー性ポリイソシアネートとしては、例えば、イソホロンジイソシアネート（ＩＰＤＩ）、これは、３，３，５−トリメチル−５−イソシアナト−メチル−シクロヘキシルイソシアネートである；水素化ジイソシアネート、例えば、シクロヘキシレンジイソシアネート、４，４’−メチレンジシクロヘキシルジイソシアネート（Ｈ１２ＭＤＩ）；混合アラルキルジイソシアネート、例えば、テトラメチルキシリルジイソシアネート、ＯＣＮ−Ｃ（−ＣＨ３）２−Ｃ６Ｈ４Ｃ（ＣＨ３）２−ＮＣＯ；ならびにポリメチレンイソシアネート、例えば、１，４−テトラメチレンジイソシアネート、１，５−ペンタメチレンジイソシアネート、１，６−ヘキサメチレンジイソシアネート（ＨＭＤＩ）、１，７−ヘプタメチレンジイソシアネート、２，２，４−および２，４，４−トリメチルヘキサメチレンジイソシアネート、１，１０−デカメチレンジイソシアネート、および２−メチル−１，５−ペンタメチレンジイソシアネートが挙げられる。
【０１２０】
脂肪族イソシアネートは、ＵＶ光による分解に耐性のある三次元ポリ尿素物体を生成するのに有用であり得る。
【０１２１】
好適なモノマー性芳香族ポリイソシアネートの例としては、一般に、フェニレンジイソシアネート、トルエンジイソシアネート（ＴＤＩ）、キシレンジイソシアネート、１，５−ナフタレンジイソシアネート、クロロフェニレン２，４−ジイソシアネート、ビトルエンジイソシアネート、ジアニシジンジイソシアネート、トリジンジイソシアネートおよびアルキル化ベンゼンジイソシアネート；メチレン−介在（interrupted）芳香族ジイソシアネート、例えば、メチレンジフェニルジイソシアネート、特にアルキル化類似体を含む４，４’−異性体（ＭＤＩ）、例えば、３，３’−ジメチル−４，４’−ジフェニルメタンジイソシアネートおよびポリマー性メチレンジフェニルジイソシアネートが挙げられる。
【０１２２】
好適なポリイソシアネートとしては、ジイソシアネートモノマーの２量体および３量体から調製されたポリイソシアネートも挙げられる。ジイソシアネートモノマーの２量体および３量体は、例えば、米国特許第５，７７７，０６１号第３欄４４行目〜第４欄４０行目に記述されている方法によって調製することができ、これは参照によりそのすべてが組み込まれる。ジイソシアネートモノマーの２量体および３量体は、イソシアヌレート、ウレトジオン、ビウレット、アロファネートおよびこれらの組合せ、例えば、Ｂａｙｅｒ  Ｍａｔｅｒｉａｌ  Ｓｃｉｅｎｃｅから入手可能なＤｅｓｍｏｄｕｒ（登録商標）Ｎ３６００、Ｄｅｓｍｏｄｕｒ（登録商標）ＣＰ２４１０、およびＤｅｓｍｏｄｕｒ（登録商標）Ｎ３４００、から選択される結合を含有してもよい。
【０１２３】
ポリイソシアネートは、ポリイソシアネートプレポリマーも含むことができる。例えば、ポリイソシアネートは、イソシアネート末端化ポリエーテルジオール、イソシアネート末端化延長ポリエーテルジオール、またはこれらの組合せを含むことができる。延長ポリエーテルジオールは、過剰のジイソシアネートと反応して、増加した分子量および主鎖にウレタン結合を有するイソシアネート末端化ポリエーテルプレポリマーをもたらす、ポリエーテルジオールを指す。ポリエーテルジオールの例としては、Ｉｎｖｉｓｔａから入手可能なＴｅｒａｔｈａｎｅ（登録商標）ポリエーテルジオール、例えば、Ｔｅｒａｔｈａｎｅ（登録商標）２００およびＴｅｒａｔｈａｎｅ（登録商標）６５０、またはＢＡＳＦから入手可能なＰｏｌｙＴＨＦ（登録商標）ポリエーテルジオールが挙げられる。イソシアネート末端化ポリエーテルプレポリマーは、米国特許出願公開第２０１３／０２４４３４０号に記述されているように、ジイソシアネートとポリエーテルジオールを反応させることによって調製することができ、これは参照によりそのすべてが組み込まれる。延長イソシアネート末端化プレポリマーの数平均分子量は、例えば、２５０ダルトン〜１０，０００ダルトン、または５００ダルトン〜７，５００ダルトンであり得る。
【０１２４】
ポリイソシアネートプレポリマーは、イソシアネート末端化ポリテトラメチレンエーテルグリコール、例えば、テトラヒドロフランの重合を通して生成されるポリテトラメチレンエーテルグリコールを含むことができる。好適なポリテトラメチレンエーテルグリコールの例としては、Ｐｏｌｙｍｅｇ（登録商標）ポリオール（ＬｙｏｎｄｅｌｌＢａｓｅｌｌ）、ＰｏｌｙＴＨＦ（登録商標）ポリエーテルジオール（ＢＡＳＦ）、またはＴｅｒａｔｈａｎｅ（登録商標）ポリオール（Ｉｎｖｉｓｔａ）が挙げられる。
【０１２５】
ポリイソシアネートプレポリマーは、イソシアネート末端化ポリエーテルアミンを含むことができる。ポリエーテルアミンの例としては、Ｊｅｆｆａｍｉｎｅ（登録商標）ポリエーテルアミン（Ｈｕｎｔｓｍａｎ  Ｃｏｒｐ．）、およびＢＡＳＦから入手可能なポリエーテルアミンが挙げられる。好適なポリエーテルアミンの例としては、ポリオキシプロピレンジアミンが挙げられる。
【０１２６】
ポリイソシアネートプレポリマーは、２官能性イソシアネート、３官能性イソシアネート、２官能性イソシアネート末端化プレポリマー、延長２官能性イソシアネート末端化プレポリマー、または前述のいずれかの組合せを含むことができる。
【０１２７】
ポリイソシアネートは、モノマー性ポリイソシアネートまたはモノマー性ポリイソシアネートの組合せを含むことができる。モノマー性ポリイソシアネートは、ジイソシアネートであり得るか、または例えば、３〜６のイソシアネート官能価を有することができる。
【０１２８】
好適なモノマー性ポリイソシアネートの例としては、イソホロンジイソシアネート（ＩＰＤＩ）、これは３，３，５−トリメチル−５−イソシアナト−メチル−シクロヘキシルイソシアネートである；水素化材料、例えば、シクロヘキシレンジイソシアネート、４，４’−メチレンジシクロヘキシルジイソシアネート（Ｈ１２ＭＤＩ）；混合アラルキルジイソシアネート、例えば、テトラメチルキシリルジイソシアネート、ＯＣＮ−Ｃ（ＣＨ３）２−Ｃ６Ｈ４Ｃ（ＣＨ３）２−ＮＣＯ；ならびにポリメチレンイソシアネート、例えば、１，４−テトラメチレンジイソシアネート、１，５−ペンタメチレンジイソシアネート、１，６−ヘキサメチレンジイソシアネート（ＨＭＤＩ）、１，７−ヘプタメチレンジイソシアネート、２，２，４−および２，４，４−トリメチルヘキサメチレンジイソシアネート、１，１０−デカメチレンジイソシアネートおよび２−メチル−１，５−ペンタメチレンジイソシアネートが挙げられる。
【０１２９】
好適なモノマー性芳香族ポリイソシアネートとしては、一般に、フェニレンジイソシアネート、トルエンジイソシアネート（ＴＤＩ）、キシレンジイソシアネート、１，５−ナフタレンジイソシアネート、クロロフェニレン２，４−ジイソシアネート、ビトルエンジイソシアネート、ジアニシジンジイソシアネート、トリジンジイソシアネートおよびアルキル化ベンゼンジイソシアネート；メチレン−介在芳香族ジイソシアネート、例えば、メチレンジフェニルジイソシアネート、特にアルキル化類似体を含む４，４’−異性体（ＭＤＩ）、例えば、３，３’−ジメチル−４，４’−ジフェニルメタンジイソシアネートおよびポリマー性メチレンジフェニルジイソシアネートが挙げられる。
【０１３０】
三次元ポリ尿素物体を生成するために使用されるアミン官能性共反応性成分は、第１級アミン、第２級アミン、第３級アミン、またはこれらの組合せを含んでもよい。ポリアミンは、ジアミンもしくは、例えば、３〜６のアミン官能価を有するポリアミン、またはこれらの組合せであり得る。ポリアミンはモノマー性ポリアミン、ポリアミンプレポリマー、またはこれらの組合せであり得る。
【０１３１】
好適なモノマー性脂肪族ポリアミンの例としては、エチレンジアミン、１，２−ジアミノプロパン、１，４−ジアミノブタン、１，３−ジアミノペンタン、１，６−ジアミノヘキサン、２−メチル−１，５−ペンタンジアミン、２，５−ジアミノ−２，５−ジメチルヘキサン、２，２，４−および／もしくは２，４，４−トリメチル−１，６−ジアミノ−ヘキサン、１，１１−ジアミノウンデカン、１，１２−ジアミノドデカン、１，３−および／もしくは１，４−シクロヘキサンジアミン、１−アミノ−３，３，５−トリメチル−５−アミノメチル−シクロヘキサン、２，４−および／もしくは２，６−ヘキサヒドロトルエン（hexahydrotolulene）ジアミン、２，４’−および／もしくは４，４’−ジアミノ−ジシクロヘキシルメタン、５−アミノ−１，３，３−トリメチルシクロヘキサンメチルアミン（イソホロンジアミン）、１，３−シクロヘキサンビス（メチルアミン）（１，３  ＢＡＣ）、および３，３’−ジアルキル−４，４’−ジアミノジシクロヘキシルメタン（例えば、３，３’−ジメチル−４，４’−ジアミノジシクロヘキシルメタンおよび３，３’−ジエチル−４，４’−ジアミノジシクロヘキシルメタン）、２，４−および／もしくは２，６−ジアミノトルエンならびに２，４’−および／もしくは４，４’−ジアミノジフェニルメタン、またはこれらの混合物が挙げられる。
【０１３２】
好適な第２級アミンとしては、アクリレートおよびメタクリレート変性アミンが挙げられる。「アクリレートおよびメタクリレート変性アミン」によって、モノおよびポリアクリレート変性アミンの両方、ならびにアクリレートまたはメタクリレート変性モノまたはポリアミンを含む。アクリレートまたはメタクリレート変性アミンは、脂肪族アミンを含むことができる。
【０１３３】
第２級アミンは脂肪族アミン、例えば、脂環式ジアミンを含んでもよい。こうしたアミンは、Ｈｕｎｔｓｍａｎ  Ｃｏｒｐｏｒａｔｉｏｎ（Ｈｏｕｓｔｏｎ、ＴＸ）からＪｅｆｆｌｉｎｋ（商標）、例えば、Ｊｅｆｆｌｉｎｋ（商標）７５４という名称で、市販されている。アミンは、アミン官能性樹脂として提供されてもよい。こうしたアミン官能性樹脂は、高固形分ポリ尿素三次元物体の配合で使用するのに好適な、比較的低粘度のアミン官能性樹脂であり得る。アミン官能性樹脂は、有機酸のエステル、例えば、イソシアネートと適合性がある、例えば、無溶媒のアスパラギン酸エステル系アミン官能性反応性樹脂を含んでもよい。こうしたポリアスパラギン酸エステルの一例は、マレイン酸ジエチルと１，５−ジアミノ−２−メチルペンタンの誘導体であり、Ｂａｙｅｒ  Ｃｏｒｐｏｒａｔｉｏｎ、ＰＡから、Ｄｅｓｍｏｐｈｅｎ（商標）ＮＨ１２２０という商品名で市販されている。アスパルテート基を含有する他の好適な化合物も同様に用いることができる。
【０１３４】
ポリアミンは、高分子量第１級アミン、例えば、ポリオキシアルキレンアミンを含むことができる。ポリオキシアルキレンアミンは、例えば、プロピレンオキシド、エチレンオキシドまたはこれらの混合物に由来し、主鎖に結合する、２つまたはそれより多い第１級アミノ基を含有している。こうしたアミンの例としては、ポリオキシプロピレンジアミンおよびグリセロールトリス［ポリ（プロピレングリコール）、アミン末端化］エーテル、例えば、Ｈｕｎｔｓｍａｎ  Ｃｏｒｐｏｒａｔｉｏｎから、Ｊｅｆｆａｍｉｎｅ（商標）という名称で入手可能なものが挙げられる。こうしたポリエーテルアミンは、例えば、Ｊｅｆｆａｍｉｎｅ（商標）Ｄ−２３０、Ｄ−４００、Ｄ−２０００、Ｔ−４０３およびＴ−５０００のように、２００ダルトン〜７，５００ダルトンの分子量を有することができる。
【０１３５】
アミン官能性共反応性成分は、脂肪族第２級アミン、例えば、Ｄｏｒ−Ｋｅｔａｌ  Ｃｈｅｍｉｃａｌｓ，ＬＬＣから入手可能なＣｌｅａｒｌｉｎｋ（登録商標）１０００も含んでもよい。
【０１３６】
アミン官能性共反応性成分は、アミン官能性アスパラギン酸エステル、ポリオキシアルキレン第１級アミン、脂肪族第２級アミン、または前述のいずれかの組合せを含むことができる。
【０１３７】
イソシアネートおよび、モノアミンとポリ（メタ）アクリレートの（メタ）アクリレートアミン反応生成物を含む共反応性成分から形成されたポリ尿素の場合、「（メタ）アクリレート」という用語は、アクリレートおよび対応する（メタ）アクリレートの両方を意味する。ポリ（メタ）アクリレートは、任意の好適なポリ（メタ）アクリレートおよびこれらの混合物であり得る。ポリ（メタ）アクリレートはジ（メタ）アクリレートを含むことができるか、ポリ（メタ）アクリレートはトリ（メタ）アクリレートを含むことができるか、またはポリ（メタ）アクリレートはテトラ（メタ）アクリレートを含むことができる。好適なジ（メタ）アクリレートとしては、例えば、エチレングリコールジ（メタ）アクリレート、１，３−ブチレングリコールジ（メタ）アクリレート、１，４−ブタンジオールジ（メタ）アクリレート、２，３−ジメチルプロパン１，３−ジ（メタ）アクリレート、１，６−ヘキサンジオールジ（メタ）アクリレート、プロピレングリコールジ（メタ）アクリレート、ジプロピレングリコールジ（メタ）アクリレート、トリプロピレングリコールジ（メタ）アクリレート、テトラエチレングリコールジ（メタ）アクリレート、テトラプロピレングリコールジ（メタ）アクリレート、エトキシル化ヘキサンジオールジ（メタ）アクリレート、プロポキシル化ヘキサンジオールジ（メタ）アクリレート、ネオペンチルグリコールジ（メタ）アクリレート、アルコキシル化ネオペンチルグリコールジ（メタ）アクリレート、ヘキシレングリコールジ（メタ）アクリレート、ジエチレングリコールジ（メタ）アクリレート、ポリエチレングリコールジ（メタ）アクリレート、ポリブタジエンジ（メタ）アクリレート、チオジエチレングリコールジ（メタ）アクリレート、トリメチレングリコールジ（メタ）アクリレート、トリエチレングリコールジ（メタ）アクリレート、アルコキシル化ヘキサンジオールジ（メタ）アクリレート、アルコキシル化ネオペンチルグリコールジ（メタ）アクリレート、ペンタンジオールジ（メタ）アクリレート、シクロヘキサンジメタノールジ（メタ）アクリレート、エトキシル化ビスフェノールＡジ（メタ）アクリレート、および前述のいずれかの組合せが挙げられる。トリおよびより高い（メタ）アクリレートの例としては、グリセロールトリ（メタ）アクリレート、トリメチロールプロパントリ（メタ）アクリレート、エトキシル化トリメチロールプロパントリ（メタ）アクリレート、プロポキシル化トリメチロールプロパントリ（メタ）アクリレート、ジトリメチロールプロパンテトラ（メタ）アクリレート、ペンタエリスリトールテトラ（メタ）アクリレート、エトキシル化ペンタエリスリトールテトラ（メタ）アクリレート、プロポキシル化ペンタエリスリトールテトラ（メタ）アクリレート、およびジペンタエリスリトールペンタ（メタ）アクリレートが挙げられる。他の好適なポリ（メタ）アクリレートオリゴマーとしては、エポキシ化大豆油の（メタ）アクリレート、およびポリイソシアネートとヒドロキシアルキル（メタ）アクリレートのウレタンアクリレートが挙げられる。モノ、ジ、トリ、および／またはテトラ（メタ）アクリレートの混合物を含む、ポリ（メタ）アクリレートモノマーの混合物も使用され得る。
【０１３８】
他の好適なポリ（メタ）アクリレートとしては、ウレタン（メタ）アクリレート、例えば、ヒドロキシル官能性（メタ）アクリレートと、ポリイソシアネートとの反応、またはポリイソシアネートおよびポリオールもしくはポリアミンのイソシアネート官能性アダクトとの反応から形成されるものが挙げられる。好適なヒドロキシル官能性（メタ）アクリレートとしては、２−ヒドロキシエチル、１−メチル−２−ヒドロキシエチル、２−ヒドロキシプロピル、２−ヒドロキシブチル、４−ヒドロキシブチル等が挙げられる。好適なポリイソシアネートとしては、例えば、本明細書で開示する、モノマー性もしくはオリゴマー性イソシアネート、またはイソシアネートプレポリマーのいずれかが挙げられる。
【０１３９】
ポリアミンは、ジアミン、例えば、３〜６のアミン官能価を有するポリアミン、およびこれらの組合せを含む。
【０１４０】
好適な脂肪族ポリアミンの例としては、エチルアミン、異性体のプロピルアミン、ブチルアミン、ペンチルアミン、ヘキシルアミン、シクロヘキシルアミン、エチレンジアミン、１，３−ビス（アミノメチル）ジアミン、１，２−ジアミノプロパン、１，４−ジアミノブタン、１，３−ジアミノペンタン、１，６−ジアミノヘキサン、２−メチル−１，５−ペンタンジアミン、２，５−ジアミノ−２，５−ジメチルヘキサン、２，２，４−および／または２，４，４−トリメチル−１，６−ジアミノ−ヘキサン、１，１１−ジアミノウンデカン、１，１２−ジアミノドデカン、１，３−および／または１，４−シクロヘキサンジアミン、１−アミノ−３，３，５−トリメチル−５−アミノメチル−シクロヘキサン、２，４−および／または２，６−ヘキサヒドロトルエン（hexahydrotoluylene）ジアミン、２，４’−および／または４，４’−ジアミノ−ジシクロヘキシルメタンならびに３，３’−ジアルキル４，４’−ジアミノ−ジシクロヘキシルメタン（例えば、３，３’−ジメチル−４，４’−ジアミノ−ジシクロヘキシルメタンおよび３，３’−ジエチル−４，４’−ジアミノ−ジシクロヘキシルメタン）、２，４−および／もしくは２，６−ジアミノトルエンならびに２，４’−および／または４，４’−ジアミノジフェニルメタン、またはこれらの混合物が挙げられる。アクリレート変性アミンの特定の例は、イソホロンジアミン、マレイン酸ジブチル、およびアクリル酸ブチルの反応生成物である。
【０１４１】
好適な第２級アミンの例としては、脂肪族アミン、例えば、脂環式ジアミンが挙げられる。こうしたアミンは、Ｈｕｎｔｓｍａｎ  Ｃｏｒｐｏｒａｔｉｏｎ（Ｈｏｕｓｔｏｎ、ＴＸ）から、Ｊｅｆｆｌｉｎｋ（登録商標）、例えばＪｅｆｆｌｉｎｋ（登録商標）７５４という名称で市販されている。他の例としては、Ｃｌｅａｒｌｉｎｋ（登録商標）１０００（Ｄｏｒｆ−Ｋｅｔａｌ  Ｃｈｅｍｉｃａｌｓ，ＬＬＣ）、およびアスパラギン酸エステル官能性アミン、例えば、Ｄｅｓｍｏｐｈｅｎ（登録商標）、例えば、ＮＨ１２２０、Ｄｅｓｍｏｐｈｅｎ（登録商標）ＮＨ１４２０、およびＤｅｓｍｏｐｈｅｎ（登録商標）ＮＨ１５２０（Ｂａｙｅｒ  Ｍａｔｅｒｉａｌｓ  Ｓｃｉｅｎｃｅ  ＬＬＣ）の名称で入手可能なものが挙げられる。第２級アミンは、イソホロンジアミンとアクリロニトリルとの反応生成物、例えば、Ｐｏｌｙｃｌｅａｒ（登録商標）１３６（ＢＡＳＦ／Ｈａｎｓｅｎ  Ｇｒｏｕｐ  ＬＬＣから入手可能）であり得る。ポリアミンは、アミン官能性樹脂としても提供され得る。例えば、アミン官能性樹脂は、有機酸のエステル、例えば、イソシアネートと適合性がある、例えば、無溶媒の、および／または、アミン官能価のエステルに対する１：１以下のモル比を有し、そのため反応の際に過剰な第１級アミンが残存しないアスパラギン酸エステル系アミン官能性反応性樹脂を含んでもよい。こうしたポリアスパラギン酸エステルの一例は、マレイン酸ジエチルと１，５−ジアミノ−２−メチルペンタンの誘導体であり、Ｂａｙｅｒ  ＣｏｒｐｏｒａｔｉｏｎからＤｅｓｍｏｐｈｅｎ（登録商標）ＮＨ１２２０という商品名で市販されている。アスパルテート基を含有する他の好適な化合物も、同様に用いることができる。さらに、第２級ポリアミンは、化合物の誘導体、例えば、マレイン酸、フマル酸エステル、脂肪族ポリアミン等を含むことができるポリアスパラギン酸エステルを含むことができる。
【０１４２】
ポリアミンは、高分子量第１級アミン、例えば、ポリオキシアルキレンアミンを含むことができる。ポリオキシアルキレンアミンは、例えば、プロピレンオキシド、エチレンオキシドまたはこれらの混合物に由来し、主鎖に結合する、２つまたはそれより多い第１級アミノ基を含有している。こうしたアミンの例としては、Ｈｕｎｔｓｍａｎ  Ｃｏｒｐｏｒａｔｉｏｎから、Ｊｅｆｆａｍｉｎｅ（登録商標）という名称で入手できるものが挙げられる。こうしたアミンは、限定はされないが、例えば、Ｊｅｆｆａｍｉｎｅ（登録商標）Ｄ−２３０、Ｄ−４００、Ｄ−２０００、Ｔ−４０３およびＴ−５０００のように、典型的には２００〜７５００の範囲の分子量を有する。
【０１４３】
ポリイソシアネートおよびポリアミンを含む組成物は、ポリシロキサンをさらに含むことができる。ポリシロキサンは、弾性を減少させることなく、ポリ尿素の引張強度を増加させるのに有効であり得る。組成物は、例えば、１ｗｔ％〜４０ｗｔ％、５ｗｔ％〜３５ｗｔ％、または１０ｗｔ％〜３０ｗｔ％のポリシロキサンを含むことができ、ｗｔ％は、組成物中のポリイソシアネート、ポリアミン、およびポリシロキサンの全重量に基づく。
【０１４４】
ポリシロキサンは、例えば５００ダルトン〜５０，０００ダルトンの数平均分子量を有することができる。ポリシロキサンは、末端イソシアネート基、アミン基、ヒドロキシル基、または特定の硬化化学に適切な他の好適な末端基を有することができる。ポリシロキサンは、ホモポリマー、ブロックコポリマー、グラフトコポリマー、または前述のいずれかの組合せであり得る。ポリシロキサンは、ポリ（メチルヒドロシロキサン）、ポリ（ジメチルシロキサン）、またはこれらの組合せを含むことができる。
【０１４５】
好適なポリシロキサンホモポリマーの例としては、ヘキサメチルシロキサン、ビス（３−アミノプロピル）末端化ポリ（ジメチルシロキサン）、ポリ（ジメチルシロキサン、ジグリシジルエーテル末端化（ポリジメチルシロキサン）、水素化物末端化（ポリジメチルシロキサン）、ヒドロキシ末端化（ポリジメチルシロキサン）、モノアクリルアミドプロピル末端化（ポリジメチルシロキサン）、ビニル末端化（ポリジメチルシロキサン）、ポリ（メチルヒドロシロキサン）、トリメチルシリル末端化ポリ（メチルヒドロシロキサン）、ポリ（メチルフェニルシロキサン）、および前述のいずれかの組合せが挙げられる。
【０１４６】
好適なポリシロキサンコポリマーの例としては、ポリ（ジメチルシロキサン−ｃｏ−アルキルメチルシロキサン）、ポリ（ジメチルシロキサン−ｃｏ−（３−アミノプロピル）メチルシロキサン）、ジヒドロキシ末端化ポリ（ジメチルシロキサン−ｃｏ−ジフェニルシロキサン）、ジビニル末端化ポリ（ジメチルシロキサン−ｃｏ−ジフェニルシロキサン）、ポリ［ジメチルシロキサン−ｃｏ−（２−（３，４−エポキシ（epxoy）シクロヘキシル）エチル）メチルシロキサン］、ポリ［ジメチルシロキサン−ｃｏ−［３−（２−（２−ヒドロキシエトキシ）エトキシ）プロピル］メチルシロキサン］、トリメチルシリル末端化ポリ（ジメチルシロキサン−ｃｏ−メチルヒドロシロキサン）、ポリ（ジメチルシロキサン−ｃｏ−メチルフェニルシロキサン）、ポリ（ジメチルシロキサン−ｃｏ−メチル（ステアロイルオキシアルキル）シロキサン］、ポリ（ジメチルシロキサン）−グラフト−ポリアクリレート、および前述のいずれかの組合せが挙げられる。
【０１４７】
ポリシロキサンは、ポリ（ジメチルシロキサン）、ポリ（メチルヒドロシロキサン）またはこれらの組合せを含むことができる。ポリシロキサンは、アルキルシリル末端化ポリ（ジメチルシロキサン）、アルコキシシリル末端化ポリ（メチルヒドロシロキサン）、またはこれらの組合せを含むことができる。ポリシロキサンは、トリメチルシリル末端化ポリ（ジメチルシロキサン）、トリメチル末端化ポリ（メチルヒドロシロキサン）、またはこれらの組合せを含むことができる。
【０１４８】
シロキサンは、ポリ（メチルヒドロシロキサン）、またはポリ（メチルヒドロシロキサン）の組合せを含むことができる。ポリシロキサンは、ポリ（ジメチルシロキサン）、またはポリ（ジメチルシロキサン）の組合せを含むことができる。
【０１４９】
ポリシロキサン、例えば、ポリ（メチルヒドロシロキサン）またはポリ（ジメチルシロキサン）は、例えば、５００ダルトン〜５，０００ダルトン、７５０ダルトン〜４，５００ダルトン、１，０００ダルトン〜４，０００ダルトンまたは１，５００ダルトン〜４，５００ダルトンの平均分子量を有することができる。ポリシロキサン、例えば、ポリ（メチルヒドロシロキサン）またはポリ（ジメチルシロキサン）は、例えば、１，０００ダルトン〜１００，０００ダルトン、１，０００ダルトン〜５０，０００ダルトン、または３，０００ダルトン〜２５，０００ダルトンの平均分子量を有することができる。分子量は、ポリスチレン標準物質を使用する、ゲル浸透クロマトグラフィーを使用して決定することができる。
【０１５０】
好適なポリシロキサンとしては、シロキサンウレタンポリオールが挙げられる。シロキサンウレタンポリオールの例は、例えば、米国特許第７，４５９，５１５号に開示されている。
【０１５１】
本開示によって提供される共反応性組成物は、チオール−エン化学に基づくことができる。
【０１５２】
共反応性組成物は、ポリチオールおよびポリアルケニルを含むことができる。ポリチオールは、モノマー性ポリチオール、ポリチオールプレポリマー、またはこれらの組合せを含むことができる。ポリチオールは、ジチオール、例えば３〜６のチオール官能価を有するポリチオール、またはこれらの組合せを含むことができる。ポリアルケニルは、モノマー性ポリアルケニル、ポリアルケニルプレポリマー、またはこれらの組合せを含むことができる。ポリチオールは、ジアルケニル、例えば３〜６のチオール官能価を有するポリアルケニル、またはこれらの組合せを含むことができる。
【０１５３】
ポリチオールは、任意の好適なチオール末端化プレポリマーまたはチオール末端化プレポリマーの組合せを含むことができる。チオール末端化硫黄含有プレポリマーは、それらの耐溶媒性、ならびに広範囲の温度および環境条件にわたって許容できる物理的特性を維持する能力に起因して、シーラントとして有用である。好適なチオール末端化硫黄含有プレポリマーの例としては、チオール末端化ポリチオエーテル、チオール末端化ポリスルフィド、チオール末端化硫黄含有ポリホルマール、およびチオール末端化モノスルフィドが挙げられる。硫黄含有プレポリマーは、シーラントとして有用であり得る。
【０１５４】
硫黄含有プレポリマーは、チオール末端化ポリチオエーテルを含むことができる。好適なチオール末端化ポリチオエーテルプレポリマーの例は、例えば米国特許第６，１７２，１７９号に開示されており、これは参照によりそのすべてが組み込まれる。チオール末端化ポリチオエーテルプレポリマーは、Ｐｅｒｍａｐｏｌ（登録商標）Ｐ３．１Ｅ、Ｐｅｒｍａｐｏｌ（登録商標）Ｐ３．１Ｅ−２．８、Ｐｅｒｍａｐｏｌ（登録商標）Ｌ５６０８６、または前述のいずれかの組合せを含むことができ、それぞれＰＲＣ−ＤｅＳｏｔｏ  Ｉｎｔｅｒｎａｔｉｏｎａｌ  Ｉｎｃ．から入手可能である。
【０１５５】
チオール末端化ポリチオエーテルプレポリマーは、式（２）の構造を有する、少なくとも１つの部分を含むチオール末端化ポリチオエーテルプレポリマーを含むことができる
【化２】
2020531626.tif 000005
［式中、
各Ｒ１は、Ｃ２〜１０ｎ−アルカンジイル基、Ｃ３〜６分岐アルカンジイル基、Ｃ６〜８シクロアルカンジイル基、Ｃ６〜１０アルカンシクロアルカンジイル基、２価の複素環基、または−［（ＣＨＲ３）ｐ−Ｘ−］ｑ（ＣＨＲ３）ｒ−基を独立して含むことができ、ここで、各Ｒ３は水素またはメチルを含み、
各Ｒ２は、Ｃ２〜１０ｎアルカンジイル基、Ｃ３〜６分岐アルカンジイル基、Ｃ６〜８シクロアルカンジイル基、Ｃ６〜１４アルカンシクロアルカンジイル基、２価の複素環基、または−［（ＣＨ２）ｐ−Ｘ−］ｑ（ＣＨ２）ｒ−基を独立して含むことができ、
各Ｘは、Ｏ、ＳまたはＮＲを独立して含むことができ、ここで、Ｒは水素またはメチルを含み、
ｍは０〜５０の範囲であり、
ｎは１〜６０の範囲の整数であり、
ｐは２〜６の範囲の整数であり、
ｑは１〜５の範囲の整数であり、
ｒは２〜１０の範囲の整数である］。
【０１５６】
チオール末端化ポリチオエーテルは、式（３ａ）の構造を有し、チオール末端化ポリチオエーテルに由来する部分Ｅは、式（３ｂ）の構造を有する
【化３】
2020531626.tif 000006
［式中、
ｎは１から６０までの整数であり、
各Ｒ１はＣ２〜１０アルカンジイル、Ｃ６〜８シクロアルカンジイル、Ｃ６〜１４アルカンシクロアルカンジイル、Ｃ５〜８ヘテロシクロアルカンジイル、および−［（ＣＨＲ３）ｐ−Ｘ−］ｑ（ＣＨＲ３）ｒ−から独立して選択され、ここで、
ｐは２〜６の整数であり、
ｑは１〜５の整数であり、
ｒは２〜１０の整数であり、
各Ｒ３は、水素およびメチルから独立して選択され、
各ＸはＯ、Ｓ、Ｓ−Ｓ、およびＮＲから独立して選択され、ここで、Ｒは水素およびメチルから選択され、
各Ａはポリアルケニルに独立して由来する］。
【０１５７】
式（３ａ）のチオール末端化ポリチオエーテルおよび式（３ｂ）の部分では、各Ａは、式（４ａ）の部分および式（４ｂ）の部分から独立して選択される
【化４】
2020531626.tif 000007
［式中、
各Ｒ１は、Ｃ２〜１０アルカンジイル、Ｃ６〜８シクロアルカンジイル、Ｃ６〜１４アルカンシクロアルカンジイル、Ｃ５〜８ヘテロシクロアルカンジイル、および−［（ＣＨＲ３）ｐ−Ｘ−］ｑ（ＣＨＲ３）ｒ−から独立して選択され、ここで、
ｐは２〜６の整数であり、
ｑは１〜５の整数であり、
ｒは２〜１０の整数であり、
各Ｒ２は、Ｃ１〜１０アルカンジイル、Ｃ６〜８シクロアルカンジイル、Ｃ６〜１４アルカンシクロアルカンジイル、および−［（ＣＨＲ３）ｐ−Ｘ−］ｑ（ＣＨＲ３）ｒ−から独立して選択され、ここで、ｐ、ｑ、ｒ、Ｒ３、およびＸは、Ｒ１で規定された通りであり、
ｍは０〜５０の整数であり、
各ｎ１は、０〜６０の整数から独立して選択され、
Ｂ２は、ｚ価のポリアルケニル多官能化剤Ｂ２（−Ｒ２０−ＣＨ＝ＣＨ２）ｚのコアを表し、ここで、
ｚは３〜６の整数であり、
各Ｒ２０は、Ｃ１〜１０アルカンジイル、Ｃ１〜１０ヘテロアルカンジイル、置換Ｃ１〜１０アルカンジイル、および置換Ｃ１〜１０ヘテロアルカンジイルから独立して選択される］。
【０１５８】
チオール末端化硫黄含有プレポリマーは、チオール末端化硫黄含有ポリホルマールを含むことができる。航空宇宙シーラント用途に有用な硫黄含有ポリホルマールプレポリマーは、例えば、米国特許第８，７２９，２１６号および米国特許第８，５４１，５１３号に開示されており、これらはそれぞれ参照によりそのすべてが組み込まれる。
【０１５９】
チオール末端化硫黄含有ポリホルマールプレポリマーは、式（５）の構造を有することができる
【化５】
2020531626.tif 000008
［式中、ｎは１〜５０から選択される整数であり；各ｐは１および２から独立して選択され；各Ｒ１はＣ２〜６アルカンジイルを含み；各Ｒ２は、水素、Ｃ１〜６アルキル、Ｃ７〜１２フェニルアルキル、置換Ｃ７〜１２フェニルアルキル、Ｃ６〜１２シクロアルキルアルキル、置換Ｃ６〜１２シクロアルキルアルキル、Ｃ３〜１２シクロアルキル、置換Ｃ３〜１２シクロアルキル、Ｃ６〜１２アリール、または置換Ｃ６〜１２アリールを独立して含み；各Ｒ３は−ＯＲ３’であり、ここで、Ｒ３’はチオール末端化基を含む］。
【０１６０】
硫黄含有ポリホルマールプレポリマーは、式（６）の構造を有することができる
【化６】
2020531626.tif 000009
［式中、各ｎは１〜５０から選択される整数であり；ｍは３〜６から選択される整数であり；ｐは独立して１または２であり；各Ｒ１はＣ２〜６アルカンジイルを独立して含み；各Ｒ３は、水素、Ｃ１〜６アルキル、Ｃ７〜１２フェニルアルキル、置換Ｃ７〜１２フェニルアルキル、Ｃ６〜１２シクロアルキルアルキル、置換Ｃ６〜１２シクロアルキルアルキル、Ｃ３〜１２シクロアルキル、置換Ｃ３〜１２シクロアルキル、Ｃ６〜１２アリール、または、置換Ｃ６〜１２アリールを独立して含み；各Ｒ５は−ＯＲ５’であり、ここで、Ｒ５’はチオール末端化を含む］。
【０１６１】
チオール末端化硫黄含有プレポリマーは、チオール末端化ポリスルフィドプレポリマーを含むことができる。ポリスルフィドプレポリマーは、１つまたは複数のポリスルフィド結合、すなわち、−Ｓｘ−結合［式中、ｘは２〜４である］を、プレポリマー主鎖および／またはプレポリマー鎖のペンダント位に含有するプレポリマーを指す。ポリスルフィドプレポリマーは、２つまたはそれより多い硫黄−硫黄結合を有することができる。好適なポリスルフィドは、例えば、ＡｋｚｏＮｏｂｅｌおよび東レ株式会社から、それぞれＴｈｉｏｐｌａｓｔ（登録商標）およびＴｈｉｏｋｏｌ−ＬＰ（登録商標）の名称で市販されている。
【０１６２】
好適なポリスルフィドプレポリマーの例は、例えば、米国特許第４，６２３，７１１号、第６，１７２，１７９号、第６，５０９，４１８号、第７，００９，０３２号、および第７，８７９，９５５号に開示されており、これらはそれぞれ参照によりそのすべてが組み込まれる。
【０１６３】
好適なチオール末端化ポリスルフィドの例としては、Ｔｈｉｏｐｌａｓｔ（商標）Ｇポリスルフィド、例えば、Ｔｈｉｏｐｌａｓｔ（商標）Ｇ１、Ｔｈｉｏｐｌａｓｔ（商標）Ｇ４、Ｔｈｉｏｐｌａｓｔ（商標）Ｇ１０、Ｔｈｉｏｐｌａｓｔ（商標）Ｇ１２、Ｔｈｉｏｐｌａｓｔ（商標）Ｇ２１、Ｔｈｉｏｐｌａｓｔ（商標）Ｇ２２、Ｔｈｉｏｐｌａｓｔ（商標）Ｇ４４、Ｔｈｉｏｐｌａｓｔ（商標）Ｇ１２２、およびＴｈｉｏｐｌａｓｔ（商標）Ｇ１３１が挙げられ、これらはＡｋｚｏＮｏｂｅｌから市販されている。Ｔｈｉｏｐｌａｓｔ（商標）Ｇ樹脂は、２および３官能性分子のブレンドである液体ポリスルフィドポリマーであり、２官能性ポリスルフィドポリマーは式（７）の構造を有し、
【化７】
2020531626.tif 000010
３官能性ポリスルフィドポリマーは式（８）の構造を有する
【化８】
2020531626.tif 000011
［式中、各Ｒは−（ＣＨ２）２−Ｏ−ＣＨ２−Ｏ−（ＣＨ２）２−であり、ｎ＝ａ＋ｂ＋ｃであって、ｎの値は、ポリスルフィドポリマーの合成中に使用される３官能性架橋剤（１，２，３−トリクロロプロパン；ＴＣＰ）の量に応じて７〜３８であり得る］。Ｔｈｉｏｐｌａｓｔ（商標）Ｇポリスルフィドは、１，０００ダルトン未満〜６，５００ダルトンの分子量、１％〜５．５％より大きいＳＨ含量、および０％〜２．０％の架橋密度を有することができる。
【０１６４】
好適なチオール末端化ポリスルフィドプレポリマーの例としては、東レ株式会社から入手可能なＴｈｉｏｋｏｌ（商標）ＬＰポリスルフィド、例えば、Ｔｈｉｏｋｏｌ（商標）ＬＰ２、Ｔｈｉｏｋｏｌ（商標）ＬＰ３、Ｔｈｉｏｋｏｌ（商標）ＬＰ１２、Ｔｈｉｏｋｏｌ（商標）ＬＰ２３、Ｔｈｉｏｋｏｌ（商標）ＬＰ３３、およびＴｈｉｏｋｏｌ（商標）ＬＰ５５も挙げられる。Ｔｈｉｏｋｏｌ（商標）ＬＰポリスルフィドは、１，０００ダルトン〜７，５００ダルトンの平均分子量、０．８％〜７．７％のＳＨ含量、および０％〜２％の架橋密度を有する。
【０１６５】
チオール末端化硫黄含有プレポリマーは、Ｔｈｉｏｋｏｌ−ＬＰ（登録商標）ポリスルフィド、Ｔｈｉｏｐｌａｓｔ（登録商標）Ｇポリスルフィド、またはこれらの組合せを含むことができる。
【０１６６】
チオール末端化硫黄含有プレポリマーは、チオール末端化モノスルフィドを含むことができる。
【０１６７】
チオール末端化モノスルフィドは、式（９ａ）のチオール末端化モノスルフィド、式（９ｂ）のチオール末端化モノスルフィド、またはこれらの組合せを含むことができる
【化９】
2020531626.tif 000012
［式中、
各ＸはＳ、Ｏ、またはＮＲ３を独立して含み、Ｒ３はＣ１〜４アルキルを含み、
ｐは１〜５の整数であり、
ｑは０〜５の整数であり、
ｎは１〜６０の整数であり、
各Ｒは、Ｃ２〜１０アルカンジイル、Ｃ６〜８シクロアルカンジイル、Ｃ１〜４アルキルシクロアルカンジイル、またはＣ８〜１０アルキルアレーンジイルを独立して含み、
各Ｒ１は、Ｃ１〜１０アルカンジイル、Ｃ６〜８シクロアルカンジイル、Ｃ１〜４アルキルシクロアルカンジイル、またはＣ８〜１０アルキルアレーンジイルを独立して含み、
各Ｒ２は、Ｃ２〜１０アルカンジイル、Ｃ６〜８シクロアルカンジイル、Ｃ１〜４アルキルシクロアルカンジイル、またはＣ８〜１０アルキルアレーンジイルを独立して含み、
Ｂは、ｚ価の多官能化剤Ｂ（−Ｖ）ｚのコアを表し、ここで、
ｚは３〜６の整数であり、
各Ｖはチオール基と反応性である末端基を含む部分であり、
各−Ｖ’−は、−Ｖとチオールとの反応に由来する］。
【０１６８】
チオール末端化モノスルフィドは、式（１０ａ）のチオール末端化モノスルフィド、式（１０ｂ）のチオール末端化モノスルフィド、またはこれらの組合せ含むことができる
【化１０】
2020531626.tif 000013
［式中、
各Ｘは独立してＳまたはＯであってもよく、
ｐは１〜５の整数であり、
ｑは１〜５の整数であり、
ｎは１〜６０の整数であり、
各ＲはＣ２〜１０アルカンジイルを独立して含み、
各Ｒ１は水素またはＣ１〜１０アルカンジイルを独立して含み、
Ｂは、ｚ価の多官能化剤Ｂ（−Ｖ）ｚのコアを表し、ここで、
ｚは３〜６の整数であり、
各Ｖは、チオール基と反応性の末端基を含む部分であり、
各−Ｖ’−は、−Ｖとチオールとの反応に由来する］。
【０１６９】
チオール末端化モノスルフィドは、式（１１ａ）のチオール末端化モノスルフィド、式（１１ｂ）のチオール末端化モノスルフィド、またはこれらの組合せを含むことができる
【化１１】
2020531626.tif 000014
［式中、
ｔは１〜６０の整数であり、
ｑは１〜８の整数であり、
ｐは１〜１０の整数であり、
ｒは１〜１０の整数であり、
ｙは１．０〜１．５の範囲内の平均値を有し、
各Ｒは、分岐アルカンジイル、分岐アレーンジイル、または構造−（ＣＨ２）ｐ−Ｏ−（ＣＨ２）ｑ−Ｏ−（ＣＨ２）ｒ−を有する部分を独立して含み、
Ｂは、ｚ価の多官能化剤Ｂ（−Ｖ）ｚのコアを表し、ここで、
ｚは３〜６の整数であり、
各Ｖはチオール基と反応性である末端基を含む部分であり、
各−Ｖ’−は、−Ｖとチオールとの反応に由来する］。
【０１７０】
式（１１ａ）および式（１１ｂ）のチオール末端化モノスルフィドの例は、例えば、米国特許出願公開第２０１６／０１５２７７５号および米国特許第９，０７９，８３３号に開示されている。
【０１７１】
チオール末端化モノスルフィドは、式（１２）のチオール末端化モノスルフィドを含むことができる
【化１２】
2020531626.tif 000015
［式中、ＲはＣ２〜４アルカンジイル、ｍは１〜８、かつｎは２〜３７０の整数である］。
【０１７２】
ポリチオールは、モノマー性ジチオールまたはモノマー性ジチオールの組合せを含むことができる。
【０１７３】
ポリチオールは、例えば３〜６のチオール官能価を有するモノマー性ポリチオール、
または例えば３〜６のチオール官能価を有するモノマー性ポリチオールの組合せを含むことができる。
【０１７４】
ポリチオールは、式（１３）の構造を有するジチオールを含むことができる
【化１３】
2020531626.tif 000016
［式中、Ｒ１は、Ｃ２〜６アルカンジイル、Ｃ６〜８シクロアルカンジイル、Ｃ６〜１０アルカンシクロアルカンジイル、Ｃ５〜８ヘテロシクロアルカンジイル、および−［（ＣＨＲ３）ｐ−Ｘ−］ｑ（ＣＨＲ３）ｒ−から選択され、ここで、各Ｒ３は、水素およびメチルから独立して選択され、各Ｘは、Ｏ、Ｓ、Ｓ−Ｓ、およびＮＲから独立して選択され、Ｒは水素およびメチルから選択され、ｐは２〜６の整数であり、ｑは１〜５の整数であり、ｒは２〜１０の整数である］。
【０１７５】
好適なジチオールの例としては、１，２−エタンジチオール、１，２−プロパンジチオール、１，３−プロパンジチオール、１，３−ブタンジチオール、１，４−ブタンジチオール、２，３−ブタンジチオール、１，３−ペンタンジチオール、１，５−ペンタンジチオール、１，６−ヘキサンジチオール、１，３−ジメルカプト−３−メチルブタン、ジペンテンジメルカプタン、エチルシクロヘキシルジチオール（ＥＣＨＤＴ）、ジメルカプトジエチルスルフィド、メチル置換ジメルカプトジエチルスルフィド、ジメチル置換ジメルカプトジエチルスルフィド、ジメルカプトジオキサオクタン、１，５−ジメルカプト−３−オキサペンタン、および前述のいずれかの組合せが挙げられる。
［１］２より大きいチオール官能価を有する好適なポリチオールの例としては、例えば、米国特許出願公開第２０１０／００１０１３３号に開示されている、１，２，３−プロパントリチオール、１，２，３−ベンゼントリチオール、１，１，１−ブタントリチオール、ヘプタン−１，３−７−トリチオール、１，３，５−トリアジン−２，４−６−トリチオール、イソシアヌレート含有トリチオール、およびこれらの組合せ、ならびに米国特許第４，３６６，３０７号、第４，６０９，７６２号、および第５，２２５，４７２号に記述されているポリチオールが挙げられる。多官能化剤の組合せも使用され得る。
［２］好適なポリチオール多官能化剤の例としては、ペンタエリスリトールテトラ（３−メルカプト−プロピオネート）（ＰＥＴＭＰ）、トリメチロール−プロパントリ（３−メルカプトプロピオネート）（ＴＭＰＭＰ）、グリコールジ（３−メルカプトプロピオネート）（ＧＤＭＰ）、トリス［２−（３−メルカプト−プロピオニルオキシ）エチル］イソシアヌレート（ＴＥＭＰＩＣ）、ジ−ペンタエリスリトールヘキサ（３−メルカプトプロピオネート）（ｄｉ−ＰＥＴＭＰ）、トリ（３−メルカプトプロピオネート）ペンタエリスリトール、トリエチロールエタントリ−（３−メルカプトプロピオネート）、および前述のいずれかの組合せが挙げられる。
【０１７６】
ポリチオール共反応性成分は、２つまたはそれより多いチオール官能基（−ＳＨ）を含有する多官能化合物を指す。好適なポリチオール官能性化合物としては、モノマーおよびプレポリマーを含む、少なくとも２つのチオール基を有するポリチオールが挙げられる。ポリチオールは、エーテル結合（−Ｏ−）、ポリスルフィド結合（−Ｓｘ−）［式中、ｘは少なくとも２、例えば、２〜４である］を含むチオエーテル結合（−Ｓ−）、およびこうした結合の組合せを有することができる。
【０１７７】
好適なポリチオールの例としては、式Ｒ１−（ＳＨ）ｎ［式中、Ｒ１は多価の有機部分であり、ｎは少なくとも２、例えば、２〜６の整数である］の化合物が挙げられる。
【０１７８】
好適なポリチオールの例としては、式ＨＳ−Ｒ２−ＣＯＯＨ［式中、Ｒ２は有機部分である］のチオール含有酸を、構造Ｒ３−（ＯＨ）ｎ［式中、Ｒ３は有機部分であり、ｎは少なくとも２、例えば、２〜６である］のポリヒドロキシル化合物と反応させることにより形成される、チオール含有酸のエステルが挙げられる。これらの成分は、一般的な構造Ｒ３−（ＯＣ（Ｏ）−Ｒ２−ＳＨ）ｎ［式中、Ｒ２、Ｒ３およびｎは上に定義した通りである］を有するポリチオールを与えるのに好適な条件下で反応され得る。
【０１７９】
チオール含有酸の例としては、ポリヒドロキシ化合物、例えば、グリコール、トリオール、テトラオール、ペンタオール、ヘキサオール、および前述のいずれかの組合せを有する、チオグリコール酸（ＨＳ−ＣＨ２ＣＯＯＨ）、α−メルカプトプロピオン酸（ＨＳ−ＣＨ（ＣＨ３）−ＣＯＯＨ）およびβ−メルカプトプロピオン酸（ＨＳ−ＣＨ２ＣＨ２ＣＯＣＨ）が挙げられる。他の好適なポリチオールとしては、エチレングリコールビス（チオグリコレート）、エチレングリコールビス（β−メルカプトプロピオネート）、トリメチロールプロパントリス（チオグリコレート）、トリメチロールプロパントリス（β−メルカプトプロピオネート）、ペンタエリスリトールテトラキス（チオグリコレート）およびペンタエリスリトールテトラキス（β−メルカプトプロピオネート）、および前述のいずれかの組合せが挙げられる。
【０１８０】
ポリアルケニルは、任意の好適なポリアルケニルプレポリマー、またはポリアルケニルプレポリマーの組合せを含むことができる。ポリアルケニルプレポリマーは、アルケニル末端化硫黄含有プレポリマーを含むことができ、これは、例えば、本明細書で記述されるように、ジアルケニル化合物をチオール末端化硫黄含有プレポリマーと反応させることによって調製することができる。
【０１８１】
ポリアルケニルは、モノマー性ジアルケニル、またはモノマー性ジアルケニルの組合せを含むことができる。
【０１８２】
ポリアルケニルは、例えば３〜６のアルケニル官能価を有するモノマー性ポリチオール、または例えば３〜６のアルケニル官能価を有するモノマー性ポリアルケニルの組合せを含むことができる。
【０１８３】
ポリアルケニルは、ポリアルケニルエーテルまたはポリアルケニルエーテルの組合せを含むことができる。ポリアルケニルは、式（１４ａ）のジビニルエーテル、式（１４ｂ）のポリアルケニル多官能化剤、またはこれらの組合せを含むことができる
【化１４】
2020531626.tif 000017
［式中、
各Ｒ２は、Ｃ１〜１０アルカンジイル、Ｃ６〜８シクロアルカンジイル、Ｃ６〜１４アルカンシクロアルカンジイル、および−［（ＣＨＲ３）ｐ−Ｘ−］ｑ（ＣＨＲ３）ｒ−から独立して選択され、ここで、ｐ、ｑ、ｒ、Ｒ３、およびＸは、Ｒ１に関しては定義された通りであり、
ｍは０〜５０の整数であり、
Ｂ２は、ｚ価のポリアルケニル多官能化剤Ｂ２（−Ｒ２０−ＣＨ＝ＣＨ２）ｚのコアを表し、ここで、
ｚは３〜６の整数であり、
各Ｒ２０は、Ｃ１〜１０アルカンジイル、Ｃ１〜１０ヘテロアルカンジイル、置換Ｃ１〜１０アルカンジイル、および置換Ｃ１〜１０ヘテロアルカンジイルから独立して選択される］。
【０１８４】
好適なビス（アルケニル）エーテルの例としては、ジビニルエーテル、エチレングリコールジビニルエーテル（ＥＧ−ＤＶＥ）、ブタンジオールジビニルエーテル（ＢＤ−ＤＶＥ）、ヘキサンジオールジビニルエーテル（ＨＤ−ＤＶＥ）、ジエチレングリコールジビニルエーテル（ＤＥＧ−ＤＶＥ）、トリエチレングリコールジビニルエーテル（ＴＥＧ−ＤＶＥ）、テトラエチレングリコールジビニルエーテル、およびシクロヘキサンジメタノールジビニルエーテルが挙げられる。
【０１８５】
２より大きいアルケニル官能価を有する好適なポリアルケニルの例としては、シアヌル酸トリアリル（ＴＡＣ）、トリアリルイソシアヌレート（ＴＡＩＣ）、１，３，５−トリアリル−１，３，５−トリアジナン−２，４，６−トリオン、１，３−ビス（２−メチルアリル）−６−メチレン−５−（２−オキソプロピル）−１，３，５−トリアジノン−２，４−ジオン、トリス（アリルオキシ）メタン、ペンタエリスリトールトリアリルエーテル、１−（アリルオキシ）−２，２−ビス（（アリルオキシ）メチル）ブタン、２−プロパ−２−エトキシ−１，３，５−トリス（プロパ−２−エニル）ベンゼン、１，３，５−トリス（プロパ−２−エニル）−１，３，５−トリアジナン−２，４−ジオン、および１，３，５−トリス（２−メチルアリル）−１，３，５−トリアジナン−２，４，６−トリオン、１，２，４−トリビニルシクロヘキサン、ならびに前述のいずれかの組合せが挙げられる。
【０１８６】
例えば、本発明によって提供される、チオール−エン官能性（thiol-enefunctionality）を有する共反応性組成物は、末端および／もしくはペンダントオレフィン二重結合、例えば、末端アルケニル基を有する、化合物またはプレポリマーを含むポリエン共反応性成分を含んでもよい。こうした化合物の例としては、（メタ）アクリル官能性（メタ）アクリルコポリマー、エポキシアクリレート、例えば、エポキシ樹脂（メタ）アクリレート（例えば、ビスフェノールＡジグリシジルエーテルとアクリル酸との反応生成物）、ポリエステル（メタ）アクリレート、ポリエーテル（メタ）アクリレート、ポリウレタン（メタ）アクリレート、アミノ（メタ）アクリレート、シリコーン（メタ）アクリレート、およびメラミン（メタ）アクリレートが挙げられる。
【０１８７】
好適なポリウレタン（メタ）アクリレートの例としては、ポリイソシアネート、例えば、イソシアヌレートおよびそのビウレット誘導体を含む、１，６−ヘキサメチレンジイソシアネートおよび／またはイソホロンジイソシアネートと、ヒドロキシアルキル（メタ）アクリレート、例えば、ヒドロキシエチル（メタ）アクリレートおよび／またはヒドロキシプロピル（メタ）アクリレートとの反応生成物が挙げられる。好適なポリエステル（メタ）アクリレートの例は、（メタ）アクリル酸または無水物と、ポリオール、例えば、アルキル化ポリオール、例えば、プロポキシル化ジオールおよびトリオールを含む、ジオール、トリオールおよびテトラオールとの反応生成物である。好適なポリオールの例としては、１，４−ブタンジオール、１，６−ヘキサンジオール、ネオペンチルグリコール、トリメチロールプロパン、ペンタエリスリトールおよびプロポキシル化１，６−ヘキサンジオールが挙げられる。好適なポリエステル（メタ）アクリレートの例としては、グリセロールトリ（メタ）アクリレート、トリメチロールプロパントリ（メタ）アクリレート、ペンタエリスリトールトリ（メタ）アクリレート、およびペンタエリスリトールテトラ（メタ）アクリレートが挙げられる。ポリウレタン（メタ）アクリレートとポリエステル（メタ）アクリレートの混合物を使用してもよい。
【０１８８】
（メタ）アクリレートに加えて、（メタ）アリル化合物またはプレポリマーを、単独でまたは（メタ）アクリレートと組み合わせて使用してもよい。（メタ）アリル化合物の例としては、ポリアリルエーテル、例えば、１，４−ブタンジオールのジアリルエーテルおよびトリメチロールプロパンのアリルエーテルが挙げられる。他の（メタ）アリル化合物の例としては、（メタ）アリル基を含有するポリウレタンが挙げられる。例えば、ポリイソシアネート、例えば、イソシアヌレートおよびそのビウレット誘導体を含む、１，６−ヘキサメチレンジイソシアネートおよび／またはイソホロンジイソシアネートと、ヒドロキシル官能性アリルエーテル、例えば、１，４−ブタンジオールのモノアリルエーテルおよびトリメチロールプロパンのジアリルエーテルとの反応生成物を使用することができる。
【０１８９】
化合物は、ポリエポキシドまたはポリエポキシドの組合せを含むことができる。ポリエポキシドは、モノマー性、プレポリマー、またはこれらの組合せであり得る。
【０１９０】
好適なポリエポキシドの例としては、ヒダントインジエポキシド、ビスフェノールＡのジグリシジルエーテル、ビスフェノールＦのジグリシジルエーテル、ノボラック型ポリエポキシド、エポキシ化不飽和フェノール樹脂、ダイマー酸系エポキシ樹脂、および前述のいずれかの組合せが挙げられる。
【０１９１】
好適なポリエポキシドの他の例としては、ビスフェノールＡ型ポリエポキシド、臭素化ビスフェノールＡ型ポリエポキシド、ビスフェノールＦ型ポリエポキシド、ビフェニル型ポリエポキシド、ノボラック型ポリエポキシド、脂環式ポリエポキシド、ナフタレン型ポリエポキシド、エーテルまたはポリエーテルポリエポキシド、オキシラン環含有ポリブタジエン、およびシリコーンポリエポキシコポリマーが挙げられる。
【０１９２】
好適なポリエポキシドの追加の例としては、例えば、４００ダルトンもしくはそれ未満  ６００ダルトンもしくはそれ未満、１，０００ダルトンもしくはそれ未満、１，２００ダルトンもしくはそれ未満、または１，４００ダルトンもしくはそれ未満の平均分子量を有する、ビスフェノールＡ型ポリエポキシド；分岐多官能性ビスフェノールＡ型ポリエポキシド、例えば、ｐ−グリシジルオキシフェニルジメチルトリルビスフェノールＡジグリシジルエーテル；ビスフェノールＦ型エポキシ樹脂；例えば、５００ダルトンもしくはそれ未満、７００ダルトンもしくはそれ未満、１，０００ダルトンもしくはそれ未満、または１，５００ダルトンもしくはそれ未満の平均分子量を有する、フェノールノボラック型ポリエポキシド；脂環式ポリエポキシド、例えば、ビニル（３，４−シクロヘキセン）ジオキシド、メチル３，４−エポキシシクロヘキシルカルボキシレート（３，４−エポキシシクロヘキシル）、ビス（３，４−エポキシ−６−メチルシクロヘキシルメチル）アジペートおよび２−（３，４−エポキシシクロヘキシル）−５，１−スピロ（３，４−エポキシシクロヘキシル）−ｍ−ジオキサン；ビフェニル型ポリエポキシド、例えば、３，３’，５，５’−テトラメチル−４，４’−ジグリシジルオキシビフェニル；グリシジルエステル型ポリエポキシド、例えば、ジグリシジルヘキサヒドロフタレート、ジグリシジル３−メチルヘキサヒドロフタレートおよびジグリシジルヘキサヒドロテレフタレート；グリシジルアミン型ポリエポキシド、例えば、ジグリシジルアニリン、ジグリシジルトルイジン、トリグリシジル−ｐ−アミノフェノール、テトラグリシジル−ｍ−キシレンジアミン、テトラグリシジルビス（アミノメチル）シクロヘキサン；ヒダントイン型ポリエポキシド、例えば、１，３−ジグリシジル−５−メチル−５−エチルヒダントイン；ならびにナフタレン環含有ポリエポキシドが挙げられる。さらに、シリコーンを有するポリエポキシド、例えば、１，３−ビス（３−グリシドキシ−プロピル）−１，１，３，３−テトラメチルジシロキサンも使用され得る。
【０１９３】
本開示によって提供される組成物およびシーラントでの使用に好適な市販のポリエポキシドの例としては、フェノール化合物のポリグリシジル誘導体、例えば、Ｍｏｍｅｎｔｉｖｅ  Ｓｐｅｃｉａｌｔｙ  Ｃｈｅｍｉｃａｌｓ  Ｉｎｃ．および／またはＲｅｓｏｌｕｔｉｏｎ  Ｐｅｒｆｏｒｍａｎｃｅ  Ｐｒｏｄｕｃｔｓ  ＬＬＣから入手可能な、ＥＰＯＮ（商標）８２４、ＥＰＯＮ（商標）８２５、ＥＰＯＮ（商標）８２６、ＥＰＯＮ（商標）８２７、ＥＰＯＮ（商標）８２８、ＥＰＯＮ（商標）８２９、ＥＰＯＮ（商標）８３０、ＥＰＯＮ（商標）８３４、ＥＰＯＮ（商標）８６２、ＥＰＯＮ（商標）８６３、ＥＰＯＮ（商標）８２８０、ＥＰＯＮ（商標）８２８１、ＥＰＯＮ（商標）８７２、ＥＰＯＮ（商標）樹脂ブレンド、ＥＰＯＮ（商標）１００１−Ａ−８０、ＥＰＯＮ（商標）１００１−Ｂ−８０、ＥＰＯＮ（商標）１００１−ＣＸ−７５、ＥＰＯＮ（商標）１００１−ＤＮＴ−７５、ＥＰＯＮ（商標）１００１−ＦＴ−７５、ＥＰＯＮ（商標）１００１−Ｇ−７０、ＥＰＯＮ（商標）１００１−Ｈ−７５、ＥＰＯＮ（商標）１００１−Ｋ−６５、ＥＰＯＮ（商標）１００１−Ｏ−７５、ＥＰＯＮ（商標）１００１−Ｔ−７５、ＥＰＯＮ（商標）１００１−ＵＶ−７０、ＥＰＯＮ（商標）１００１−Ｘ−７５、ＥＰＯＮ（商標）１００４−Ｏ−６５、ＥＰＯＮ（商標）１００７−ＣＴ−５５、ＥＰＯＮ（商標）１００７−ＦＭＵ−５０、ＥＰＯＮ（商標）１００７−ＨＴ−５５、ＥＰＯＮ（商標）１００９−ＤＵ−４０、ＥＰＯＮ（商標）１００９−ＭＸ−４０、および他のＥＰＯＮ（商標）エポキシ樹脂という商品名で入手可能なもの、ならびにＤｏｗ  Ｃｈｅｍｉｃａｌ  Ｃｏ．から、ＤＥＲ（商標）３３１、ＤＥＲ（商標）３３２、ＤＥＲ（商標）３３４、ＤＥＲ（商標）３５４、ＤＥＲ（商標）３８３およびＤＥＲ（商標）５４２という商品名で入手可能なものが挙げられる。他の好適なポリエポキシドとしては、ポリオールおよびフェノール−ホルムアルデヒドノボラックのポリグリシジル誘導体から調製されたポリエポキシドが挙げられ、後者は、Ｄｏｗ  Ｃｈｅｍｉｃａｌ  Ｃｏｍｐａｎｙから、ＤＥＮ（商標）４３１、ＤＥＮ（商標）４３８、およびＤＥＮ（商標）４３９という商品名で市販されている。クレゾール類似体も、ＥＣＮ（商標）１２３５、ＥＣＮ（商標）１２７３およびＥＣＮ（商標）１２９９が、Ｃｉｂａ  Ｓｐｅｃｉａｌｔｙ  Ｃｈｅｍｉｃａｌｓ，Ｉｎｃ．から市販されている。ＳＵ−８は、Ｒｅｓｏｌｕｔｉｏｎ  Ｐｅｒｆｏｒｍａｎｃｅ  Ｐｒｏｄｕｃｔｓ  ＬＬＣから入手可能なビスフェノールＡ型エポキシノボラックである。アミン、アミノアルコールおよびポリカルボン酸のポリグリシジルアダクトもまた本発明で有用であり、その市販されている樹脂としては、Ｃｉｂａ  Ｓｐｅｃｉａｌｔｙ  Ｃｈｅｍｉｃａｌｓ，Ｉｎｃ．からのＧｌｙａｍｉｎｅ（商標）１３５、Ｇｌｙａｍｉｎｅ（商標）１２５およびＧｌｙａｍｉｎｅ（商標）１１５、ＡＲＡＬＤＩＴＥ（商標）ＭＹ−７２０、ＡＲＡＬＤＩＴＥ（商標）ＭＹ−７２１、ＡＲＡＬＤＩＴＥ（商標）０５００およびＡＲＡＬＤＩＴＥ（商標）０５１０、ならびにＰＧＡ−ＸおよびＰＧＡ−Ｃが挙げられる。
【０１９４】
ビスフェノールＡのジグリシジルエーテルは、ペンダントヒドロキシル基、例えば、１〜１０個のペンダントヒドロキシル基、１〜８個のヒドロキシル基、１〜６個のヒドロキシル基、１〜４個のペンダントヒドロキシル基、または１〜２個のペンダントヒドロキシル基、例えば、１、２、３、４、５、または６個のペンダントヒドロキシル基を含むことができる。ペンダントヒドロキシル基を有するビスフェノールＡのジグリシジルエーテルは、ビスフェノールＡのヒドロキシル官能性ジグリシジルエーテルと呼ぶことができる。ビスフェノールＡのヒドロキシル官能性ジグリシジルエーテルは、４００ダルトン〜１，５００ダルトン、４００ダルトン〜１，０００ダルトンまたは４００ダルトン〜６００ダルトンのエポキシ当量を有することができる。ビスフェノールＡのジグリシジルエーテルは、ヒドロキシル官能性成分のないビスフェノールＡのジグリシジルエーテル、部分的にヒドロキシル官能性であるビスフェノールＡのジグリシジルエーテルを含むことができるか、または、ビスフェノールＡのジグリシジルエーテルすべてがヒドロキシル官能性であり得る。
【０１９５】
本開示によって提供されるある特定の共反応性組成物は、マイケル付加反応性成分を用いてもよい。マイケル付加硬化化学を用いる共反応性組成物は、マイケル受容体化合物およびマイケル供与体化合物を含むことができる。
【０１９６】
マイケル受容体化合物は、マイケル受容体モノマー、マイケル受容体プレポリマー、またはこれらの組合せを含むことができる。マイケル受容体化合物は、２のマイケル受容体官能価、３〜６のマイケル受容体官能価、またはこれらの組合せを有するマイケル受容体化合物を含むことができる。
【０１９７】
マイケル供与体化合物は、マイケル供与体モノマー、マイケル供与体プレポリマー、またはこれらの組合せを含むことができる。マイケル供与体化合物は、２のマイケル供与体官能価、３〜６のマイケル供与体官能価、またはこれらの組合せを有するマイケル供与体化合物を含むことができる。
【０１９８】
反応性成分は、第１級アミン官能性成分、およびアクリレート、マレイン、またはフマル官能性成分を含んでもよい。有用な第１級アミン官能性成分である化合物としては、例えば、プロピレンオキシド、エチレンオキシド、またはこれらの混合物に由来し、主鎖に結合する、２つまたはそれより多い第１級アミン基を含有するポリオキシアルキレンアミンが挙げられる。こうしたアミンの例としては、Ｈｕｎｔｓｍａｎ  Ｃｏｒｐｏｒａｔｉｏｎから、Ｊｅｆｆａｍｉｎｅ（商標）という名称で入手可能なものが挙げられる。こうしたアミンは、例えば、Ｊｅｆｆａｍｉｎｅ（商標）Ｄ−２３０、Ｄ−４００、Ｄ−２０００、Ｔ−４０３およびＴ−５０００のように、２００ダルトン〜７５００ダルトンの範囲の分子量を有することができる。アクリレート官能性成分として有用な化合物としては、（ポリ）メタクリレートの実施形態として前に列挙したアクリレート官能性成分が挙げられる。マレインまたはフマル成分として有用な化合物としては、無水マレイン酸、マレイン酸、フマル酸、またはそれらの対応するＣ１〜６アルキルエステルから調製された、ポリエステルが挙げられる。
【０１９９】
マイケル受容体基は、活性化されたアルケニル基、例えば、電子求引性基、例えば、ケトン、ニトロ、ハロ、ニトリル、カルボニル、またはニトロ基に近位のアルケニル基を指す。マイケル受容体基の例としては、ビニルケトン、ビニルスルホン、キノン、エナミン、ケチミン、アルジミン、オキサゾリジン、アクリレート、アクリレートエステル、アクリロニトリル、アクリルアミド、マレイミド、アルキルメタクリレート、ビニルホスホネート、およびビニルピリジンが挙げられる。
【０２００】
マイケル付加化学用触媒の好適な例としては、トリブチルホスフィン、トリイソブチルホスフィン、トリ−ｔｅｒｔ−ブチルホスフィン、トリオクチルホスフィン、トリス（２，４，４−トリメチルペンチル）ホスフィン、トリシクロペンチルホスフィン、トリシクロヘキシルホスフィン（tricyclohexalphosphine）、トリ−ｎ−オクチルホスフィン、トリ−ｎ−ドデシルホスフィン、トリフェニルホスフィン、およびジメチルフェニルホスフィンが挙げられる。
【０２０１】
マイケル供与体としては、アミン、ヒドロキシル基含有オリゴマーまたはポリマー、アセトアセテート、マロネート、および前述のいずれかの組合せが挙げられる。
【０２０２】
好適なマイケル供与体、マイケル受容体および好適な触媒の例を表２に示す。
【表２】
2020531626.tif 000018
【０２０３】
例えば、マイケル供与体は、アセチルアセトネートモノマーおよび／またはアセチルアセトネートプレポリマーを含むことができ、マイケル受容体は、（メチル）アクリレートモノマーおよび／または（メタ）アクリレートプレポリマーを含むことができ、触媒は、ＤＢＵ、ＤＢＮ、ＴＭＧ、ＴＭＰ、ＴＢＤ、または前述のいずれかの組合せを含むことができる。例えば、マイケル供与体は、マロネートモノマーおよび／またはマロネートプレポリマーを含むことができ、マイケル受容体は、シアノアクリレートモノマーおよび／またはシアノアクリレートプレポリマーを含むことができ、触媒は、求核性触媒、例えば、ジメチルフェニルホスフィンを含むことができる。例えば、マイケル供与体は、ニトロアルカンモノマーおよび／またはニトロアルカンプレポリマーを含むことができ、マイケル受容体は、ビニルエーテルモノマーおよび／またはビニルエーテルプレポリマーを含むことができ、触媒はフッ化テトラブチルアンモニウムを含むことができる。例えば、マイケル供与体は、活性メチレン基を含むモノマーおよび／またはプレポリマーを含むことができ、マイケル受容体は、ビニルピリジンを含むモノマーおよび／またはプレポリマーを含むことができる。
【０２０４】
三次元物体を生成するのに使用される共反応性組成物は、様々な添加物、例えば、レオロジー改質剤（例えば、シリカまたは他のフィラー）、流れ制御剤、可塑剤、熱安定剤、紫外線安定剤、湿潤剤、分散助剤、脱泡剤、フィラー、反応性希釈剤、難燃剤、触媒、顔料、溶媒、接着促進剤、および前述のいずれかの組合せを含むことができる。さらに、熱硬化性組成物の三次元印刷は、印刷プロセス中に暫定的な構造の完全性を物体に提供するために、型内での熱硬化性組成物の堆積を含むことができる。
【０２０５】
混合および押出しを含む印刷運転を制御および／または促進するために、添加物または添加物の組合せを使用することができる。例えば、添加物は、粘度、混合、疎水性、親水性、レオロジー、または前述のいずれかの組合せを制御することができる。
【０２０６】
作られた物体に、例えば、熱伝導度、電気伝導度、ＥＭＩ／ＲＦＩ遮蔽能力、軽量、低密度、高い引張強度、高い％伸び、難燃性、耐炎性、帯電防止特性、所望の弾性率、耐溶媒性、または前述のいずれかの組合せを含む、１つまたは複数の所望の特性を付与するために、添加物または添加物の組合せを使用することができる。
【０２０７】
共反応性組成物は、様々な添加物、例えば、レオロジー改質剤（例えば、シリカまたは他の粒子状フィラー）、流れ制御剤、可塑剤、安定剤、湿潤剤、分散助剤、消泡剤、顔料および他の着色剤、難燃剤、接着促進剤、触媒、または他の性能もしくは特性改質剤、例えば、バリアもしくは耐食性を付与する必要がある場合、硫酸バリウム、クレーもしくはマグネシウム化合物を含むことができる。
【０２０８】
組成物は、シーラントとして配合され得る。配合されるとは、硬化した高分子網目を形成する反応性化学種に加えて、追加の材料を組成物に添加して、未硬化のシーラントおよび／または硬化したシーラントに所望の特性を付与できることを意味する。未硬化のシーラントの場合は、これらの特性は、粘度、ｐＨ、および／またはレオロジーを含むことができる。硬化したシーラントの場合は、これらの特性は、重量、接着性、耐食性、色、ガラス転移温度、電気伝導度、凝集力、ならびに／または物理的特性、例えば、引張強度、伸び、および硬度を含むことができる。本開示によって提供される組成物は、航空宇宙シーラントでの使用に好適で、かつ使用条件下で硬化したシーラントの所望の性能特徴に少なくとも部分的に依存する、１つまたは複数の追加の成分を含んでもよい。
【０２０９】
熱硬化性組成物は、熱可塑性組成物と比較して低い粘度を有することができるので、高いフィラー濃度を使用することが可能である。高いフィラー濃度は、完成した物体の特性、例えば、完成した物体の機械的、熱的、および／または電気的特性を修正するために使用することができる。したがって、三次元熱硬化性組成物の使用によって促進される高いフィラー濃度の使用によって、三次元印刷のデザインの可能性を大きく拡大することができる。そのうえ、熱硬化性組成物は、優れた耐溶媒性および耐薬品性を有して提供され得る。
【０２１０】
作られた物体の特性を決定することに加えて、ある特定のプロセッシング特徴を決定するために、フィラーまたはフィラーの組合せを共反応性成分に添加することができる。例えば、成分の粘度、成分のレオロジーを調整するために、共反応性成分の混合を促進するために、共反応性成分の反応中に発生する発熱量を制御するために、または前述のいずれかの組合せで、フィラーを添加することができる。
【０２１１】
成分、共反応性組成物、および作られた物体は、例えば、０．１ｗｔ％〜９５ｗｔ％、１ｗｔ％〜９０ｗｔ％、２ｗｔ％〜８０ｗｔ％、５ｗｔ％〜７０ｗｔ％、１０ｗｔ％〜６０ｗｔ％、１５ｗｔ％〜５０ｗｔ％、または２０ｗｔ％〜４０ｗｔ％のフィラー含量を有することができ、ｗｔ％は成分、共反応性組成物または作られた物体の全重量に基づく。
【０２１２】
成分、共反応性組成物、および作られた物体は、例えば、０．１ｖｏｌ％〜９５ｖｏｌ％、１ｖｏｌ％〜９０ｖｏｌ％、２ｖｏｌ％〜８０ｖｏｌ％、５ｖｏｌ％〜７０ｖｏｌ％、１０ｖｏｌ％〜６０ｖｏｌ％、１５ｖｏｌ％〜５０ｖｏｌ％、または２０ｖｏｌ％〜４０ｖｏｌ％のフィラー含量を有することができ、ｖｏｌ％は成分、共反応性組成物または作られた物体の総体積に対するものである。
【０２１３】
本開示によって提供される共反応性組成物は、フィラーまたはフィラーの組合せを含むことができる。フィラーは、例えば、無機フィラー、有機フィラー、低密度フィラー、電気伝導性フィラー、または前述のいずれかの組合せを含むことができる。フィラーは、有機フィラー、無機フィラー、電気伝導性フィラー、低密度フィラー、または前述のいずれかの組合せを含むことができる。例えば、硬化した組成物の物理的特性を改善するために、硬化した組成物の重量を低減するために、および／または組成物に電気伝導度を付与するために、フィラーを組成物に添加することができる。
【０２１４】
フィラーは、有機フィラー、無機フィラー、金属フィラーおよび前述のいずれかの組合せを含むことができる。
【０２１５】
本開示によって提供される組成物に有用な、ならびに航空および航空宇宙用途に有用な無機フィラーとしては、カーボンブラック、炭酸カルシウム、沈降炭酸カルシウム、水酸化カルシウム、アルミナ水和物（水酸化アルミニウム）、ヒュームドシリカ、シリカ、沈降シリカ、シリカゲル、および前述のいずれかの組合せが挙げられる。例えば、無機フィラーは、炭酸カルシウムとヒュームドシリカの組合せを含むことができ、炭酸カルシウムおよびヒュームドシリカは処理および／または未処理であり得る。無機フィラーは炭酸カルシウムおよびヒュームドシリカを含むことができる。
【０２１６】
無機フィラーは、被覆または非被覆であり得る。例えば、無機フィラーは疎水性材料、例えば、ポリジメチルシロキサンの被覆で被覆され得る。
【０２１７】
好適な炭酸カルシウムフィラーとしては、生成物、例えば、Ｓｏｌｖａｙ  Ｓｐｅｃｉａｌ  Ｃｈｅｍｉｃａｌｓから入手可能な、Ｓｏｃａｌ（登録商標）３１、Ｓｏｃａｌ（登録商標）３１２、Ｓｏｃａｌ（登録商標）Ｕ１Ｓ１、Ｓｏｃａｌ（登録商標）ＵａＳ２、Ｓｏｃａｌ（登録商標）Ｎ２Ｒ、Ｗｉｎｎｏｆｉｌ（登録商標）ＳＰＭ、およびＷｉｎｎｏｆｉｌ（登録商標）ＳＰＴが挙げられる。炭酸カルシウムフィラーは、沈降炭酸カルシウムの組合せを含むことができる。
【０２１８】
無機フィラーと、共反応性組成物の他の成分との分散および適合性を促進することができる、疎水性または親水性表面を提供するために、無機フィラーを表面処理することができる。
【０２１９】
組成物に有用な無機フィラーとしては、カーボンブラック、炭酸カルシウム、沈降炭酸カルシウム、水酸化カルシウム、アルミナ水和物（水酸化アルミニウム）、ヒュームドシリカ、シリカ、沈降シリカ、シリカゲル、および前述のいずれかの組合せが挙げられる。例えば、無機フィラーは、炭酸カルシウムとヒュームドシリカの組合せを含むことができ、炭酸カルシウムおよびヒュームドシリカは処理および／または未処理であり得る。
【０２２０】
無機フィラーは、被覆または非被覆であり得る。例えば、無機フィラーは疎水性材料、例えば、ポリジメチルシロキサンの被覆で被覆され得る。
【０２２１】
本開示によって提供される組成物は、シリカゲルまたはシリカゲルの組合せを含むことができる。好適なシリカゲルとしては、ＰＱ  Ｃｏｒｐｏｒａｔｉｏｎから入手可能なＧａｓｉｌ（登録商標）シリカゲル、ならびに富士シリシア化学株式会社から入手可能なＳｙｌｙｓｉａ（登録商標）、ＣａｒｉＡｃｔ（登録商標）、およびＳｙｌｏｍａｓｋ（登録商標）シリカゲルが挙げられる。
【０２２２】
好適な有機フィラーは、硫黄含有ポリマーマトリクスに対して許容できる接着性を有することもできる。有機フィラーは、固体粒子、中空粒子、またはこれらの組合せを含むことができる。粒子は一般に球状（粉末と呼ばれる）、一般に非球状（微粒子と呼ばれる）、またはこれらの組合せであり得る。
【０２２３】
粒子は、ＡＳＴＭ  Ｅ−２６５１−１３に従って決定された、例えば、１００μｍ未満、５０μｍ未満、４０μｍ未満、３０μｍ未満、または２５μｍ未満の平均粒子径を有することができる。粉末は、０．２５μｍ〜１００μｍ、０．５μｍ〜５０μｍ、０．５μｍ〜４０μｍ、０．５μｍ〜３０μｍ、０．５μｍ〜２０μｍ、または０．１μｍ〜１０μｍの範囲の平均粒子径を有する粒子を含むことができる。フィラー粒子は、例えば、１ｎｍ〜１００ｎｍの平均粒子径によって特徴付けられる粒子を含む、ナノ粉末を含むことができる。
【０２２４】
有機フィラーは、例えば、１．６未満、１．４未満、１．１５未満、１．１未満、１．０５未満、１未満、０．９５未満、０．９未満、０．８未満、または０．７未満の比重を有することができ、比重はＩＳＯ７８７（パート１０）に従って決定される。有機フィラーは、例えば、０．８５〜１．６の範囲内、０．８５〜１．４の範囲内、０．８５〜１．１の範囲内、０．９〜１．０５の範囲内、または０．９〜１．０５の比重を有することができ、比重はＩＳＯ７８７（パート１０）に従って決定される。
【０２２５】
有機フィラーは、熱可塑性樹脂、熱硬化性樹脂、またはこれらの組合せを含むことができる。好適な有機フィラーの例としては、エポキシ、エポキシ−アミド、ＥＴＦＥコポリマー、ポリエチレン、ポリプロピレン、ポリ塩化ビニリデン、ポリフッ化ビニル、ＴＦＥ、ポリアミド、ポリイミド、エチレンプロピレン（ethylene propylene）、パーフルオロ炭化水素、フルオロエチレン、ポリカーボネート、ポリエーテルエーテルケトン、ポリエーテルケトン、ポリフェニレンオキシド、ポリフェニレンスルフィド、ポリエーテルスルホン、熱可塑性コポリエステル、ポリスチレン、ポリ塩化ビニル、メラミン、ポリエステル、フェノール樹脂、エピクロロヒドリン、フッ素化炭化水素、多環式化合物、ポリブタジエン、ポリクロロプレン、ポリイソプレン、ポリスルフィド、ポリウレタン、イソブチレンイソプレン、シリコーン、スチレンブタジエン、液晶ポリマー、および前述のいずれかの組合せが挙げられる。
【０２２６】
好適な有機フィラーの例としては、ポリアミド、例えば、ポリアミド６およびポリアミド１２、ポリイミド、ポリエチレン、ポリフェニレンスルフィド、ポリエーテルスルホン、ポリスルホン、ポリエーテルイミド、ポリフッ化ビニル、熱可塑性コポリエステル、ならびに前述のいずれかの組合せが挙げられる。
【０２２７】
好適なポリアミド６およびポリアミド１２粒子の例は、東レプラスチックスから、グレードＳＰ−５００、ＳＰ−１０、ＴＲ−１およびＴＲ−２として入手可能である。好適なポリアミドは、Ａｒｋｅｍａ  ＧｒｏｕｐからＯｒｇａｓｏｌ（登録商標）という商品名で、およびＥｖｏｎｉｋ  ＩｎｄｕｓｔｒｉｅｓからＶｅｓｔｏｓｉｎ（登録商標）という商品名で入手可能である。例えば、Ｇａｎｚｐｅａｒｌ（登録商標）ポリアミド、例えば、Ｇａｎｚｐｅａｒｌ（登録商標）ＧＰＡ−５５０およびＧＰＡ−７００は、Ｐｅｒｓｐｅｒｓｅ  Ｓａｋａｉ  Ｔｒａｄｉｎｇ、Ｎｅｗ  Ｙｏｒｋ、ＮＹから入手可能である。
【０２２８】
好適なポリイミドフィラーの例は、Ｅｖｏｎｉｋ  ＩｎｄｕｓｔｒｉｅｓからＰ８４（登録商標）ＮＴという商品名で入手可能である。
【０２２９】
有機フィラーは、ポリエチレン、例えば、酸化ポリエチレン粉末を含むことができる。好適なポリエチレンは、例えば、Ｈｏｎｅｙｗｅｌｌ  Ｉｎｔｅｒｎａｔｉｏｎａｌ，Ｉｎｃ．からＡＣｕｍｉｓｔ（登録商標）という商品名で、ＩＮＥＯＳからＥｌｔｒｅｘ（登録商標）という商品名で、三井化学アメリカからＭｉｐｅｌｏｎ（商標）という商品名で入手可能である。
【０２３０】
有機フィラー、例えば、ポリフェニレンスルフィドの航空宇宙シーラントでの使用は、米国特許第９，４２２，４５１号に開示されており、これは参照によりそのすべてが組み込まれる。ポリフェニレンスルフィドは、寸法安定性、耐薬品性、ならびに腐食および高温環境に対する耐性を示す、熱可塑性エンジニアリング樹脂である。ポリフェニレンスルフィドエンジニアリング樹脂は、例えば、Ｒｙｔｏｎ（登録商標）（Ｃｈｅｖｒｏｎ）、Ｔｅｃｈｔｒｏｎ（登録商標）（Ｑｕａｄｒａｎｔ），Ｆｏｒｔｒｏｎ（登録商標）（Ｃｅｌａｎｅｓｅ）、およびＴｏｒｅｌｉｎａ（登録商標）（東レ）という商品名で市販されている。ポリフェニレンスルフィド樹脂は、約１．３〜約１．４の比重によって一般に特徴付けられ、比重はＩＳＯ７８７（パート１０）に従って決定される。１．３４ｇ／ｃｍ３の密度、および０．２μｍ〜０．２５μｍの平均粒子径（水中、またはイソプロパノール中０．４μｍ〜０．５μｍ）を有するポリフェニレンスルフィド粒子は、東レ株式会社から入手可能である。
【０２３１】
ポリエーテルスルホン粒子は、東レ株式会社から入手可能であり、これは１．３７ｇ／ｃｍ３の密度、および５μｍ〜６０μｍの平均粒子径を有する。
【０２３２】
熱可塑性コポリエステル粒子は、東レ株式会社から得ることができる。
【０２３３】
有機フィラーは、任意の好適な形状を有することができる。例えば、有機フィラーは、所望の大きさの範囲に選別された、粉砕されたポリマーのフラクションを含むことができる。有機フィラーは、実質的に球状粒子を含むことができる。粒子は、非多孔質または多孔質であり得る。多孔質粒子は、内部表面を画定する開口チャネルのネットワークを有することができる。
【０２３４】
有機フィラーは、例えば、１．１５未満、１．１未満、１．０５未満、１未満、０．９５未満、０．９未満、０．８未満、または０．７未満の比重を有することができる。有機フィラーは、例えば、０．８５〜１．１５の範囲内、０．９〜１．１の範囲内、０．９〜１．０５の範囲内、または０．８５〜１．０５の比重を有することができる。
【０２３５】
フィラーは金属を含むことができる。
【０２３６】
フィラーは、電気伝導性フィラーまたは電気伝導性フィラーの組合せを含むことができる。好適な電気伝導性フィラーの例としては、ニッケル粉末、黒鉛、ニッケル被覆黒鉛、ステンレススチール、または前述のいずれかの組合せが挙げられる。
【０２３７】
本開示によって提供される組成物は、電気伝導性フィラーを含むことができる。ポリマー内に電気伝導性材料を組み込むことによって、電気伝導度およびＥＭＩ／ＲＦＩ遮蔽効果を組成物に付与することができる。電気伝導性要素は、例えば、金属または金属めっきした粒子、布地、メッシュ、繊維、およびこれらの組合せを含むことができる。金属は、例えば、フィラメント、粒子、フレークまたは球の形態であり得る。金属の例としては、銅、ニッケル、銀、アルミニウム、スズ、およびスチールが挙げられる。電気伝導度およびＥＭＩ／ＲＦＩ遮蔽効果をポリマー組成物に付与するために使用することができる他の電気伝導性材料としては、炭素もしくは黒鉛を含む電気伝導性粒子または繊維が挙げられる。電気伝導性ポリマー、例えば、ポリチオフェン、ポリピロール、ポリアニリン、ポリ（ｐ−フェニレン）ビニレン、ポリフェニレンスルフィド、ポリフェニレン、および、ポリアセチレンも使用することができる。電気伝導性フィラーとしては、高バンドギャップ材料、例えば、硫化亜鉛および無機バリウム化合物も挙げられる。
【０２３８】
電気伝導性フィラーの他の例としては、電気伝導性貴金属系フィラー、例えば、純銀；貴金属めっき貴金属、例えば、銀めっき金；貴金属めっき非貴金属、例えば、銀めっき銅（cooper）、ニッケルまたはアルミニウム、例えば、銀めっきアルミニウムコア粒子または、白金めっき銅粒子；貴金属めっきガラス、プラスチックまたはセラミックス、例えば、銀めっきガラスマイクロスフェア、貴金属めっきアルミニウムまたは貴金属めっきプラスチックマイクロスフェア；貴金属めっきマイカ；および他のこうした貴金属めっき電気伝導性フィラーが挙げられる。非貴金属系材料も使用することができ、例えば、非貴金属めっき非貴金属、例えば、銅被覆鉄粒子またはニッケルめっき銅；非貴金属、例えば、銅、アルミニウム、ニッケル、コバルト；非貴金属めっき非金属、例えば、ニッケルめっき黒鉛ならびに非金属材料、例えば、カーボンブラックおよび黒鉛が挙げられる。所望の電気伝導性、ＥＭＩ／ＲＦＩ遮蔽効果、硬度、および特定の用途に好適な他の特性を満たすために、電気伝導性フィラーの組合せも使用することができる。
【０２３９】
本開示の組成物で使用される電気伝導性フィラーの形状および大きさは、電気伝導度およびＥＭＩ／ＲＦＩ遮蔽効果を硬化した組成物に付与するように、任意の適切な形状および大きさであり得る。例えば、フィラーは、球状、フレーク、プレートレット、粒子、粉末、不規則物、繊維等を含む、電気伝導性フィラーの製造で一般に使用される任意の形状であり得る。本開示のある特定のシーラント組成物では、ベース組成物は、粒子、粉末またはフレークとしてＮｉ被覆黒鉛を含むことができる。ベース組成物中のＮｉ被覆黒鉛の量は、ベース組成物の全重量に対して、４０ｗｔ％〜８０ｗｔ％の範囲、または５０ｗｔ％〜７０ｗｔ％の範囲であってもよい。電気伝導性フィラーは、Ｎｉ繊維を含むことができる。Ｎｉ繊維は、１０μｍ〜５０μｍの範囲の直径を有することができ、２５０μｍ〜７５０μｍの範囲の長さを有することができる。ベース組成物は、ベース組成物の全重量に対して、例えば、２ｗｔ％〜１０ｗｔ％、または４ｗｔ％〜８ｗｔ％の範囲のＮｉ繊維の量を含むことができる。
【０２４０】
炭素繊維、特に黒鉛化炭素繊維も、本開示の組成物に電気伝導度を付与するために使用することができる。気相熱分解法によって形成され、熱処理によって黒鉛化された、０．１ミクロン〜数ミクロンの範囲の繊維径を有する、中空または中実の炭素繊維は、高い電気伝導度を有する。米国特許第６，１８４，２８０号に開示されているように、０．１μｍ未満〜数十ナノメートルの外径を有する炭素マイクロファイバー、ナノチューブまたは炭素フィブリルは、電気伝導性フィラーとして使用することができる。本開示の電気伝導性組成物に好適な黒鉛化炭素繊維の例としては、０．０００５５Ω−ｃｍの電気抵抗率を有する０．９２１μｍ直径の円形繊維である、Ｐａｎｅｘ（登録商標）３ＯＭＦ（Ｚｏｌｔｅｋ  Ｃｏｍｐａｎｉｅｓ，Ｉｎｃ．、Ｓｔ．Ｌｏｕｉｓ、Ｍｏ．）が挙げられる。
【０２４１】
電気伝導性フィラーの平均粒径は、ポリマー系組成物に電気伝導度を付与するのに有用な範囲内であり得る。例えば、１種または複数のフィラーの粒径は、０．２５μｍ〜２５０μｍの範囲、０．２５μｍ〜７５μｍの範囲、または０．２５μｍ〜６０μｍの範囲であってもよい。本開示によって提供される組成物は、１，０００ｍｇ／ｇ〜１１，５００ｍｇ／ｇのヨウ素吸収（Ｊ０／８４−５試験法）、および４８０ｃｍ３／１００ｇ〜５１０ｃｍ３／１００ｇの細孔体積（ＤＢＰ吸収、ＫＴＭ８１−３５０４）によって特徴付けられる電気伝導性カーボンブラック、Ｋｅｔｊｅｎｂｌａｃｋ（登録商標）ＥＣ−６００ＪＤ（ＡｋｚｏＮｏｂｅｌ，Ｉｎｃ．、Ｃｈｉｃａｇｏ、Ｉｌｌ．）を含むことができる。電気伝導性カーボンブラックフィラーは、Ｂｌａｃｋ  Ｐｅａｒｌｓ（登録商標）２０００（Ｃａｂｏｔ  Ｃｏｒｐｏｒａｔｉｏｎ、Ｂｏｓｔｏｎ、ＭＡ）である。
【０２４２】
本開示の組成物は、１を超える電気伝導性フィラー含むことができ、１を超える電気伝導性フィラーは、同じまたは異なる材料および／もしくは形状であり得る。例えば、シーラント組成物は、電気伝導性Ｎｉ繊維、および粉末、粒子またはフレークの形態にある電気伝導性Ｎｉ被覆黒鉛を含むことができる。電気伝導性フィラーの量および種類は、硬化した場合、０．５０Ω／ｃｍ２未満のシート抵抗（４点抵抗）、または０．１５Ω／ｃｍ２未満のシート抵抗を示すシーラント組成物を生成するように選択することができる。フィラーの量および種類は、本開示のシーラント組成物を使用して密封された開口部に対して、１ＭＨｚ〜１８ＧＨｚの周波数範囲にわたって、有効なＥＭＩ／ＲＦＩ遮蔽をもたらすようにも選択することができる。
【０２４３】
有機フィラーは、低密度フィラー、例えば、膨張熱可塑性マイクロカプセルおよび／または修正膨張熱可塑性マイクロカプセルを含むことができる。好適な修正膨張熱可塑性マイクロカプセルは、メラミンまたは尿素／ホルムアルデヒド樹脂の外部被覆を含むことができる。フィラーは、例えば、０．７未満、０．３未満、または０．１未満の比重によって特徴付けられる低密度フィラーであり得る。低密度フィラーの使用によって、例えば、０．８〜１、または０．７〜０．９の低比重を有する三次元印刷物体を提供することができる。
【０２４４】
熱膨張性マイクロカプセルは、所定温度で膨張する揮発性材料を含む中空シェルを指す。熱膨張性熱可塑性マイクロカプセルは、５μｍ〜７０μｍ、時には１０μｍ〜２４μｍ、または１０μｍ〜１７μｍの平均初期粒径を有することができる。「平均初期粒径」という用語は、任意の膨張前のマイクロカプセルの平均粒径（粒径分布の数的加重平均）を指す。粒径分布は、Ｆｉｓｃｈｅｒ  Ｓｕｂ−Ｓｉｅｖｅ  Ｓｉｚｅｒを使用して決定することができる。
【０２４５】
熱膨張性熱可塑性マイクロカプセルは、熱可塑性樹脂の壁内に揮発性炭化水素または揮発性ハロゲン化炭化水素を含むことができる。こうしたマイクロカプセルで使用するのに好適な炭化水素の例としては、塩化メチル、臭化メチル、トリクロロエタン、ジクロロエタン、ｎ−ブタン、ｎ−ヘプタン、ｎ−プロパン、ｎ−ヘキサン、ｎ−ペンタン、イソブタン、イソペンタン、イソオクタン、ネオペンタン、石油エーテル、およびフッ素含有脂肪族炭化水素、例えば、Ｆｒｅｏｎ（商標）、ならびに前述のいずれかの組合せが挙げられる。
【０２４６】
熱膨張性マイクロカプセルの壁を形成するのに好適な材料の例としては、塩化ビニリデン、アクリロニトリル、スチレン、ポリカーボネート、メタクリル酸メチル、アクリル酸エチル、および酢酸ビニルのポリマー、これらのモノマーのコポリマー、ならびにポリマーおよびコポリマーの組合せが挙げられる。熱膨張性マイクロカプセルの壁を形成する材料とともに、架橋剤は含まれ得る。
【０２４７】
好適な熱可塑性マイクロカプセルの例としては、ＡｋｚｏＮｏｂｅｌから入手可能なＥｘｐａｎｃｅｌ（商標）マイクロカプセル、例えば、Ｅｘｐａｎｃｅｌ（商標）ＤＥマイクロスフェアが挙げられる。好適なＥｘｐａｎｃｅｌ（商標）ＤＥマイクロスフェアの例としては、Ｅｘｐａｎｃｅｌ（商標）９２０ＤＥ４０およびＥｘｐａｎｃｅｌ（商標）９２０ＤＥ８０が挙げられる。好適な低密度マイクロカプセルは、株式会社クレハからも入手可能である。
【０２４８】
低密度マイクロカプセルは、例えば、０．０１〜０．０９、０．０４〜０．０９の範囲内、０．０４〜０．０８の範囲内、０．０１〜０．０７の範囲内、０．０２〜０．０６の範囲内、０．０３〜０．０５の範囲内、０．０５〜０．０９の範囲内、０．０６〜０．０９、または０．０７〜０．０９の範囲内の比重によって特徴づけることができ、比重はＩＳＯ７８７（パート１０）に従って決定される。低密度マイクロカプセルは、例えば、０．１未満、０．０９未満、０．０８未満、０．０７未満、０．０６未満、０．０５未満、０．０４未満、０．０３未満、または０．０２未満の比重によって特徴づけることができ、比重はＩＳＯ７８７（パート１０）に従って決定される。
【０２４９】
低密度マイクロカプセルは、１μｍ〜１００μｍの平均粒子径によって特徴づけることができ、実質的に球状の形状を有することができる。低密度マイクロカプセルは、例えば、１０μｍ〜１００μｍ、１０μｍ〜６０μｍ、１０μｍ〜４０μｍ、または１０μｍ〜３０μｍの、ＡＳＴＭ  Ｅ−２６５１−１３に従って決定される平均粒子径によって特徴づけることができる。
【０２５０】
低密度フィラーは、非被覆マイクロカプセル、被覆マイクロカプセル、またはこれらの組合せを含むことができる。
【０２５１】
低密度フィラー、例えば、低密度マイクロカプセルは、アミノプラスト樹脂、例えば、メラミン樹脂の被覆を有する膨張マイクロカプセルを含むことができる。アミノプラスト樹脂被覆粒子は、例えば、米国特許第８，９９３，６９１号に記述されており、これは参照によりそのすべてが組み込まれる。こうしたマイクロカプセルは、熱可塑性シェルで包囲された発泡剤を含むマイクロカプセルを、加熱することによって形成することができる。非被覆低密度マイクロカプセルは、アミノプラスト樹脂、例えば、尿素／ホルムアルデヒド樹脂と反応して、粒子の外表面に熱硬化性樹脂の被覆を提供することができる。
【０２５２】
低密度フィラー、例えば、低密度マイクロカプセルは、アミノプラスト樹脂、例えば、メラミン樹脂の外部被覆を有する熱膨張性熱可塑性のマイクロカプセルを含むことができる。被覆低密度マイクロカプセルは、メラミン樹脂の外部被覆を有することができ、被覆は、例えば、２μｍ未満、１μｍ未満、または０．５μｍ未満の厚みを有することができる。軽量マイクロカプセル上のメラミン被覆は、マイクロカプセルをチオール末端化ポリチオエーテルプレポリマーおよび／または硬化剤と反応性にすると考えられ、これは耐燃料油性を高め、マイクロカプセルを耐圧性にする。
【０２５３】
アミノプラスト樹脂の薄い被覆は、２５μｍ未満、２０μｍ未満、１５μｍ未満、または５μｍ未満の膜厚を有することができる。アミノプラスト樹脂の薄い被覆は、少なくとも０．１ｎｍ、例えば少なくとも１０ｎｍ、または少なくとも１００ｎｍ、または、時には少なくとも５００ｎｍの膜厚を有することができる。
【０２５４】
アミノプラスト樹脂は、ホルムアルデヒドと、アミノ基またはアミド基を持つ物質との縮合生成物に基づくことができる。縮合生成物は、アルコールおよびホルムアルデヒドと、メラミン、尿素またはベンゾグアナミンとの反応から得ることができる。他のアミンおよびアミドの縮合生成物、例えば、トリアジン、ジアジン、トリアゾール、グアニジン、グアナミンのアルデヒド縮合物、ならびに、アルキルおよびアリール置換尿素とアルキルおよびアリール置換メラミンとを含む、こうした化合物のアルキルおよびアリール置換誘導体も用いることができる。こうした化合物の例としては、Ｎ，Ｎ’−ジメチル尿素、ベンゾ尿素、ジシアンジアミド、ホルマグアナミン（formaguanamine）、アセトグアナミン、グリコールウリル、アンメリン（ammeline）、２−クロロ−４，６−ジアミノ−１，３，５−トリアジン、６−メチル−２．４−ジアミノ−１，３，５−トリアジン、３，５−ジアミノトリアゾール、トリアミノピリミジン、２−メルカプト−４，６−ジアミノピリミジンおよび３，４，６−トリス（エチルアミノ）−１，３，５トリアジンが挙げられる。好適なアミノプラスト樹脂は、他のアルデヒド、例えば、アセトアルデヒド、クロトンアルデヒド、アクロレイン、ベンズアルデヒド、フルフラール、およびグリオキサールの縮合生成物に基づくこともできる。
【０２５５】
アミノプラスト樹脂は、３．７５未満、例えば、３．０未満、または２．０未満の重合度を有する、高度アルキル化、低イミノアミノプラスト樹脂を含むことができる。数平均重合度は、１つのポリマー鎖当たりの構造単位の平均数として定義することができる。例えば、１．０の重合度は、完全にモノマー性のトリアジン構造を示し、一方、２．０の重合度は、メチレンまたはメチレン−オキシ架橋によって結合された２つのトリアジン環を示す。重合度は、ポリスチレン標準物質を使用するゲル浸透クロマトグラフィーによって決定される、平均の重合度値を表す。
【０２５６】
アミノプラスト樹脂は、メチロールまたは他のアルキロール基を含有することができ、少なくともアルキロール基の一部は、アルコールとの反応によってエーテル化され得る。好適な１価アルコールの例としては、アルコール、例えば、メタノール、エタノール、プロパノール、ブタノール、ペンタノール、ヘキサノール、ヘプタノール、ベンジルアルコール、他の芳香族アルコール、環状アルコール、例えばシクロヘキサノール、グリコールのモノエーテル、ならびにハロゲン置換または他の置換アルコール、例えば、３−クロロプロパノールおよびブトキシエタノールが挙げられる。アミノプラスト樹脂は、実質的にメタノールまたはブタノールでアルキル化され得る。
【０２５７】
アミノプラスト樹脂は、メラミン樹脂を含むことができる。好適なメラミン樹脂の例としては、メチル化メラミン樹脂（ヘキサメトキシメチルメラミン）、混合エーテルメラミン樹脂、ブチル化メラミン樹脂、尿素樹脂、ブチル化尿素樹脂、ベンゾグアナミンおよびグリコールウリル樹脂、ならびにホルムアルデヒドフリー樹脂が挙げられる。こうした樹脂は、例えば、Ａｌｌｎｅｘ  ＧｒｏｕｐおよびＨｅｘｉｏｎから入手可能である。好適なメラミン樹脂の例としては、メチル化メラミン樹脂、例えば、Ｃｙｍｅｌ（商標）３００、Ｃｙｍｅｌ（商標）３０１、Ｃｙｍｅｌ（商標）３０３ＬＦ、Ｃｙｍｅｌ（商標）３０３ＵＬＦ、Ｃｙｍｅｌ（商標）３０４、Ｃｙｍｅｌ（商標）３５０、Ｃｙｍｅｌ（商標）３７４５、Ｃｙｍｅｌ（商標）ＸＷ−３１０６、Ｃｙｍｅｌ（商標）ＭＭ−１００、Ｃｙｍｅｌ（商標）３７０、Ｃｙｍｅｌ（商標）３７３、Ｃｙｍｅｌ（商標）３８０、ＡＳＴＲＯ  ＭＥＬ（商標）６０１、ＡＳＴＲＯ  ＭＥＬ（商標）６０１ＵＬＦ、ＡＳＴＲＯ  ＭＥＬ（商標）４００、ＡＳＴＲＯ  ＭＥＬ（商標）ＮＶＶ−３Ａ、Ａｒｉｃｅｌ  ＰＣ−６Ａ、ＡＳＴＲＯ  ＭＥＬ（商標）ＣＲ−１、およびＡＳＴＲＯ  ＳＥＴ（商標）９０が挙げられる。好適なアミノプラスト樹脂は、尿素ホルムアルデヒド樹脂を含むことができる。
【０２５８】
低密度マイクロカプセルは、例えば、米国特許第８，８１６，０２３号および第８，９９３，６９１号に記述されたものを含む、任意の好適な技法によって調製することができ、これらはそれぞれ参照によりそのすべてが組み込まれる。被覆低密度マイクロカプセルは、例えば、水中のマイクロカプセル水性分散系を、撹拌下でメラミン樹脂とともに調製することによって得ることができる。次に触媒を添加してもよく、分散系は、例えば、５０℃〜８０℃の温度に加熱される。低密度マイクロカプセル、例えば、ポリアクリロニトリルシェルを有する熱的に膨張したマイクロカプセル、脱イオン水およびアミノプラスト樹脂、例えば、メラミン樹脂を、組み合わせて混合することができる。次に蒸留水中１０％ｗ／ｗパラトルエン硫酸溶液を添加して、混合物を６０℃で約２時間反応させることができる。次に飽和重炭酸ナトリウムを添加して、混合物を１０分間撹拌することができる。固形物をろ過し、蒸留水ですすぎ、室温で一晩乾燥することができる。結果として得られるアミノプラスト樹脂被覆マイクロカプセルの粉末を、次に、２５０μｍふるいを通してふるいにかけ、凝集体を除去および分離することができる。
【０２５９】
アミノプラスト樹脂被覆を適用する前に、熱的に膨張した熱可塑性マイクロカプセルは、例えば、０．０１〜０．０５の範囲内、０．０１５〜０．０４５の範囲内、０．０２〜０．０４の範囲内、または０．０２５〜０．０３５の範囲内の比重によって特徴付けることができ、比重はＩＳＯ７８７（パート１０）に従って決定される。例えば、Ｅｘｐａｎｃｅｌ（商標）９２０ＤＥ４０およびＥｘｐａｎｃｅｌ（商標）９２０ＤＥ８０は、約０．０３の比重によって特徴付けることができ、比重はＩＳＯ７８７（パート１０）に従って決定される。
【０２６０】
アミノプラスト樹脂による被覆に伴い、アミノプラスト被覆マイクロカプセルは、例えば、０．０２〜０．０８の範囲内、０．０２〜０．０７の範囲内、０．０２〜０．０６の範囲内、０．０３〜０．０７の範囲内、０．０３〜０．０６５の範囲内、０．０４〜０．０６５の範囲内、０．０４５〜０．０６の範囲内、または０．０５〜０．０６の範囲内の比重によって特徴付けることができ、比重はＩＳＯ７８７（パート１０）に従って決定される。
【０２６１】
アミノプラスト被覆マイクロカプセルおよびアミノプラスト被覆マイクロカプセルを作る方法は、例えば、米国特許出願公開第２０１６／００８３６１９号に開示されており、これは参照によりそのすべてが組み込まれる。
【０２６２】
本開示によって提供される組成物は、例えば、０．１ｗｔ％〜６ｗｔ％、０．５ｗｔ％〜５ｗｔ％、１ｗｔ％〜４ｗｔ％、または２ｗｔ％〜４ｗｔ％の軽量フィラーまたは軽量フィラーの組合せを含むことができ、ｗｔ％は組成物の全重量に基づく。本開示によって提供される組成物は、例えば、１ｖｏｌ％〜８０ｖｏｌ％、２ｖｏｌ％〜６０ｖｏｌ％、５ｖｏｌ％〜５０ｖｏｌ％、１０ｖｏｌ％〜４０ｖｏｌ％、または２０ｖｏｌ％〜４０ｖｏｌ％の軽量フィラーまたは軽量フィラーの組合せを含むことができ、ｖｏｌ％は組成物の総体積に対するものである。
【０２６３】
本開示によって提供される組成物およびシーラントは、無機フィラーまたは無機フィラーの組合せを含むことができる。無機フィラーは、機械的強化を得るため、および組成物のレオロジー特性を制御するために含まれ得る。無機フィラーは、望ましい物理的特性を付与するために、例えば、硬化した組成物の衝撃強度を増加させるため、粘度を制御するため、または電気的特性を修正するために組成物に添加され得る。
【０２６４】
好適なフィラーは、磁気フィラーおよび不透明なフィラーも含む。
【０２６５】
フィラーは、繊維を含むことができる。繊維は、無機繊維、有機繊維、セラミック繊維、金属繊維、または前述のいずれかの組合せを含むことができる。好適な繊維の例としては、ガラス、シリカ、炭素、ホウ素、シリカカーバイド（silica carbide）、セラミック、金属、有機材料、および合成繊維が挙げられる。好適な合成繊維の例としては、ナイロン、ポリエステル、ポリプロピレン、メタ−アラミド、パラ−アラミド、ポリフェニレンスルフィド、およびレーヨンが挙げられる。繊維は、引張強度、電気伝導度、熱伝導度、ＥＭＩ／ＲＦＩ遮蔽、曲げ弾性率、曲げ強度、および／または引張弾性率を、作られた物体に付与する役目をすることができる。
【０２６６】
好適な金属繊維の例としては、スチール、チタン、アルミニウム、金、銀、および前述のいずれかの合金が挙げられる。
【０２６７】
好適なセラミック繊維の例としては、金属酸化物（例えば、アルミナ）繊維、アルミノシリケート（aluminasilicate）繊維、窒化ホウ素繊維、炭化ケイ素繊維、および前述のいずれかの組合せが挙げられる。
【０２６８】
好適な無機繊維の例としては、炭素、アルミナ、玄武岩、ケイ酸カルシウム、およびロックウールが挙げられる。
【０２６９】
繊維は、ガラス繊維、例えば、Ｓ−ガラス繊維、Ｅ−ガラス繊維、ソーダ−石灰−シリカ繊維、玄武岩繊維、または石英繊維であり得る。ガラス繊維は、織物および／または編組ガラス繊維、または不織ガラス繊維の形態であり得る。
【０２７０】
繊維は、炭素（例えば、黒鉛）繊維、ガラス繊維、セラミック繊維、炭化ケイ素繊維、ポリイミド繊維、ポリアミド繊維、またはポリエチレン繊維を含むことができる。連続繊維は、チタン、タングステン、ホウ素、形状記憶合金、黒鉛、炭化ケイ素、ホウ素、アラミド、ポリ（ｐ−フェニレン−２，６−ベンゾビスオキサゾール）、および前述のいずれかの組合せを含むことができる。
【０２７１】
高温に耐えることができる繊維としては、例えば、炭素繊維、高強度ガラス（ＳｉＯ２）繊維、酸化物繊維、アルミナ繊維、セラミック繊維、金属繊維、および高温熱可塑性樹脂または熱硬化性樹脂の繊維が挙げられる。
【０２７２】
フィラーは、カーボンナノチューブ、フラーレン、またはこれらの組合せを含むことができる。
【０２７３】
フィラーは、グラフェンまたは他の平らな多環式芳香族炭化水素を含むことができる。グラフェンは、作られた物体に熱伝導度、電気伝導度  ＥＭＩ／ＲＦＩ遮蔽能力、および／または帯電防止特性を付与するために使用することができる。
【０２７４】
フィラーは、表面改質粒子、例えば、表面改質シリカを含むことができる。シリカ粒子の表面は、例えば、シリカ粒子の表面の疎水性または親水性を調整するために改質することができる。表面改質は、粒子の分与性（dispensability）、粘度、硬化速度、および／または接着性に影響を与えることができる。
【０２７５】
共反応性組成物は、反応性レオロジー改質剤、例えば、ポリエチレン、ポリエチレンまたはプロピレン／エチレンコポリマーも含むことができる。好適なプロピレン／エチレンコポリマーの例としては、Ｐｅｔｒｏｌｉｔｅ（登録商標）５０００（Ｂａｋｅｒ  Ｈｕｇｈｅｓ）が挙げられる。
【０２７６】
本開示によって提供される共反応性成分および組成物は、接着促進剤または接着促進剤の組合せを含むことができる。
【０２７７】
本開示によって提供される共反応性成分および組成物は、例えば、０．１ｗｔ％未満の接着促進剤、０．２ｗｔ％未満、０．３ｗｔ％未満または０．４ｗｔ％未満の接着促進剤を含むことができ、ｗｔ％は硬化性組成物の全重量に基づく。本開示によって提供される硬化性組成物は、例えば、０．０５ｗｔ％〜０．４ｗｔ％、０．０５ｗｔ％〜０．３ｗｔ％、０．０５ｗｔ％〜０．２ｗｔ％の接着促進剤を含むことができる。
【０２７８】
本開示によって提供される共反応性成分および組成物は、接着促進剤または接着促進剤の組合せを含むことができる。接着促進剤は、フェノール性接着促進剤、フェノール性接着促進剤の組合せ、有機官能性シラン、有機官能性シランの組合せ、または前述のいずれかの組合せを含むことができる。オルガノシランは、アミン官能性シランであり得る。
【０２７９】
本開示によって提供される共反応性成分および組成物は、フェノール性接着促進剤、オルガノシラン、またはこれらの組合せを含むことができる。フェノール性接着促進剤は、加熱（cooked）フェノール樹脂、非加熱（un-cooked）フェノール樹脂、またはこれらの組合せを含むことができる。好適な接着促進剤の例としては、フェノール樹脂、例えば、Ｍｅｔｈｙｌｏｎ（登録商標）フェノール樹脂、およびオルガノシラン、例えば、エポキシ−、メルカプト−またはアミン−官能性シラン、例えば、Ｓｉｌｑｕｅｓｔ（登録商標）オルガノシランが挙げられる。
【０２８０】
フェノール性接着促進剤は、フェノール樹脂と、１種または複数のチオール末端化ポリスルフィドとの縮合反応の反応生成物を含むことができる。フェノール性接着促進剤は、チオール末端化であり得る。
【０２８１】
好適なフェノール樹脂の例としては、２−（ヒドロキシメチル）フェノール、（４−ヒドロキシ−１，３−フェニレン）ジメタノール、（２−ヒドロキシベンゼン−１，３，４−トリイル）トリメタノール、２−ベンジル−６−（ヒドロキシメチル）フェノール、（４−ヒドロキシ−５−（（２−ヒドロキシ−５−（ヒドロキシメチル）シクロヘキサ−２，４−ジエン−１−イル）メチル）−１，３−フェニレン）ジメタノール、（４−ヒドロキシ−５−（（２−ヒドロキシ−３，５−ビス（ヒドロキシメチル）シクロヘキサ−２，４−ジエン−１−イル）メチル）−１，３−フェニレン）ジメタノール、および前述のいずれかの組合せが挙げられる。
【０２８２】
好適なフェノール樹脂は、フェノールとホルムアルデヒドとの塩基触媒反応によって合成することができる。
【０２８３】
フェノール性接着促進剤は、Ｍｅｔｈｙｌｏｎ（登録商標）樹脂、Ｖａｒｃｕｍ（登録商標）樹脂、またはＤｕｒｅｚ  Ｃｏｒｐｏｒａｔｉｏｎから入手可能なＤｕｒｅｚ（登録商標）樹脂と、チオール末端化ポリスルフィド、例えば、Ｔｈｉｏｐｌａｓｔ（登録商標）樹脂との縮合反応の反応生成物を含むことができる。
【０２８４】
Ｍｅｔｈｙｌｏｎ（登録商標）樹脂の例としては、Ｍｅｔｈｙｌｏｎ（登録商標）７５１０８（メチロールフェノールのアリルエーテル、米国特許第３，５１７，０８２号を参照）およびＭｅｔｈｙｌｏｎ（登録商標）７５２０２が挙げられる。
【０２８５】
Ｖａｒｃｕｍ（登録商標）樹脂の例としては、Ｖａｒｃｕｍ（登録商標）２９１０１、Ｖａｒｃｕｍ（登録商標）２９１０８、Ｖａｒｃｕｍ（登録商標）２９１１２、Ｖａｒｃｕｍ（登録商標）２９１１６、Ｖａｒｃｕｍ（登録商標）２９００８、Ｖａｒｃｕｍ（登録商標）２９２０２、Ｖａｒｃｕｍ（登録商標）２９４０１、Ｖａｒｃｕｍ（登録商標）２９１５９、Ｖａｒｃｕｍ（登録商標）２９１８１、Ｖａｒｃｕｍ（登録商標）９２６００、Ｖａｒｃｕｍ（登録商標）９４６３５、Ｖａｒｃｕｍ（登録商標）９４８７９、およびＶａｒｃｕｍ（登録商標）９４９１７が挙げられる。
【０２８６】
Ｄｕｒｅｚ（登録商標）樹脂の一例は、Ｄｕｒｅｚ（登録商標）３４０７１である。
【０２８７】
本開示によって提供される共反応性成分および組成物は、有機官能性接着促進剤、例えば、有機官能性シランを含むことができる。有機官能性シランはシリコン原子に結合した加水分解性基および少なくとも１つの有機官能基を含むことができる。有機官能性シランは、構造Ｒａ−（ＣＨ２）ｎ−Ｓｉ（−ＯＲ）３−ｎＲｂｎ［式中、Ｒａは有機官能基であり、ｎは０、１、または２であり、ＲおよびＲｂはアルキル、例えば、メチルまたはエチルである］を有することができる。有機官能基の例としては、エポキシ、アミノ、メタクリロキシ、またはスルフィド基が挙げられる。有機官能性シランは、２つまたはそれより多いシラン基を有するダイポーダル（dipodal）シラン、官能性ダイポーダルシラン、非官能性ダイポーダルシランまたは前述のいずれかの組合せであり得る。有機官能性シランは、モノシランとダイポーダルシランの組合せであり得る。
【０２８８】
アミン官能性シランは、第１級アミン官能性シラン、第２級アミン官能性シラン、またはこれらの組合せを含むことができる。第１級アミン官能性シランは、第１級アミノ基を有するシランを指す。第２級アミン官能性シランは、第２級アミン基を有するシランを指す。アミン官能性シランは、例えば、４０ｗｔ％〜６０ｗｔ％の第１級アミン官能性シラン；および４０ｗｔ％〜６０ｗｔ％の第２級アミン官能性シラン；４５ｗｔ％〜５５ｗｔ％の第１級アミン官能性シランおよび４５ｗｔ％〜５５ｗｔ％の第２級アミン官能性シラン；または４７ｗｔ％〜５３ｗｔ％の第１級アミン官能性シランおよび４７ｗｔ％〜５３ｗｔ％の第２級アミン官能性シランを含むことができ、ｗｔ％は組成物中のアミン官能性シランの全重量に基づく。
【０２８９】
第２級アミン官能性シランは、立体障害性アミン官能性シランであり得る。立体障害性アミン官能性シランでは、非立体障害性第２級アミンに対する自由度と比較して、第２級アミンの自由度を制限または限定する大きな基または部分に、第２級アミンは近接し得る。例えば、立体障害性第２級アミンでは、第２級アミンは、フェニル基、シクロヘキシル基、または分岐アルキル基に近接し得る。
【０２９０】
アミン官能性シランは、例えば、１００ダルトン〜１０００ダルトン、１００ダルトン〜８００ダルトン、１００ダルトン〜６００ダルトン、または２００ダルトン〜５００ダルトンの分子量を有する、モノマー性アミン官能性シランであり得る。
【０２９１】
好適な第１級アミン官能性シラン例としては、４−アミノブチルトリエトキシシラン、４−アミノ−３，３−ジメチルブチルトリメトキシシラン、Ｎ−（２−アミノエチル）−３−アミノプロピルトリエトキシシラン、３（ｍ−アミノフェノキシ）プロピルトリメトキシシラン、ｍ−アミノフェニルトリメトキシシラン、ｐ−アミノフェニルトリメトキシシラン、３−アミノプロピルトリエトキシシラン、３−アミノプロピルトリメトキシシラン、３−アミノプロピルトリス（メトキシエトキシエトキシ）シラン、１１−アミノウンデシルトリエトキシシラン、２−（４−ピリジルエチル）トリエトキシシラン、２−（２−ピリジルエチルトリメトキシシラン、Ｎ−（３−トリメトキシシリルプロピル）ピロール、３−アミノプロピルシラントリオール、４−アミノ−３，３−ジメチルブチルメチルジメトキシシラン、３−アミノプロピルメチルジエトキシシラン、１−アミノ−２−（ジメチルエトキシシリル）プロパン、３−アミノプロピルジイソプロピレンエトキシシラン、および３−アミノプロピルジメチルエトキシシランが挙げられる。
【０２９２】
好適なジアミン官能性シランの例としては、（アミノエチルアミノメチル）フェネチルトリメトキシシランおよびＮ−（２−アミノエチル）−３−アミノプロピルトリメトキシシランが挙げられる。
【０２９３】
好適な第２級アミン官能性シランの例としては、３−（Ｎ−アリルアミノ）プロピルトリメトキシシラン、ｎ−ブチルアミノプロピルトリメトキシシラン、ｔｅｒｔ−ブチルアミノプロピルトリメトキシシラン、（Ｎ，Ｎ−シクロヘキシル（cylohexyl）アミノメチル）メチルジエトキシシラン、（Ｎ−シクロヘキシルアミノメチル）トリエトキシシラン、（Ｎ−シクロヘキシルアミノプロピル）トリメトキシシラン、（３−（ｎ−エチルアミノ）イソブチル）メチルジエトキシシラン、（３−（Ｎ−エチルアミノ）イソブチル）トリメトキシシラン、Ｎ−メチルアミノプロピルメチルジメトキシシラン、Ｎ−メチルアミノプロピルトリメトキシシラン、（フェニルアミノメチル）メチルジメトキシシラン、Ｎ−フェニルアミノメチルトリエトキシシラン、およびＮ−フェニルアミノプロピルトリメトキシシランが挙げられる。
【０２９４】
好適なアミン官能性シランは、例えば、Ｇｅｌｅｓｔ  Ｉｎｃ．およびＤｏｗ  Ｃｏｒｎｉｎｇ  Ｃｏｒｐｏｒａｔｉｏｎから市販されている。
【０２９５】
本開示によって提供される共反応性成分および組成物は、３ｗｔ％未満、２ｗｔ％未満、１ｗｔ％未満または０．５ｗｔ％未満の接着促進剤を含むことができ、ｗｔ％は硬化性組成物の全重量に基づく。
【０２９６】
本開示によって提供される共反応性成分および組成物は、反応性希釈剤または反応性希釈剤の組合せを含むことができる。反応性希釈剤は、組成物の粘度を低減するために使用することができる。反応性希釈剤は、組成物の主要反応物の少なくとも１つと反応して、架橋ネットワークの一部になることができる少なくとも１つの官能基を有する、低分子量化合物であり得る。反応性希釈剤は、例えば、１つの官能基、または２つの官能基を有することができる。反応性希釈剤は、組成物の粘度を制御する、または組成物中のフィラーの濡れを改善するために、使用することができる。
【０２９７】
共反応性成分および組成物は、１種または複数の着色剤を含むことができる。
【０２９８】
着色剤は、作られた物体に色および／または他の視覚効果を付与する物質を指す。着色剤は組成物に、任意の好適な形態、例えば、離散粒子、分散系、溶液および／またはフレークで添加することができる。単一の着色剤、または２種もしくはそれより多い着色剤の混合物を使用することができる。
【０２９９】
着色剤の例としては、顔料、染料およびチント、例えば、ペイント産業界で使用されている、かつ／またはＤｒｙ  Ｃｏｌｏｒ  Ｍａｎｕｆａｃｔｕｒｅｒｓ  Ａｓｓｏｃｉａｔｉｏｎ（ＤＣＭＡ）にリストアップされているもの、ならびに特殊効果の組成物および材料が挙げられる。着色剤は、例えば、不溶性であるが、使用条件下で濡れやすくなった、細かく分割された固体粉末を含むことができる。着色剤は、有機または無機であり得、かつ凝集性または非凝集性であり得る。着色剤は、粉砕または単純な混合によって、組成物に組み込むことができる。着色剤は、粉砕手段、例えば、アクリル粉砕手段（acrylic grind vehicle）を使用して、粉砕することによって組成物に組み込むことができる。
【０３００】
好適な顔料および／または顔料組成物の例としては、カルバゾールジオキサジン粗製顔料、アゾ、モノアゾ、ジスアゾ、ナフトールＡＳ、塩型（レーキ）、ベンツイミダゾロン、コンデンセーション、金属錯体、イソインドリノン、イソインドリンおよび多環式フタロシアニン、キナクリドン、ペリレン、ペリノン、ジケトピロロピロール、チオインジゴ、アントラキノン、インダントロン、アントラピリミジン、フラバントロン、ピラントロン、アンタントロン、ジオキサジン、トリアリールカルボニウム、キノフタロン顔料、ジケトピロロピロールレッド（ＤＰＰＢＯレッド）、カーボンブラック、および前述のいずれかの組合せが挙げられる。
【０３０１】
好適な染料の例としては、溶媒および／または水性系、例えば、アド染料（add dye）、アゾイック染料、塩基性染料、直接染料、分散染料、反応性染料、溶媒染料、硫化染料、媒染染料、例えば、ビスマスバナジン酸塩、アントラキノン、ペリレン、アルミニウム、キナクリドン、チアゾール、チアジン、アゾ、インジゴイド、ニトロ、ニトロソ、オキサジン、フタロシアニン、キノリン、スチルベン、キニザリン青（Ｄ＆ＣバイオレットＮｏ．２）、およびトリフェニルメタンが挙げられる。
【０３０２】
好適なチントの例としては、水系または水混和性担体に分散した顔料、例えば、Ｄｅｇｕｓｓａ，Ｉｎｃ．から市販されているＡｑｕａ−Ｃｈｅｍ（登録商標）８９６、Ｅａｓｔｍａｎ  Ｃｈｅｍｉｃａｌ，Ｉｎｃ．のＡｃｃｕｒａｔｅ  Ｄｉｓｐｅｒｓｉｏｎｓ部門から市販されているＣｈａｒｉｓｍａ  Ｃｏｌｏｒａｎｔｓ（登録商標）およびＭａｘｉｔｏｎｅｒ（登録商標）Ｉｎｄｕｓｔｒｉａｌ  Ｃｏｌｏｒａｎｔｓが挙げられる。
【０３０３】
着色剤は、例えば、ナノ粒子分散系を含む分散系の形態であってもよい。ナノ粒子分散系は、所望の明白な色および／または不透明性および／または視覚効果を生成する、１種または複数の高度に分散したナノ粒子着色剤および／または着色剤粒子を含むことができる。ナノ粒子分散系は、着色剤、例えば、１５０ｎｍ未満、例えば７０ｎｍ未満、または３０ｎｍ未満の粒径を有する顔料または染料を含むことができる。ナノ粒子は、０．５ｍｍ未満の粒径を有する粉砕メディアによって、貯蔵の有機または無機顔料を製粉することによって、生成することができる。ナノ粒子分散系およびそれらを作るための方法の例は、米国特許第６，８７５，８００Ｂ２号、米国特許出願公開第２００５／０２８７３５４号、および米国特許出願公開第２００６／０２５１８９６号で確認される。ナノ粒子分散系は、結晶化、沈殿、気相凝縮、および化学的摩滅（chemical attrition）（すなわち、部分的溶解）によって生成することができる。組成物内でのナノ粒子の再凝集を最小化するために、樹脂被覆ナノ粒子の分散系を使用することができる。「樹脂被覆ナノ粒子の分散系」は、ナノ粒子およびナノ粒子上の樹脂組成物を含む離散「複合微粒子」が分散する、連続相を指す。
【０３０４】
非隠蔽、着色有機顔料ナノ粒子の分散系は、特に有用な審美特性をエレクトロニクス産業に与える。こうした顔料分散系は、ＰＰＧ  Ｉｎｄｕｓｔｒｉｅｓ，Ｉｎｃ．からＡｎｄａｒｏ（商標）という商標で入手可能である。低レベルの青いナノ顔料は、薄膜形成組成物の硬化の間に起こり得る任意の黄変を相殺することができる。青または黒のナノ顔料は、特に基材上の黒い下層にわたって、防眩組成物の外観を高める。そのうえ、有色ナノ顔料は、基材、例えば、付加製造部品の基材の下にある色を高めるまたは補完するように選択され得る。ナノ粒子分散系は、本明細書で記述の（ｉ）テトラアルコキシシラン、（ｉｉ）エポキシ官能性トリアルコキシシラン、（ｉｉｉ）金属含有触媒、（ｉｖ）溶媒成分、および（ｖ）非酸化物粒子を含む、本発明の硬化性薄膜形成ゾルゲル組成物での使用に特に好適である。
【０３０５】
他の好適な特殊効果着色剤としては、Ｃｒｙｓｔａｌ  Ｐｅａｒｌ、Ｃｒｙｓｔａｌｌａｎｃｅ（登録商標）、Ｄｉｔｚｌｅｒ（登録商標）、Ｆｌａｍｂｏｙａｎｃｅ（登録商標）、Ｈａｒｌｅｑｕｉｎ（登録商標）、Ｌｉｑｕｉｄｍｅｔａｌ（登録商標）、Ｓｔａｒｆｉｒｅ（登録商標）、Ｒａｄｉａｎｃｅ（登録商標）、その他を含む、ＰＰＧ  Ｉｎｄｕｓｔｒｉｅｓ，Ｉｎｃ．から入手可能なＶｉｂｒａｎｃｅ  Ｃｏｌｌｅｃｔｉｏｎ（登録商標）にあるものが挙げられる。
【０３０６】
使用され得る特殊効果組成物の例としては、１つまたは複数の外観効果、例えば、反射、真珠光沢、金属光沢、燐光、蛍光、フォトクロミズム、感光性、サーモクロミズム、ゴニオクロミズムおよび／または色の変化を生成する、顔料および／または組成物が挙げられる。追加の特殊効果組成物は、他の感知可能な特性、例えば、不透明性またはテクスチャーを提供することができる。特殊効果組成物は、組成物を異なる角度で見た場合に組成物の色が変化するように、色シフトを生成することができる。色効果組成物の例は、米国特許第６，８９４，０８６号に開示されている。追加の色効果組成物としては、透明な被覆マイカおよび／もしくは合成マイカ、被覆シリカ、被覆アルミナ、透明な液晶顔料、液晶組成物、ならびに／または干渉が材料内の屈折率差に起因し、かつ材料の表面と空気との間の屈折率差によるものではない任意の組成物を挙げることができる。
【０３０７】
一般に、着色剤は、所望の特性、視覚効果および／または色効果を付与するのに十分な任意の量で、組成物中に存在することができる。例えば、着色剤は、１ｗｔ％〜６５ｗｔ％、例えば、３ｗｔ％〜４０ｗｔ％または５ｗｔ％〜３５ｗｔ％の量で存在してもよく、重量パーセントは組成物の全重量に基づく。
【０３０８】
組成物は、例えば、１ｗｔ％〜１０ｗｔ％、１ｗｔ％〜８ｗｔ％、または５ｗｔ％〜８ｗｔ％含むことができ、ｗｔ％は組成物の全重量に基づく。
【０３０９】
本開示によって提供される共反応性成分および組成物は、赤外線（ＩＲ）反射性顔料を含むことができる。ＩＲ反射性顔料は、太陽輻射に曝露された物体の温度を低減するのに有用であり得る。ＩＲ反射性顔料は、ＬＩＤＡＲ検出にも有用であり得る。ＩＲ反射性顔料は、９０５ｎｍの波長で高い反射率、例えば、９５％を超える反射率、または９９％を超える反射率を示すことができる。有用なＩＲ反射性顔料の例としては、ＴｉＯ２、ニッケルおよびクロムルチル顔料、（逆）スピネル顔料、ならびにＳｈｅｐｈｅｒｄからＡｒｃｔｉｃ（登録商標）という商品名で、ＢＡＳＦからＳｉｃｏｐａｌ（登録商標）という商品名で、またはＣｌａｒｉａｎｔからＣｏｌａｎｙｌ（登録商標）という商品名で入手可能な様々な金属酸化物系顔料が挙げられる。
【０３１０】
反応性組成物のある特定の実施形態に好適な顔料は、有機または無機着色顔料から選択されてもよく、例えば、二酸化チタン、カーボンブラック、ランプブラック、酸化亜鉛、天然および合成レッド、黄色、茶色および黒色酸化鉄、トルイジンおよびベンジジンイエロー、フタロシアニンブルーおよびグリーン、およびカルバゾールバイオレット、ならびに粉砕および結晶性シリカ、硫酸バリウム、ケイ酸マグネシウム、ケイ酸カルシウム、マイカ、雲母状酸化鉄、炭酸カルシウム、亜鉛粉末、アルミニウムおよびケイ酸アルミニウム、セッコウ、長石等を含む体質顔料を含んでもよい。
【０３１１】
顔料は、燐光性または蛍光性顔料を含むことができ、これは、例えば、粒子またはナノ粒子の形態であり得る。
【０３１２】
本開示により提供される押出し品は、１つまたは複数の表面被覆を含んでもよい。表面被覆は、所望の表面特性、例えば電気伝導性、ＩＲ反射率等の反射率、色、波長依存性吸収、波長依存性反射率、引っかき抵抗性、耐摩耗性、耐汚染性、耐指紋性、洗浄液に対する耐性等を付与する、審美的品質を付与する、および／または触感特性を付与するために使用され得る。被覆は、複数層被覆を含み得る。被覆は、触覚被覆、例えばソフトタッチ被覆であってもよい。被覆は、押出し被覆ダイを使用して押出物に適用され得る。
【０３１３】
複数層被覆は、シーラー、ベースコートおよびミッドコートベースコート、ならびにトップコートを含み得る。シーラーは、下にあるプライマー／基板界面への溶媒移動に対するバリアを提供することにより、被覆系の表面接着を改善するために使用され得る。好適なシーラーの例は、ＥＣＳ２５を含む。ベースコートは、着色剤、例えば顔料または着色効果材料を含み得る。ミッド−ベースコート層は、特殊効果顔料を含み得、ベースコートに加えてその上に適用され得る。好適なミッド−ベースコートの例は、ＰＰＧ  Ｉｎｄｕｓｔｒｉｅｓ，Ｉｎｃ．から入手可能なＡｎｄａｒｏ（登録商標）特殊効果被覆である。トップコートは、複数層被覆系の外側被覆層として適用され得る。トップコートは、耐摩耗性、引っかき抵抗性、耐汚染性、耐指紋性、または洗浄の促進を含むいくつかの目的を果たし得る。トップコートはまた、視覚的に透明である、または反射を低減するための艶消し仕上げを有する等の所望の光学特性を付与し得る。好適な透明コートの例は、ＰＰＧ  Ｉｎｄｕｓｔｒｉｅｓ，Ｉｎｃ．から入手可能なＤＣ４０００を含む。好適な艶消しトップコートの例は、Ｄ８１１５を含む。
【０３１４】
被覆層の選択および厚さは、意図される質感の表面の視覚的外観に著しく影響し得る。その効果は、トポグラフィーの増強および指向性反射率の変更を含む。その効果は、例えば、ミッド−ベースコートが特殊効果顔料、例えばＰＰＧ  Ｉｎｄｕｓｔｒｉｅｓ，Ｉｎｃ．から入手可能な、Ｃｒｙｓｔａｌ  Ｐｅａｌ（商標）およびＣｒｙｓｔａｌｌａｎｃｅ（登録商標）製品ラインを含むＶｉｂｒａｎｃｅ  Ｃｏｌｌｅｃｔｉｏｎ（登録商標）、ならびにＡｎｄａｒｏ（登録商標）顔料を含有する場合に向上し得る。
【０３１５】
外部被覆は、触感特性または触覚特性を提供する被覆を含み得る。例えば、被覆は、ソフトタッチ感覚を付与し得る。
【０３１６】
例えば、好適なソフトタッチ被覆は、国際出願公開第ＷＯ２０１６／２０１１０３号、ならびに米国出願公開第２０１４／０２２０３５４号および米国出願公開第２０１５／０３０７７３８号に開示されている。
【０３１７】
本開示により提供される被覆系は、着色剤を含有し得る。着色剤は、被覆層の１つまたは複数に存在し得る。例えば、着色剤は、プライマー被覆、シーラー被覆層、ベースコート層、ミッドコート層、または上記のいずれかの組合せに存在し得る。被覆系内の被覆層は、１種または複数種の着色剤を含み得る。被覆層は、別の被覆層内の着色剤と同じまたは異なる着色剤を含み得る。
【０３１８】
本開示により提供される共反応性成分および組成物は、光開始剤または光開始剤の組合せを含み得る。放射線は、その照射後に光重合開始剤から開始種を生成し得るエネルギーを印加し得る化学線であってもよく、α線、γ線、Ｘ線、紫外（ＵＶ）光、可視光または電子ビームを幅広く含む。例えば、光開始剤は、ＵＶ光開始剤であってもよい。
【０３１９】
例えば、ポリチオールおよびポリアルケニルを含む共反応性組成物は、化学線を使用して硬化され得る。ポリチオール／ポリアルケニル系は、フリーラジカル光開始によってのみ硬化されてもよく、または、光開始フリーラジカル機構により部分的に硬化されてもよい。ポリチオール／ポリアルケニル組成物は、アミン触媒を含む。ポリチオール／ポリアルケニル組成物は、暗硬化触媒を含み得る。例えば、暗硬化チオール／アルケニル触媒は、米国特許第９，７９６，８５８Ｂ２号、ＰＣＴ国際公開第ＷＯ２０１７／０８７０５５Ａ１号、および２０１８年６月８日に出願されたＰＣＴ国際出願第ＰＣＴ／ＵＳ２０１８／３６７４６号に開示されている。
【０３２０】
好適なＵＶ光開始剤の例は、α−ヒドロキシケトン、ベンゾフェノン、α，α−ジエトキシアセトフェノン、４，４−ジエチルアミノベンゾフェノン、２，２−ジメトキシ−２−フェニルアセトフェノン、４−イソプロピルフェニル２−ヒドロキシ−２−プロピルケトン、１−ヒドロキシシクロヘキシルフェニルケトン、イソアミルｐ−ジメチルアミノベンゾエート、メチル４−ジメチルアミノベンゾエート、メチルＯ−ベンゾイルベンゾエート、ベンゾイン、ベンゾインエチルエーテル、ベンゾインイソプロピルエーテル、ベンゾインイソブチルエーテル、２−ヒドロキシ−２−メチル−１−フェニルプロパン−１−オン、２−イソプロピルチオキサントン、ジベンゾスベロン、２，４，６−トリメチルベンゾイルジフェニルホスフィンオキシド、ビスアシクルホスフィンオキシド（bisacyclphosphineoxide）を含む。
【０３２１】
好適なベンゾフェノン光開始剤の例は、２−ヒドロキシ−２−メチル−１−フェニル−１−プロパノン、２−ヒドロキシ−１，４，４−（２−ヒドロキシエトキシ）フェニル］−２−メチル−１−プロパノン、α−ジメトキシ−α−フェニルアセトフェノン、２−ベンジル−２−（ジメチルアミノ）−１−［４−（４−モルホリニル）フェニル］−１−ブタノン、および２−メチル−１−［４−（メチルチオ）フェニル］−２−（４−モルホリニル）−１−プロパノンを含む。
【０３２２】
好適なオキシム光開始剤の例は、（ヒドロキシイミノ）シクロヘキサン、１−［４−（フェニルチオ）フェニル］−オクタン−１，２−ジオン−２−（Ｏ−ベンゾイルオキシム）、１−［９−エチル−６−（２−メチルベンゾイル）−９Ｈ−カルバゾール−３−イル］−エタノン−１−（Ｏ−アセチルオキシム（acetyloxim- e））、トリクロロメチル−トリアジン誘導体）、４−（４−メトキシスチリル）−２，６−トリクロロメチル−１，３，５−トリアジン）、４−（４−メトキシフェニル）−２，６−トリクロロメチル−１，３，５−トリアジン、およびα−アミノケトン（１−（４−モルホリノフェニル）−２−ジメチルアミノ−２−ベンジル−ブタン−１−オン）を含む。
【０３２３】
好適なホスフィンオキシド光開始剤の例は、ジフェニル（２，４，６−トリメチルベンゾイル）−ホスフィンオキシド（ＴＰＯ）およびフェニルビス（２，４，６−トリメチルベンゾイル）ホスフィンオキシド（ＢＡＰＯ）を含む。
【０３２４】
好適なＵＶ光開始剤の他の例は、ＢＡＳＦからのＩｒｇａｃｕｒｅ（商標）製品、例えば製品Ｉｒｇａｃｕｒｅ（商標）１８４、Ｉｒｇａｃｕｒｅ（商標）５００、Ｉｒｇａｃｕｒｅ（商標）１１７３、Ｉｒｇａｃｕｒｅ（商標）２９５９、Ｉｒｇａｃｕｒｅ（商標）７４５、Ｉｒｇａｃｕｒｅ（商標）６５１、Ｉｒｇａｃｕｒｅ（商標）３６９、Ｉｒｇａｃｕｒｅ（商標）９０７、Ｉｒｇａｃｕｒｅ（商標）１０００、Ｉｒｇａｃｕｒｅ（商標）１３００、Ｉｒｇａｃｕｒｅ（商標）８１９、Ｉｒｇａｃｕｒｅ（商標）８１９ＤＷ、Ｉｒｇａｃｕｒｅ（商標）２０２２、Ｉｒｇａｃｕｒｅ（商標）２１００、Ｉｒｇａｃｕｒｅ（商標）７８４、Ｉｒｇａｃｕｒｅ（商標）２５０を含み；さらに、ＢＡＳＦからのＩｒｇａｃｕｒｅ（商標）製品、例えば製品Ｉｒｇａｃｕｒｅ（商標）ＭＢＦ、Ｄａｒｏｃｕｒ（商標）１１７３、Ｄａｒｏｃｕｒ（商標）ＴＰＯ、Ｄａｒｏｃｕｒ（商標）４２６５が使用される。
【０３２５】
ＵＶ光開始剤は、例えば、２，２−ジメトキシ−１，２−ジフェニルエタン−１−オン（Ｉｒｇａｃｕｒｅ（登録商標）６５１、Ｃｉｂａ  Ｓｐｅｃｉａｌｔｙ  Ｃｈｅｍｉｃａｌｓ）、２，４，６−トリメチルベンゾイル−ジフェニル−ホスフィンオキシド（Ｄａｒｏｃｕｒ（登録商標）ＴＰＯ、Ｃｉｂａ  Ｓｐｅｃｉａｌｔｙ  Ｃｈｅｍｉｃａｌｓ）、またはそれらの組合せを含み得る。
【０３２６】
好適な光開始剤の他の例は、Ｄａｒｏｃｕｒ（登録商標）ＴＰＯ（Ｃｉｂａ  Ｓｐｅｃｉａｌｔｙ  Ｃｈｅｍｉｃａｌｓから入手可能）、Ｌｕｃｉｒｉｎ（登録商標）ＴＰＯ（ＢＡＳＦから入手可能）、Ｓｐｅｅｄｃｕｒｅ（登録商標）ＴＰＯ（Ｌａｍｂｓｏｎから入手可能）、Ｉｒｇａｃｕｒｅ（登録商標）ＴＰＯ（Ｃｉｂａ  Ｓｐｅｃｉａｌｔｙ  Ｃｈｅｍｉｃａｌｓから入手可能）、およびＯｍｎｉｒａｄ（登録商標）（ＩＧＭ  Ｒｅｓｉｎｓから入手可能）、ならびに上記のいずれかの組合せを含む。
【０３２７】
本開示により提供される組成物は、１ｗｔ％〜５ｗｔ％、１．５ｗｔ％〜４．５ｗｔ％、２ｗｔ％〜４ｗｔ％、２．５ｗｔ％〜３．５ｗｔ％のＵＶ光開始剤またはＵＶ光開始剤の組合せを含み得る。
【０３２８】
共反応性成分および組成物は、１種または複数の腐食防止剤を含み得る。好適な腐食防止剤の例は、これらに限定されないが、リン酸亜鉛系腐食防止剤、例えばＨａｌｏｘ（Ｈａｍｍｏｎｄ、Ｉｎｄ．）から市販されている微粉化Ｈａｌｏｘ（登録商標）ＳＺＰ−３９１、Ｈａｌｏｘ（登録商標）４３０リン酸カルシウム、Ｈａｌｏｘ（登録商標）ＺＰリン酸亜鉛、Ｈａｌｏｘ（登録商標）ＳＷ−１１１ストロンチウムホスホシリケート、Ｈａｌｏｘ（登録商標）７２０混合金属リン光体−カーボネート、ならびにＨａｌｏｘ（登録商標）５５０および６５０独自有機腐食防止剤を含む。他の好適な腐食防止剤は、Ｈｅｕｃｏｔｅｃｈ  Ｌｔｄ、ＰＡから市販されているＨｅｕｃｏｐｈｏｓ（登録商標）ＺＰＡリン酸亜鉛アルミニウムおよびＨｅｕｃｏｐｈｏｓ（登録商標）ＺＭＰリン酸亜鉛モリブデンを含み得る。
【０３２９】
本開示により提供される共反応性組成物は、金属物体を製作するために使用され得る。低粘度成分は、高体積パーセントの金属粒子を組み込むことができる。堆積および硬化後、硬化した組成物は、有機材料を燃焼させるために焼成されてもよく、金属が残る。金属は、焼結されて金属部品を提供し得る。同様に、無機物体は、シリカ、ガラスまたは他の無機物体等の高レベルの好適なフィラーを組み込むことにより形成され得る。
【０３３０】
ポリイソシアネート成分は、例えば、８０ｗｔ％〜１００ｗｔ％、８５ｗｔ％〜９５ｗｔ％、または８０ｗｔ％〜９０ｗｔ％のポリイソシアネートプレポリマーを含んでもよく、ｗｔ％はポリイソシアネート成分の全重量に基づく。
【０３３１】
ポリアミン成分は、例えば、２００ダルトン〜５００ダルトンの分子量を有する１０ｗｔ％〜３０ｗｔ％のモノマーポリアミン；３，０００ダルトン〜７，０００ダルトンの分子量を有する４０ｗｔ％〜９０ｗｔ％のポリアミンプレポリマー；および１ｗｔ％〜２０ｗｔ％の反応性レオロジー調整剤を含んでもよく、ｗｔ％はポリアミン成分の全重量に基づく。ポリアミン成分は、例えば、２００ダルトン〜５００ダルトンの分子量を有する１５ｗｔ％〜２５ｗｔ％のモノマーポリアミン；３，０００ダルトン〜７，０００ダルトンの分子量を有する５０ｗｔ％〜８０ｗｔ％のポリアミンプレポリマー；および５ｗｔ％〜１５ｗｔ％の反応性レオロジー調整剤を含んでもよく、ｗｔ％はポリアミン成分の全重量に基づく。
【０３３２】
ポリイソシアネートプレポリマーは、イソホロンジイソシアネート末端ポリテトラメチレンプレポリマーを含んでもよく；ポリアミンプレポリマーは、ポリエーテルアミンプレポリマーを含んでもよい。
【０３３３】
ポリアミン成分は、０．１ｗｔ％〜２０ｗｔ％のフィラーを含んでもよく、ｗｔ％はポリアミン成分の全重量に基づく。ポリアミン成分は、０．１ｗｔ％〜２０ｗｔ％の親水性ヒュームドシリカを含んでもよく、ｗｔ％はポリアミン成分の全重量に基づく。
【０３３４】
ポリイソシアネート成分および／またはポリアミン成分は、室温で組み合わせて押し出されてもよい。ポリイソシアネート成分および／またはポリアミン成分は、静的および／または動的ミキサーで組み合わせる前に加熱されてもよい。静的および／または動的ミキサーは、室温であってもよく、または加熱されてもよい。混合の前に、ポリイソシアネート成分および／またはポリアミン成分は、様々な成分の混合を促進するために加熱されてもよい。いくつかの場合において、ポリイソシアネート成分および／またはポリアミン成分の粘度を低減して様々な成分の混合を促進するために、プログレッシブキャビティポンプ等による送り出し中に十分な熱が生成され得る。
【０３３５】
本開示により提供される組成物を使用して、付加印刷物体が製作され得る。付加印刷物体は、共反応性成分を含む組成物の連続的な層の堆積により製作され得る。組成物は、例えば、押出しを使用して、またはインクジェット印刷技術を使用して堆積され得る。
【０３３６】
共反応性成分の押出しは、周知である。共反応性成分は、好適な形状のノズルを通して圧力下で押されるバレルヘッド内で混合され得る。押し出された組成物または押出し品は、断面プロファイルによって特徴付けられ得る。断面プロファイルは、共反応性成分の一定比率によって、または共反応性成分の可変の比率によって特徴付けられ得るが、比率は、官能基の当量比率による共反応性成分のモル％比率、反応性成分のｗｔ％比率、または他の有用な比率を指し得る。押出し品の断面プロファイルにわたる不均一組成は、プロファイルの異なる部分に異なる特性を付与するのに有用となり得る。例えば、プロファイルの外側部分に耐溶媒性または電気伝導特性を付与することが有用となり得る。隣接または近接する層、例えば下にあるまたは上にある層の間の接着を促進するために、過剰の共反応性官能基の１つまたは複数を含むことが有用となり得る。例えば、層の上面または上面の一部は、過剰の第１の共反応性官能基を有してもよく、上にある層の下面または下面の一部は、過剰の第２の共反応性官能基を有してもよく、第１および第２の共反応性官能基は、互いに反応性である。このようにして、近接する層の間の共有結合の形成が促進され、完成した三次元印刷物体の物理的完全性が増大し得る。
【０３３７】
また、共反応性成分間の硬化反応の速度は、下にある層に後続の層が堆積されたときに反応が完了しないように制御され得る。このようにして、上にある層の共反応性成分は、下にある層の共反応性成分と反応して、層間の強度を増加させることができる。高度の架橋を有する共反応性熱硬化性材料もまた、完成部品に高い耐溶媒性および耐薬品性を提供するために使用され得る。
【０３３８】
本開示により提供される方法は、高い縦横アスペクト比を有し得る。共反応性成分を使用した付加製造により提供される急速な硬化速度は、高く薄い部品を製作する能力を促進する。１つの寸法が長く、直交する寸法が薄い部品の例は、パネルである。垂直寸法において連続的な層が作製され得、急速な硬化速度のおかげで弛みも歪みもない。例えば、部品の高さは、部品の幅の少なくとも２倍、幅の少なくとも４倍、６倍、１０倍、２５倍、５０倍、１００倍、または２００倍であってもよい。初期の数層が堆積された後、初期に堆積した層は、部品を保持するためにクランプを使用する等して固定されてもよく、後続の層を堆積させて高く細い部品を製作することができる。
【０３３９】
共反応性成分の急速な硬化速度は、上にある層が部分的にのみ下にある層によって支持される部品を製作するために使用されてもよい。
【０３４０】
また、共反応性組成物の低い粘度、および急速な硬化速度の結果、堆積速度または印刷速度が高くなり得る。例えば、堆積は、５ｃｍ／秒超、１０ｃｍ／秒超、２９ｃｍ／秒超、５０ｃｍ／秒超、１００ｃｍ／秒超、または２００ｃｍ／秒超であってもよい。
【０３４１】
構造的完全性を維持し、組成物の上にある層を支持する押し出された硬化性組成物の能力が、硬化性組成物の剪断貯蔵弾性率Ｇ’、剪断損失弾性率Ｇ”、ｔａｎδ（Ｇ”／Ｇ’）、複素粘度［η＊｜、および粘度を所望の特性と関連付けることにより定量された。作製指標とも呼ばれる所望の特性は、堆積される能力、堆積した層の形状を維持する能力、１つまたは複数の上にある層を支持する能力、および隣接する層と接着または共反応する能力を含む。所望の特性はまた、共反応性組成物の印刷可能性に影響するパラメーターを含み、これは、共反応性組成物がもはや分注され得ない十分に高い粘度に共反応性組成物が達する前に、妥当な圧力で共反応性組成物を分注装置から押し出す能力を含む。
【０３４２】
硬化性組成物の粘弾性は、回転レオメーターを使用して剪断貯蔵弾性率Ｇ’および剪断損失弾性率Ｇ”を測定することで決定され得る。本開示の目的において、剪断貯蔵弾性率Ｇ’および剪断損失弾性率Ｇ”の値は、１ｍｍに設定された隙間、直径２５ｍｍの平行プレートスピンドル、ならびに１Ｈｚの振動数および０．３％の振幅でＡｎｔｏｎ  Ｐａａｒ  ＭＣＲ  ３０２レオメーターを使用して測定される。試験は、レオメータープレートの温度を２５℃に設定して行われる。
【０３４３】
反応性付加製造システムの印刷可能性は、例えば反応物の反応速度および粘度等のいくつかの特性に依存し得る。経験的測定に基づいて、共反応性組成物の印刷可能性は、反応性組成物のゲル化時間、低剪断粘度または混合前の各成分、および混合前の各成分の高剪断粘度に基づくアルゴリズムに関して定義されている。ゲル化時間は、第１および第２の共反応性成分が最初に混合されてから、共反応性組成物が固化してもはや手作業で撹拌できなくなるまでの期間を指す。低剪断粘度（ＬＳＶ）は、１ｍｍからの隙間を有するＡｎｔｏｎ  Ｐａａｒ  ＭＣＲ  ３０２レオメーターを使用して、２５℃および１秒−１の剪断速度で測定された。高剪断粘度（ＨＳＶ）は、１ｍｍからの隙間を有するＡｎｔｏｎ  Ｐａａｒ  ＭＣＲ  ３０２レオメーターを使用して、２５℃および１００秒−１の剪断速度で測定された。作製可能性は、混合の容易性、押出しの容易性、および堆積された形状を維持する押し出された組成物の能力の全体的な定性評価に基づいていた。実験データをモデル化したアルゴリズムは、式１で示される。
５００×｛０．４６０＋｛（ゲル化時間−４．００）×［（ゲル化時間−４．００）×（−０．００９１３）］｝＋｛（Ｌｏｇ１０ＬＳＶ１−５．３０）×［（Ｌｏｇ１０ＬＳＶ１−５．３０）×（−０．００４２８）］｝＋｛（Ｌｏｇ１０ＨＳＶ１−５．３０）×［（Ｌｏｇ１０ＨＳＶ１−５．３０）×（−０．００４２６）］｝＋｛（Ｌｏｇ１０ＬＳＶ２−５．３０）×［（Ｌｏｇ１０ＬＳＶ２−５．３０）×（−０．００４２７）］｝＋｛（Ｌｏｇ１０ＬＳＶ２−５．３０）×［（Ｌｏｇ１０ＬＳＶ２−５．３０）×（−０．００４２５）］｝≧１００      式１
式中、ＬＳＶ１およびＨＳＶ１は、第１の成分の低および高剪断粘度であり、ＬＳＶ２およびＨＳＶ２は、第２の成分の低および高剪断粘度である。式１により表されるモデルは、実施例１のポリ尿素系において得られた実験データに基づき、第１の成分はポリイソシアネートを含有し、第２の成分はポリアミンを含有していた。パラメーターは、組成物が１００の閾値より上で印刷可能であるように拡張された。異なる硬化系、特にポリ尿素と著しく異なるゲル化時間を有する系に対して同様のモデルが開発され得る。
【０３４４】
本開示により提供される方法は、共押出しを含む。第１の共反応性組成物に加えて、共反応性組成物であってもなくてもよい他の組成物が押し出されてもよい。押出物のプロファイルにわたり押出物の組成を変化させるために、追加の組成物が含まれてもよい。共押出しは、部品に表面特性を付与するために、バリア被覆、着色被覆、耐溶媒性被覆、引っかき抵抗性被覆、接着剤被覆、難燃性被覆、触覚もしくは触感効果被覆、または電気伝導性被覆等の表面層を追加してもよい。多くの可能な共押出し部品が製作され得る。
【０３４５】
方法は、例えば、第３の成分を第３のポンプへ提供するステップと、第３の成分をミキサー内に送り出すステップとを含む。第３の成分は第３の化合物を含んでもよく、第３の化合物は第１の化合物と反応性である、第３の化合物は第２の化合物と反応性である、または第３の化合物は第１の成分および第２の成分の両方と反応性である。第３の化合物は、第１の化合物および第２の化合物と反応性でなくてもよい。
【０３４６】
方法は、１つまたは複数の追加の成分を１つまたは複数のそれぞれのポンプへ提供するステップと；１つまたは複数の追加の成分をミキサー内に送り出して、共反応性組成物を得るステップとを含んでもよい。
【０３４７】
共反応性付加製造に好適な特性を確立するために調整され得る他の材料特性は、例えば、芳香族ポリアミンまたは脂肪族ポリアミンの使用、プレポリマー骨格内の硬質および軟質セグメントの量および割合、プレポリマーの分子量および官能性、非反応性側基の存在、ヒドロキシル側基の存在、プレポリマーのガラス転移温度、イソシアネートおよびアミン基の反応性、使用されるフィラーの量および種類、イソシアネート対アミン混合比、反応物の立体障害、ならびに上記のいずれかの組合せを含む。
【０３４８】
本開示により提供される方法に従って印刷される三次元物体は、物体の生成プロセスおよび最終物体の特性の両方において以前の付加製造物体より優れた利点を提供する。例えば、堆積方法は、追加の熱のいかなる使用も必要としなくてもよく、したがって、熱可塑性材料の三次元印刷で生じ得るような完成した物体における冷却中の応力蓄積の形成が回避される。本開示により提供される共反応性組成物は、組成物が速やかに、および正確に送り出しおよび印刷され得る十分に低い粘度を有し得る。急速に反応して堆積後に所定位置に留まる共反応性組成物を使用することにより、印刷物体の形状および寸法に対する改善された制御が実現され得る。さらに、本開示により提供される共反応性組成物は、磁気特性または電気および／もしくは熱伝導性を含む伝導特性、ならびに強度等の追加の特性を物体に提供する材料を含んでもよい。強化成分は、例えば、炭素繊維、ガラス繊維、およびグラフェンを含む。また、顔料または染料等の着色剤が印刷組成物中に含まれてもよい。速やかに架橋する共反応性組成物の場合、印刷物体の強度により、物体の以前に印刷された部分の上にさらなる層を迅速に追加することができる。開示された材料および方法の別の利点は、印刷物体の「ｚ方向」に提供されるような強度であり、ｘおよびｙ方向は、三次元物体の一般的な作製平面である。従来の三次元印刷は、特に熱可塑性材料が使用される場合、印刷物体の層間に最小限の接着を提供する。連続的な層の間に共有結合による架橋を形成する材料を提供することにより、最終印刷物体は、ｚ方向に増加した強度を有し得る。
【０３４９】
共反応性材料の反応生成物は接着性となり得るため、低表面エネルギー作製表面の使用が適切となり得る。低表面エネルギー作製表面は、例えば、ポリオレフィンおよびフルオロポリマーを含む。代替として、作製表面は、ポリウレタン射出成形において使用されるもの等の離型剤で被覆されてもよい。
【０３５０】
低粘度の共反応性または熱硬化性組成物の使用は、室温での堆積を促進することができ、それにより熱可塑性三次元印刷装置に特徴的な高温印刷ヘッドが回避される。熱硬化性材料の使用は、急速および精密に移動可能である単純な軽量の印刷ヘッドの使用を促進することができ、様々な駆動機構をさらに単純化し得る。
【０３５１】
レオロジープロファイルおよび熱硬化性組成物の硬化速度の制御に一部依存して、高い構造完全性を有する部品を迅速に作製することが可能である。隣接する層の間の構造強度はまた、下にある層に覆いかぶさる形状を構築する能力を促進し得る。
【０３５２】
単一のノズルから、少なくとも２つの共反応性成分が堆積されてもよい。そのような場合、共反応性成分は、硬化反応が大幅に進行する前に混合および堆積されてもよく、または、共反応性成分は、例えば、混合後に液体形態を維持する十分に遅い硬化速度を有してもよい。遅速反応成分が堆積され得、次いで２つの共反応性成分の間の硬化反応を開始させるために触媒が別個のノズルから堆積され得る。共反応性成分は、大きな液滴として堆積されるのではなく、スプレーとして堆積されてもよい。スプレーの形態での堆積は、２つの共反応性成分が堆積前に混合する能力を促進し得る。反応性熱硬化性組成物は、熱可塑性組成物と比較して低い粘度を有し得るため、スプレーを使用した堆積が促進され得る。
【０３５３】
本開示により提供される組成物および方法は、物体を製作するために使用され得る。物体の例は、シールキャップ、靴底、医療用インプラント、自動車部品（内装または外装）、航空宇宙部品、ツール、金属鋳造用の工具、軍用部品、および任意の他の好適な部品または装置を含む。
【０３５４】
本発明の態様
態様１
反応性付加製造の方法であって、第１のプレポリマーを含む第１の成分を第１のポンプへ提供するステップと；第２のプレポリマーを含む第２の成分を第２のポンプへ提供するステップであって、第２のプレポリマーは第１のプレポリマーと反応性である、ステップと；反応性組成物を提供するために、ミキサーを通して第１のポンプから第１の成分、および第２のポンプから第２の成分を送り出すステップと；反応性組成物を、ミキサーに接続されたノズルを通して堆積させるステップとを含む、方法。
【０３５５】
態様２
第１の成分が、ポリイソシアネートプレポリマーを含み；第２の成分が、ポリアミンプレポリマーを含む、態様１に記載の方法。
【０３５６】
態様３
第１のポンプおよび第２のポンプのそれぞれが、シリンジポンプ、蠕動ポンプ、またはプログレッシブキャビティポンプを独立して含む、態様１または２に記載の方法。
【０３５７】
態様４
第１のポンプおよび第２のポンプのそれぞれが、プログレッシブキャビティポンプを含む、態様１から３のいずれか１つに記載の方法。
【０３５８】
態様５
ミキサーが、静的ミキサー、動的ミキサー、またはこれらの組合せを含む、態様１から４のいずれか１つに記載の方法。
【０３５９】
態様６
ミキサーが、静的ミキサーを含む、態様１から５のいずれか１つに記載の方法。
【０３６０】
態様７
ポリイソシアネートプレポリマーおよび第１の粘度を含む第１の成分と；ポリアミンプレポリマーおよび第２の粘度を含む第２の成分とを含み、第１の粘度は第２の粘度の±２０％以内であり、粘度は、２５ｍｍ直径の平行プレートスピンドルを有するＡｎｔｏｎ  Ｐａａｒ  ＭＣＲ  ３０１または３０２レオメーターを使用して、１Ｈｚの振動数および０．３％の振幅、および２５℃のレオメータープレート温度で測定される、反応性付加製造組成物。
【０３６１】
態様８
第１の粘度が第２の粘度の±１０％以内である、態様７に記載の組成物。
【０３６２】
態様９
第１の成分、第２の成分、または第１の成分および第２の成分の両方が、０．１ｗｔ％〜３０ｗｔ％のフィラーを含み、ｗｔ％は、それぞれ第１の成分、第２の成分、または第１および第２の成分の両方の全重量に基づく、態様７または８に記載の組成物。
【０３６３】
態様１０
フィラーが、無機フィラー、有機フィラー、またはこれらの組合せを含む、態様７から９のいずれか１つに記載の組成物。
【０３６４】
態様１１
ポリイソシアネートプレポリマーが、２官能性ポリイソシアネートプレポリマーを含み；ポリアミンプレポリマーが、２官能性ポリアミンプレポリマーを含む、態様７から１０のいずれか１つに記載の組成物。
【０３６５】
態様１２
ポリイソシアネートプレポリマーが、イソシアネート末端化ポリテトラメチレンプレポリマーを含む、態様７から１１のいずれか１つに記載の組成物。
【０３６６】
態様１３
ポリイソシアネートプレポリマーが、イソホロン末端化ポリテトラメチレンプレポリマーを含む、態様７から１２のいずれか１つに記載の組成物。
【０３６７】
態様１４
ポリアミンプレポリマーが、３官能性ポリエーテルアミンを含む、態様７から１３のいずれか１つに記載の組成物。
【０３６８】
態様１５
ポリアミンプレポリマーが、２官能性ポリアミン、３官能性ポリアミン、またはこれらの組合せを含む、態様７から１４のいずれか１つに記載の組成物。
【０３６９】
態様１６
第２の成分が、モノマー性ジアミンおよびレオロジー改質剤を含む、態様７から１５のいずれか１つに記載の組成物。
【０３７０】
態様１７
第２の成分が、第２級脂肪族ジアミンおよびポリエチレン／ポリプロピレンコポリマーを含む、態様７から１６のいずれか１つに記載の組成物。
【０３７１】
態様１８
第１の成分が、８０ｗｔ％〜１００ｗｔ％のポリイソシアネートプレポリマーを含み、ｗｔ％は第１の成分の全重量に対するものであり；第２の成分が、１０ｗｔ％〜３０ｗｔ％の、２００ダルトン〜５００ダルトンの範囲内の分子量を有するモノマー性ポリアミン；４０ｗｔ％〜９０ｗｔ％の、３，０００ダルトン〜７，０００ダルトンの範囲内の分子量を有するポリアミンプレポリマー；および１ｗｔ％〜２０ｗｔ％のレオロジー改質剤を含み、ｗｔ％は第２の成分の全重量に基づく、態様７から１７のいずれか１つに記載の組成物。
【０３７２】
態様１９
ポリイソシアネートプレポリマーが、イソホロンジイソシアネート末端化ポリテトラメチレンプレポリマーを含み；ポリアミンプレポリマーが、ポリエーテルアミンプレポリマーを含む、態様１８に記載の組成物。
【０３７３】
態様２０
ポリイソシアネートプレポリマーが、イソホロンジイソシアネート末端化ポリエーテルアミンプレポリマー、例えば、イソホロンジイソシアネート末端化ポリオキシプロピレンジアミンプレポリマーを含み；ポリアミンプレポリマーが、ポリエーテルアミンプレポリマーを含む、態様１８に記載の組成物。
【０３７４】
態様２１
ポリイソシアネートプレポリマーが、イソホロンジイソシアネート末端化ポリオキシプロピレンジアミンプレポリマーを含み；ポリアミンプレポリマーが、ポリエーテルアミンプレポリマーを含む、態様１８に記載の組成物。
【０３７５】
態様２２
モノマー性アミンが、第２級脂肪族ジアミンを含み；レオロジー改質剤が、プロピレン／エチレンコポリマーを含む、態様１８から２１のいずれか１つに記載の組成物。
【０３７６】
態様２３
第２の成分が、０．１ｗｔ％〜２０ｗｔ％のフィラーを含み、ｗｔ％は第２の成分の全重量に基づく、態様１８から２２のいずれか１つに記載の組成物。
【０３７７】
態様２４
第２の成分が、０．１ｗｔ％〜２０ｗｔ％の親水性ヒュームドシリカを含み、ｗｔ％は第２の成分の全重量に基づく、態様１８から２３のいずれか１つに記載の組成物。
【０３７８】
態様２５
第１および第２の成分を混合した直後に、２より大きい初期Ｇ”／Ｇ’比を有し、剪断貯蔵弾性率Ｇ’および剪断損失弾性率Ｇ”は、隙間を１ｍｍ〜２ｍｍとした、２５ｍｍ直径の平行プレートスピンドルを有するレオメーターを使用して、１Ｈｚの振動数および０．３％の振幅、および２５℃のレオメータープレート温度で測定される、態様７から２４のいずれか１つに記載の組成物。
【０３７９】
態様２６
第１および第２の成分を混合した７分後に、１より大きいＧ”／Ｇ’比を有し、剪断貯蔵弾性率Ｇ’および剪断損失弾性率Ｇ”は、隙間を１ｍｍ〜２ｍｍとした、２５ｍｍ直径の平行プレートスピンドルを有するレオメーターを使用して、１Ｈｚの振動数および０．３％の振幅、および２５℃のレオメータープレート温度で測定される、態様７から２５のいずれか１つに記載の組成物。
【０３８０】
態様２７
３分より長いタックフリータイムによって特徴付けられる、態様７から〜２６のいずれか１つに記載の組成物。
【０３８１】
態様２８
態様７から２７のいずれか１つの組成物を使用して形成される、物体。
【０３８２】
態様２９
複数の層を含み、物体を形成する隣接する層が共有結合している、態様２８に記載の物体。
【０３８３】
態様３０
態様７から２７に記載のいずれか１つの組成物を、２成分プログレッシブキャビティポンプを使用して押し出すことを含む、付加製造の方法。
【０３８４】
態様３１
第１の成分および第２の成分のそれぞれをミキサーの中へ押し出すことを含む、態様３０に記載の方法。
【０３８５】
態様３２
第１の成分および第２の成分のそれぞれを、０．６ｍｍ〜２．５ｍｍの直径、および３０ｍｍ〜１５０ｍｍの長さの出口オリフィスを有するミキサーへ押し出すことを含む、態様３０または３１に記載の方法。
【０３８６】
態様３３
第１の成分および第２の成分のそれぞれをミキサーへ押し出すことを含み、組成物は０．２５秒〜５秒の範囲内のミキサーでの滞留時間を有する、態様３０から３２のいずれか１つに記載の方法。
【０３８７】
態様１Ａ
反応性付加製造の方法であって、第１の化合物を含む第１の成分を第１のポンプへ提供するステップと；第２の化合物を含む第２の成分を第２のポンプへ提供するステップであって、第１の化合物が第２の化合物と反応性である、ステップと；第１のポンプから第１の成分を送り出し、第２のポンプから第２の成分を送り出してミキサーに入れて、共反応性組成物を得るステップと；共反応性組成物を堆積させるステップとを含む、方法。
【０３８８】
態様２Ａ
第１のポンプおよび第２のポンプが直列に連結されている、態様１Ａに記載の方法。
【０３８９】
態様３Ａ
第１のポンプおよび第２のポンプが並列に連結されている、態様１Ａまたは２Ａに記載の方法。
【０３９０】
態様４Ａ
第１のポンプおよび第２のポンプのそれぞれが、容積形ポンプ、シリンジポンプ、ピストンポンプ、またはプログレッシブキャビティポンプを独立して含む、態様１Ａから３Ａのいずれか１つに記載の方法。
【０３９１】
態様５Ａ
第１のポンプおよび第２のポンプのそれぞれが、プログレッシブキャビティポンプを含む、態様１Ａから３Ａのいずれか１つに記載の方法。
【０３９２】
態様６Ａ
第１のポンプおよび第２のポンプのそれぞれが、静的ポンプ、動的ポンプ、またはこれらの組合せを含む、態様１Ａから３Ａのいずれか１つに記載の方法。
【０３９３】
態様７Ａ
ミキサーが、静的ミキサー、動的ミキサー、またはこれらの組合せを含む、態様１Ａから６Ａのいずれか１つに記載の方法。
【０３９４】
態様８Ａ
第１の成分がプレポリマーを含む、第２の成分がプレポリマーを含む、または第１の成分および第２の成分の両方がプレポリマーを含む、態様１Ａから７Ａのいずれか１つに記載の方法。
【０３９５】
態様９Ａ
第１の成分が、２種またはそれより多い第１の化合物を含み；第２の成分が、２種またはそれより多い第２の化合物を含む、態様１Ａから８Ａのいずれか１つに記載の方法。
【０３９６】
態様１０Ａ
２種またはそれより多い第１の化合物が、２〜６の第１の官能基の平均官能価を含み；２種またはそれより多い第２の化合物が、２〜６の第２の官能基の平均官能価を含み、第１の官能基が第２の官能基と反応性である、態様９Ａに記載の方法。
【０３９７】
態様１１Ａ
第１の成分、第２の成分、または第１および第２の成分の両方が、隙間を１ｍｍとしたＡｎｔｏｎ  Ｐａａｒ  ＭＣＲ  ３０２レオメーターを使用して、２５℃および１００秒−１の剪断速度で測定される、２００センチポアズ〜２０，０００，０００センチポアズの粘度を独立して含む、態様１Ａから１０Ａのいずれか１つに記載の方法。
【０３９８】
態様１２Ａ
第１の成分、第２の成分、または第１および第２の成分の両方が、隙間を１ｍｍとしたＡｎｔｏｎ  Ｐａａｒ  ＭＣＲ  ３０２レオメーターを使用して、２５℃および１００秒−１の剪断速度で測定される、５，０００センチポアズ〜１５，０００，０００センチポアズの粘度を独立して含む、態様１Ａから１０Ａのいずれか１つに記載の方法。
【０３９９】
態様１３Ａ
第１の成分が第１の粘度を含み、第２の成分が第２の粘度を含み、第１の粘度が第２の粘度の±５０％以内であり、粘度は、隙間を１ｍｍとしたＡｎｔｏｎ  Ｐａａｒ  ＭＣＲ  ３０２レオメーターを使用して、２５℃のプレート温度および１００秒−１の剪断速度で測定される、態様１Ａから１０Ａのいずれか１つに記載の方法。
【０４００】
態様１４Ａ
第１の化合物が、第１のモノマー、第１のプレポリマー、またはこれらの組合せを含み；第２の化合物が、第２のモノマー、第２のプレポリマー、またはこれらの組合せを含み；第１のモノマーおよび第１のプレポリマーが、第２のモノマーおよび第２のプレポリマーと反応性である、態様１Ａから１３Ａのいずれか１つに記載の方法。
【０４０１】
態様１５Ａ
第１の化合物が少なくとも１種の第１のプレポリマーを含み；第２の化合物が少なくとも１種の第２のプレポリマーを含み；少なくとも１種の第１のプレポリマーが少なくとも１種の第２のプレポリマーと反応性である、態様１Ａから１４Ａのいずれか１つに記載の方法。
【０４０２】
態様１６Ａ
第１の化合物がポリアミンを含み、第２の化合物がポリイソシアネートを含む、態様１Ａから１５Ａのいずれか１つに記載の方法。
【０４０３】
態様１７Ａ
第１の化合物がポリアルケニル化合物を含み、第２の化合物がポリチオールを含む、態様１Ａから１５Ａのいずれか１つに記載の方法。
【０４０４】
態様１８Ａ
第１の化合物がマイケル受容体を含み、第２の化合物がマイケル供与体を含む、態様１Ａから１５Ａのいずれか１つに記載の方法。
【０４０５】
態様１９Ａ
第１の化合物がポリエポキシドを含み、第２の化合物がポリチオールを含む、態様１Ａから１５Ａのいずれか１つに記載の方法。
【０４０６】
態様２０Ａ
第１の化合物がポリエポキシドを含み、第２の化合物がポリアミンを含む、態様１Ａから１５Ａのいずれか１つに記載の方法。
【０４０７】
態様２１Ａ
第１の化合物がポリイソシアネートプレポリマーを含み、ポリイソシアネートプレポリマーは、２官能性ポリイソシアネートプレポリマー、３官能性ポリイソシアネートプレポリマー、またはこれらの組合せを含み；第２の化合物がポリアミンプレポリマーを含み、ポリアミンプレポリマーは、２官能性ポリアミンプレポリマー、３官能性ポリアミンプレポリマー、またはこれらの組合せを含む、態様１Ａから１５Ａのいずれか１つに記載の方法。
【０４０８】
態様２２Ａ
第１の化合物が第１の官能基を含み；第２の化合物が第２の官能基を含み；第１の官能基が第２の官能基と反応性である、態様１Ａから１５Ａのいずれか１つに記載の方法。
【０４０９】
態様２３Ａ
第１の化合物が２〜６つの第１の官能基を含み；第２の化合物が２〜６つの第２の官能基を含み；第１の官能基が第２の官能基と反応性である、態様２２Ａに記載の方法。
【０４１０】
態様２４Ａ
第１の官能基がイソシアネートであり、第２の官能基が第１級アミン、第２級アミンまたはこれらの組合せである、態様２２Ａに記載の方法。
【０４１１】
態様２５Ａ
第１の官能基がチオールを含み、第２の官能基がアルケニルを含む、態様２２Ａに記載の方法。
【０４１２】
態様２６Ａ
第１の官能基がチオールを含み、第２の官能基がエポキシを含む、態様２２Ａに記載の方法。
【０４１３】
態様２７Ａ
第１の官能基がマイケル供与体を含み、第２の官能基がマイケル受容体を含む、態様２２Ａに記載の方法。
【０４１４】
態様２８Ａ
第１の官能基が、アクリレート基、マレイン基、フマル基、アセトアセトネート基、または前述のいずれかの組合せを含み、第２の官能基が、第１級アミン、第２級アミン、マロネート、または前述のいずれかの組合せを含む、態様２２Ａに記載の方法。
【０４１５】
態様２９Ａ
第１の官能基が、エポキシを含み；第２の官能基が、第１級アミン、第２級アミンまたはこれらの組合せを含む、態様２２Ａに記載の方法。
【０４１６】
態様３０Ａ
共反応性組成物が、２００センチポアズ〜２０，０００，０００センチポアズの動粘度を含み、動粘度は、２５ｍｍ直径の平行プレートスピンドルを有するＡｎｔｏｎ  Ｐａａｒ  ＭＣＲ３０２レオメーターを使用して、１Ｈｚの振動数および０．３％の振幅、および２５℃のレオメータープレート温度で測定される、態様１Ａから２９Ａのいずれか１つに記載の方法。
【０４１７】
態様３１Ａ
共反応性組成物が、５，０００センチポアズ〜１５，０００，０００センチポアズの動粘度を含み、動粘度は、２５ｍｍ直径の平行プレートスピンドルを有するＡｎｔｏｎ  Ｐａａｒ  ＭＣＲ３０２レオメーターを使用して、１Ｈｚの振動数および０．３％の振幅、および２５℃のレオメータープレート温度で測定される、態様１Ａから２９Ａのいずれか１つに記載の方法。
【０４１８】
態様３２Ａ
共反応性組成物が、２５℃で５分未満のゲル化時間によって特徴付けられる、態様１Ａから３１Ａのいずれか１つに記載の方法。
【０４１９】
態様３３Ａ
共反応性組成物の滞留時間が、共反応性組成物のゲル化時間よりも短い、態様１Ａから３２Ａのいずれか１つに記載の方法。
【０４２０】
態様３４Ａ
第１の成分、第２の成分、または第１の成分および第２の成分の両方が独立してフィラーを含み；共反応性組成物がフィラーを含む、態様１Ａから３３Ａのいずれか１つに記載の方法。
【０４２１】
態様３５Ａ
フィラーが軽量のフィラーを含む、態様３４Ａに記載の方法。
【０４２２】
態様３６Ａ
フィラーが０．７未満の比重を有する、態様３４Ａまたは３５Ａに記載の方法。
【０４２３】
態様３７Ａ
フィラーが、電気伝導性フィラー、磁気フィラー、熱伝導性フィラー、または前述のいずれかの組合せを含む、態様３４Ａから３７Ａのいずれか１つに記載の方法。
【０４２４】
態様３８Ａ
フィラーが、炭素繊維、ガラス繊維、グラフェン、金属、または前述のいずれかの組合せを含む、態様３４Ａに記載の方法。
【０４２５】
態様３９Ａ
第１の成分、第２の成分、または第１および第２の成分の両方が、０．１ｗｔ％〜９５ｗｔ％のフィラーを独立して含み、ｗｔ％は第１の成分または第２の成分の全重量に基づく、態様３４Ａから３８Ａのいずれか１つに記載の方法。
【０４２６】
態様４０Ａ
第１の成分、第２の成分、または第１および第２の成分の両方が、０．１ｖｏｌ％〜９５ｖｏｌ％のフィラーを独立して含み、ｖｏｌ％は第１の成分または第２の成分の全重量に基づく、態様３４Ａから３８Ａのいずれか１つに記載の方法。
【０４２７】
態様４１Ａ
共反応性組成物が０．１ｗｔ％〜９５ｗｔ％のフィラーを含み、ｗｔ％は共反応性組成物の全重量に基づく、態様１Ａから４０Ａのいずれか１つに記載の方法。
【０４２８】
態様４２Ａ
共反応性組成物が０．１ｖｏｌ％〜９５ｖｏｌ％のフィラーを含み、ｖｏｌ％は共反応性組成物の全重量に基づく、態様１Ａから４０Ａのいずれか１つに記載の方法。
【０４２９】
態様４３Ａ
堆積させるステップが押出しを含む、態様１Ａから４２Ａのいずれか１つに記載の方法。
【０４３０】
態様４４Ａ
堆積させるステップが、第１の層を堆積させること、および第１の層に近接する第２の層を堆積させることを含み、第２の層は第１の層と化学的に反応する、態様１Ａから４３Ａのいずれか１つに記載の方法。
【０４３１】
態様４５
堆積させるステップが、第１の層および第２の層を同時に堆積させることを含む、態様１Ａから４４Ａのいずれか１つに記載の方法。
【０４３２】
態様４６Ａ
堆積させるステップが、第１の層および第２の層を順次堆積させることを含む、態様１Ａから４５Ａのいずれか１つに記載の方法。
【０４３３】
態様４７Ａ
堆積させるステップが、第１の層を堆積させること、および第１の層に近接する第２の層を堆積させることを含み；かつ、第２の層を、第１の化合物および第２の化合物が完全に反応する前に堆積させる、態様１Ａから４４Ａのいずれか１つに記載の方法。
【０４３４】
態様４８Ａ
堆積させるステップが、共反応性組成物を、０．２ｍｍ〜５０ｍｍの寸法を有するオリフィスを通して押し出すことを含む、態様１Ａから４７Ａのいずれか１つに記載の方法。
【０４３５】
態様４９Ａ
堆積させるステップが、２つまたはそれより多い連続的な層を堆積させることを含む、態様１Ａから４８Ａのいずれか１つに記載の方法。
【０４３６】
態様５０Ａ
混合している途中、堆積させている途中、堆積させた後に、または前述のいずれかの組合せで、共反応性組成物に化学線を適用するステップを含む、態様１Ａから４９Ａのいずれか１つに記載の方法。
【０４３７】
態様５１Ａ
第１の成分、第２の成分、または第１および第２の成分の両方が、光開始剤を含む、態様１Ａから５０Ａのいずれか１つに記載の方法。
【０４３８】
態様５２Ａ
第１の成分、第２の成分、または第１および第２の成分の両方が、触媒を含み、触媒は第１の化合物と第２の化合物との間の反応を触媒するのに有効である、態様１Ａから５１Ａのいずれか１つに記載の方法。
【０４３９】
態様５３Ａ
堆積させるステップが共押出しを含む、態様１Ａから５２Ａのいずれか１つに記載の方法。
【０４４０】
態様５４Ａ
第３の成分を第３のポンプへ提供するステップと；第３の成分をミキサーに送り出すステップとを含む、態様１Ａから５３Ａのいずれか１つに記載の方法。
【０４４１】
態様５５Ａ
第３の成分が第３の化合物を含み、第３の化合物は第１の化合物と反応性である、第３の化合物は第２の化合物と反応性である、または第３の化合物は第１の成分および第２の成分の両方と反応性である、態様５４Ａに記載の方法。
【０４４２】
態様５６Ａ
第３の化合物が第１の化合物および第２の化合物と反応性ではない、態様５４Ａまたは５５Ａに記載の方法。
【０４４３】
態様５７
１つまたは複数の追加の成分を１つまたは複数のそれぞれのポンプへ提供するステップと；１つまたは複数の追加の成分を送り出してミキサーに入れて、共反応性組成物を得るステップとを含む、態様１Ａから５６Ａのいずれか１つに記載の方法。
【０４４４】
態様５８Ａ
堆積させるステップが押出物を形成することを含む、態様１Ａから５７Ａのいずれか１つに記載の方法。
【０４４５】
態様５９Ａ
押出物が、第１の部分および第２の部分を有する断面プロファイルによって特徴付けられる、態様５８Ａに記載の方法。
【０４４６】
態様６０Ａ
第１の部分が、１より大きい、第１の化合物の第２の化合物に対するモル比を含み；第２の部分が、１未満である、第１の化合物の第２の化合物に対するモル比を含む、態様５９Ａに記載の方法。
【０４４７】
態様６１Ａ
第１の部分および第２の部分が、押出物の断面プロファイルの反対側にある、態様５９Ａまたは６０Ａに記載の方法。
【０４４８】
態様６２Ａ
第１の部分が、１より大きい、第１の官能基の第２の官能基に対する当量比を含み；第２の部分が、１未満である、第１の官能基の第２の官能基に対する当量比を含み、第１の官能基は第２の官能基と反応性である、態様５９Ａから６１Ａのいずれか１つに記載の方法。
【０４４９】
態様６３Ａ
第１の成分の第２の成分に対する当量比が、押出物の断面プロファイルの全体にわたって均一ではない、態様５９Ａから６１Ａのいずれか１つに記載の方法。
【０４５０】
態様６４Ａ
第１の成分の第２の成分に対する当量比が、押出物の断面プロファイルの全体にわたって均一である、態様５９Ａから６１Ａのいずれか１つに記載の方法。
【０４５１】
態様６５Ａ
態様１Ａから６４Ａのいずれか１つの方法によって形成される、押出物。
【０４５２】
態様６６Ａ
態様１Ａから６４Ａのいずれか１つの方法を使用して形成される、物体。
【０４５３】
態様６７Ａ
複数の層を含み、物体を形成する隣接する層が共有結合している、態様６６Ａに記載の物体。
【０４５４】
態様６８Ａ
０．５Ω／ｃｍ２未満または０．１５Ω／ｃｍ２未満のシート抵抗によって特徴付けられる、態様６６Ａまたは６７Ａに記載の物体。
【０４５５】
態様６９Ａ
１ＭＨｚ〜１８ＧＨｚの間の周波数範囲内で少なくとも１０ｄＢの減衰をもたらす、態様６６Ａ〜６８Ａのいずれか１つに記載の物体。
【０４５６】
態様７０Ａ
０．９未満の比重によって特徴付けられる、態様６６Ａから６９Ａのいずれか１つに記載の物体。
【０４５７】
本明細書で記述され、示されおよび／または主張される本開示の実施形態の様々な特徴は、相互に排他的でない場合は、互いに組み合わせて使用することができると理解すべきである。さらに、以下の実施例は、本開示によって提供される方法および組成物の一般的な原則を実証するために、提示される。列挙されるすべての量は、特に明記しない限り、重量部で記述されている。本発明は、提示された実施例に限定されると見なされるべきではない。
【実施例】
【０４５８】
（実施例１）
ポリ尿素レオロジー特性決定
Ａｎｔｏｎ  Ｐａａｒ  ３０２レオメーターを使用して、三次元印刷配合物のレオロジーを決定した。０．９ｍｍのオリフィス直径、１６ターンの静的混合長および２．５４ｃｍの分注長を有するインライン静的ミキサーを備えたＶｉｓｃｏＴｅｃ  ｅｃｏＤＵＯ  ４５０精密注入システムを使用して、２成分（ポリアミン成分およびポリイソシアネート成分）試料を分注し、次いですぐにレオメーター上に堆積させて試料の隙間を充填した（１ｍＬ〜２ｍＬ）。使い捨て試料プレート（Ａｎｔｏｎ  Ｐａａｒ、カタログ番号４８４７）をレオメーター上に置き、測定における下部プレートとして使用した。２５ｍｍの直径を有する使い捨て平行プレートスピンドル（ＰＰ２５）を測定に使用した。スピンドルを投入直後の試料に向け、隙間を１ｍｍに設定した。次いで、振動測定（振動数１Ｈｚ、振幅０．３％）を適用した。レオロジーパラメーター（Ｇ’、Ｇ”、ｔａｎδ、｜η＊｜）を経時的に記録した。レオメータープレートの温度を２５℃に設定して、周囲条件下で試験を行った。結果を表３に示す。
【０４５９】
ポリアミン成分は、６６ｗｔ％のＪｅｆｆａｍｉｎｅ（登録商標）Ｔ５０００（約５，０００ＭＷのポリオキシアルキレン第１級アミン（グリセロールトリス［ポリ（プロピレングリコール）、アミン末端］エーテル）、Ｈｕｎｔｓｍａｎ  Ｃｏｒｐ．から入手可能）、１９ｗｔ％のＣｌｅａｒｌｉｎｋ（登録商標）１０００（脂肪族第２級アミン、Ｄｏｒｆ−Ｋｅｔａｌ  Ｃｈｅｍｉｃａｌｓ，ＬＬＣ．から入手可能）、および１０ｗｔ％のＰｅｔｒｏｌｉｔｅ（登録商標）５０００（プロピレン／エチレンコポリマー、Ｂａｋｅｒ  Ｈｕｇｈｅｓから入手可能）を含有していたが、ｗｔ％はポリアミン成分の全重量に基づく。ポリアミン成分は、５ｗｔ％または８．５ｗｔ％のＣａｂ−ｏ−Ｓｉｌ（登録商標）ＴＳ−７２０（Ｃａｂｏｔ  Ｃｏｒｐ．から入手可能なヒュームドシリカ）フィラーをさらに含有していた。
【０４６０】
イソシアネート成分は、７７ｗｔ％のＪｅｆｆａｍｉｎｅ（登録商標）Ｄ−２０００（ポリオキシプロピレンジアミン）および２３ｗｔ％のイソホロンジイソシアネートの反応生成物；または７３ｗｔ％のＰｏｌｙｍｅｇ（登録商標）２０００（ポリテトラメチレンエーテルグリコール）および２７ｗｔ％のイソホロンジイソシアネートの反応生成物のいずれかを含有していたが、ｗｔ％は組成物の全重量に基づく。
【表３】
2020531626.tif 000019
【０４６１】
配合物Ａ１、Ａ２、ＢおよびＤは、成功裏に印刷することができた。
【０４６２】
配合物Ｃ１およびＣ２は、硬化が速すぎ、分注ノズルを詰まらせた。Ｃ１およびＣ２のＧ’およびＧ”値における大きな変動性は、急速硬化のアーチファクトである。組成物Ｃ１およびＣ２は同じであるが、Ｃ１およびＣ２組成物は非常に急速に硬化するため、ｔ＝０を確立するのが困難であり、それにより初期Ｇ’およびＧ”値が明らかに大きく変動する。フィラー含量を５ｗｔ％から８．５ｗｔ％に増加させると硬化速度が低下し、したがってＪｅｆｆａｍｉｎｅ（登録商標）Ｄ−２０００／ＩＰＤＩ組成物は成功裏に印刷することができた。
（実施例２）
ポリ尿素タックフリータイム
【０４６３】
ハンドポンプを使用して、実施例１のポリ尿素配合物を押し出した。Ｊｅｆｆａｍｉｎｅ（登録商標）Ｄ２０００配合物（Ｃ１、Ｃ２、およびＤ）は、Ｐｏｌｙｍｅｇ（登録商標）２０００配合物（Ａ１、Ａ２、およびＢ）よりも送り出すことが著しく困難であり、すぐにノズル内でゲル化した。タックフリータイムは、１ミル（０．０２５４ｍｍ）厚でドローダウン法を使用して決定した。ドローダウン法において、正方形フレーム８パスアプリケーター＃３４（Ｐｒｅｃｉｓｉｏｎ  Ｇａｇｅ＆Ｔｏｏｌ  Ｃｏ．）を使用して、８．５インチ×１１インチ（２１．６ｃｍ×２７．９４ｃｍ）の長さのポリエチレンシートに１ミル（０．０２５４ｍｍ）厚の均一薄膜を適用した。約１０ｍＬのポリ尿素配合物をアプリケーターの境界内で押し出したが、これはアプリケーター上での硬化を防止するためにＣｈｅｍ  Ｔｒｅｎｄ  ＭＲ−５１５離型剤で被覆される。薄膜がドローダウンされると、薄膜に対して綿ボールが軽く押し付けられて離される（押し当て）。２回以上同じ領域に押し当てることなく薄膜に対して綿ボールが繰り返し押し当てられた際に接着した綿の量を視覚的に監視する。接着する綿の量が減少すると、押し当てる頻度が増加し、綿が薄膜にほとんど接着しなくなると押し当てる間隔が５秒以下となる。薄膜がドローダウンされたときから綿が薄膜に接着しなくなるまで記録される時間が、タックフリータイムである。結果を表４に示す。
【表４】
2020531626.tif 000020
（実施例３）
チオール−エポキシ組成物
【０４６４】
粘凋性の市販の２成分チオール−エポキシシーラントを希釈し、粘度を低下させて反応性押出しを促進した。
【０４６５】
９８．３ｇの、ＰＰＧ  Ａｅｒｏｓｐａｃｅから市販されているポリエポキシドシーラント成分であるＰＲ−２００１クラスＢ（Ａ部）を、１．７ｇのアセトン（Ｓｉｇｍａ  Ａｌｄｒｉｃｈ）で希釈することにより、ポリエポキシド成分を調製した。次いで、混合物を、Ｆｌａｃｋｔｅｋ  Ｓｐｅｅｄｍｉｘｅｒ（商標）で２，０００ｒｐｍおよび５ｐｓｉ（３４．４７ｋＰａ）の真空圧で２分間分散させた。
【０４６６】
８５．９ｇの、ＰＰＧ  Ａｅｒｏｓｐａｃｅから市販されているポリチオールシーラント成分であるＰＲ−２００１クラスＢ（Ｂ部）を、１４．１ｇのアセトン（Ｓｉｇｍａ  Ａｌｄｒｉｃｈ）で希釈することにより、ポリチオール成分を調製した。次いで、混合物を、Ｆｌａｃｋｔｅｋ  Ｓｐｅｅｄｍｉｘｅｒ（商標）で２０００ｒｐｍおよび５ｐｓｉ（３４．４７ｋＰａ）の真空圧で２分間分散させる。
【０４６７】
Ｆｌａｃｋｔｅｋ  ＳｐｅｅｄＤｉｓｃ（商標）を使用して配合物をＯｐｔｉｍｕｍ（登録商標）カートリッジ（Ｎｏｒｄｓｏｎ  ＥＦＤ）に移したが、これは有限差分法を用いたＶｉｓｃｏＴｅｃツーキャビティ押出機での反応性押出しによる付加製造に好適である。
（実施例４）
レオロジー測定手順
【０４６８】
１４ｍｍのフランジ高さを有するＰ−ＰＴＤ２００測定セルを備えたＭＣＲ  ３０２  Ａｎｔｏｎ  Ｐａａｒレオメーターを使用して、組成物のレオロジー特性を測定した。全ての測定は、２５℃の温度で行った。機器制御およびデータ分析には、ＲｈｅｏＣｏｍｐａｓｓ（商標）ソフトウェアパッケージ（Ａｎｔｏｎ  Ｐａａｒ）を使用した。
【０４６９】
単一成分（相補的反応性成分と組み合わせる前）においては、レオメーターは、ＰＰ２５、直径２５ｍｍの平行プレートスピンドル（Ａｎｔｏｎ  Ｐａａｒ）を備えていた。ＲｈｅｏＣｏｍｐａｓｓ（商標）ソフトウェアを使用して、レオロジープロファイルを得るために、機器を剪断モードに設定し、対数スケールで剪断速度が０．１秒−１から１００秒−１に増加する間に２１データ点を収集した。時間（秒）、粘度（ｃＰ）、剪断速度（秒−１）、剪断応力（Ｐａ）およびトルク（ｍＮｍ）を記録した。スピンドルの直径をカバーするように試料を押し出した。
【０４７０】
共反応性組成物（第１および第２の成分を組み合わせた後）の測定においては、レオメーターは、ＰＰ２５、直径２５ｍｍの平行プレートスピンドル（Ａｎｔｏｎ  Ｐａａｒ）および使い捨てアルミニウムパン（Ａｎｔｏｎ  Ｐａａｒ）を備えていた。
【０４７１】
ＲｈｅｏＣｏｍｐａｓｓ（商標）ソフトウェアを使用して、レオロジープロファイルを得るために、レオメーターを１秒−１の角振動数の振動モードに設定し、剪断ひずみを３％で一定に保持し、温度を２５℃にした。各プロファイルにおいて、０．２分間隔で１００データ点を収集した。貯蔵弾性率（Ｐａ）、損失弾性率（Ｐａ）、減衰係数、複素粘度（Ｐａ×Ｓ）、偏向角（ｍｒａｄ）、トルク（μＮｍ）、時間（分）、および位相角（度）を記録した。スピンドルの直径をカバーするように試料を押し出した。また、この方法を使用して、共反応性組成物の動粘度も測定した。
（実施例５）
チオール−エン共反応性組成物
【０４７２】
アクリレート成分およびチオール成分を組み合わせることにより、チオール−エン化学を使用した付加製造を行った。アクリレート成分の構成要素を、表５に示す。
【表５】
2020531626.tif 000021
【０４７３】
表５内のアクリレート成分を調製するために、ＳＲ３９９ＬＶ樹脂をライニングなしの１／２パイントアルミニウム塗料缶内に量り取り、添加剤を紙コッブ内に量り取った。ハイリフトＣｏｗｌｅｓブレードを低ＲＰＭで使用して、添加剤を樹脂に徐々に導入した。添加剤を組み合わせた後、ＣｏｗｌｅｓブレードのＲＰＭを僅かに増加させ、混合物を３０分間撹拌した。３０分後、電子天秤上でシリンジを使用して触媒溶液をポットに添加した。混合物を均質となるまで手作業で撹拌し、次いでＣｏｗｌｅｓブレードでさらに１分間撹拌した。この手順を４つの異なる添加剤のそれぞれに対して行い、アクリレート成分Ａ１〜Ａ４の４つの異なる配合物を形成した。
【０４７４】
チオール成分の構成要素を、表６に示す。
【表６】
2020531626.tif 000022
【０４７５】
表６からの量を使用して、アクリレート成分について記載されたのと同じ手順を用い、チオール成分を生成した。この手順を４つの異なる添加剤のそれぞれに対して行い、チオール成分Ｂ１〜Ｂ５の４つの異なる配合物を形成した。
【０４７６】
全ての配合物を、２成分ハンドポンプにおける使用のために１／２パイントアルミニウム缶からＮｏｒｄｓｏｎ  ＥＦＤからの５０ｍＬの２成分カートリッジに移した。合計４つのカートリッジが充填されるまで、配合物をＡ−１とＢ−１、Ａ−２とＢ−２等に対にした。１つずつ、Ｎｏｒｄｓｏｎ  ＥＦＤからのバヨネット静的ミキサーをカートリッジの端部に取り付け、成分を組み合わせ、ハンドポンプを使用して共反応性チオール−エン組成物をポリエチレンテレフタレート（ＰＥＴ）のシート上に１：１の体積比で押し出した。次いで、押し出した材料を５０ミルのバーでドローダウンし、完全に硬化させた。全ての配合物が成功裏に押し出されドローダウンされたが、これは３Ｄ印刷用途において成功する可能性が高いことを示唆していた。
【０４７７】
チオール−エン組成物の配合物ゲル化時間を、表７に示す。
【表７】
2020531626.tif 000023
（実施例６）
チオール−エン共反応性組成物
【０４７８】
マイケル供与体成分（ＰＰＧ  Ｉｎｄｕｓｔｒｉｅｓ，Ｉｎｃ．により合成された多官能性アセチルアセトネート）を、まずＦｌａｃｋｔｅｋからのＭａｘ  ３００  Ｌ  ＤＡＣカップ内に量り入れた。溶媒中４０ｗｔ％の１，５，７−トリアザビシクロ［４．４．０］デカ−５−エンを含有する触媒溶液をマイケル供与体溶液に添加し、最終触媒濃度を４ｗｔ％にした。触媒およびマイケル供与体樹脂を、Ｆｌａｃｋｔｅｋ  Ｓｐｅｅｄｍｉｘｅｒ（商標）で２０００ｒｐｍおよび５ｐｓｉの真空圧で２分間混合する。
【０４７９】
５ｗｔ％のＣａｂ−Ｏ−Ｓｉｌ（登録商標）ＴＳ７２０をＭａｘ  ３００  Ｌ  ＤＡＣカップ内の独自の多官能性アクリレート（ＰＰＧ  Ｉｎｄｕｓｔｒｉｅｓ，Ｉｎｃ．により合成された）に添加することにより、マイケル受容体成分を調製した。次いで、Ｆｌａｃｋｔｅｋ  Ｓｐｅｅｄｍｉｘｅｒ（商標）を２０００ｒｐｍおよび５ｐｓｉの真空圧で２分間使用することにより、混合物を分散させた。
【０４８０】
Ｆｌａｃｋｔｅｋ  ＳｐｅｅｄＤｉｓｃを介して成分をＤＡＣカップからＯｐｔｉｍｕｍカートリッジに移したが、これはＶｉｓｃｏＴｅｃ  ２ｋ押出機を使用した反応性押出しによる印刷に好適であった。例示を目的として本発明の特定の実施形態を上に記載したが、添付の特許請求の範囲において定義されるように、本発明から逸脱することなく、本発明の詳細において多くの変形形態が考案され得ることが、当業者には明らかである。
【図１】
2020531626.tif 000024
【図２】
2020531626.tif 000025
【図３】
2020531626.tif 000026
【図４】
2020531626.tif 000027
【図５】
2020531626.tif 000028
【図６】
2020531626.tif 000029
【国際調査報告】
2020531626.tif 000030
2020531626.tif 000031
2020531626.tif 000032